(57)【特許請求の範囲】
【請求項１】
ユーザ機器であって、
基地局によって送信された制御メッセージを受信するよう構成されたメッセージ受信ユニットであって、前記制御メッセージは前記ユーザ機器と前記基地局との間で伝送されるデータに対応する伝送時間間隔(TTI)長を判断するために使われる、前記メッセージ受信ユニットと、
前記制御メッセージに従って前記ユーザ機器と前記基地局との間で伝送される前記データに対応する前記TTI長を判断するよう構成された長さ判断ユニットと、
前記TTI長に従って前記基地局との前記データの伝送を遂行するよう構成されたデータ伝送ユニットと
を含み、
前記ユーザ機器は、
前記TTI長に従って前記データの送受ルールを判断するよう構成されたルール判断ユニットをさらに含み、様々なTTI長は様々な送受ルールに対応し、前記送受ルールは送信または受信時のサービスデータおよびフィードバック情報に対応するリソースとデータ伝送時間系列関係とを含み、
前記データ伝送ユニットは、
前記ユーザ機器により、前記判断された送受ルールに従って前記データを送受するようさらに構成される、ユーザ機器。
【請求項２】
前記ユーザ機器は、
前記ユーザ機器によって最後に伝送されたデータに対応するTTI長が変わるか否かを判断し、これが是である場合に、HARQバッファを空にするよう構成されたバッファ空化ユニットをさらに含む、請求項1に記載のユーザ機器。
【請求項３】
前記ユーザ機器は、
フィードバック情報を伝送するためのフィードバックリソースを判断するよう構成されたフィードバックリソース判断ユニットをさらに含み、様々なTTI長に対応するフィードバック情報は様々なフィードバックリソースを使用し、前記フィードバックリソースは前記フィードバックリソースに対応する各TTI長に存在し、前記フィードバックリソースはPHICHチャネルリソースと、データを伝送するためのPRB番号と、データを伝送するためのフレーム番号またはサブフレーム番号とを含む、請求項1に記載のユーザ機器。
【請求項４】
前記ユーザ機器は、
前記判断されたTTI長に対応するフィードバックリソースを使って前記基地局へチャネル品質指標CQIをフィードバックするよう構成された第1の符号化ユニットをさらに含み、それぞれのTTIで前記CQIに対し個別の符号化が遂行され、あるいはそれぞれのサブフレームに含まれるTTIで前記CQIに対し合同の符号化が遂行される、請求項3に記載のユーザ機器。
【請求項５】
前記ユーザ機器は、
前記判断されたTTI長に対応するフィードバックリソースを使ってダウンリンクデータのアップリンクフィードバック情報を前記基地局へ送信するよう構成された第2の符号化ユニットをさらに含み、それぞれのTTIで前記アップリンクフィードバック情報に対し個
別の符号化が遂行され、あるいはそれぞれのサブフレームに含まれるTTIで前記アップリンクフィードバック情報に対し合同の符号化が遂行される、請求項3に記載のユーザ機器。
【請求項６】
データ伝送方法であって、
ユーザ機器により、基地局によって送信された制御メッセージを受信するステップであって、前記制御メッセージは前記ユーザ機器と前記基地局との間で伝送されるデータに対応する伝送時間間隔(TTI)長を判断するために使われる、受信する前記ステップと、
前記ユーザ機器により、前記制御メッセージに従って前記ユーザ機器と前記基地局との間で伝送される前記データに対応する前記TTI長を判断するステップと、
前記ユーザ機器により、前記TTI長に従って前記基地局との前記データの伝送を遂行するステップと
を含み、
前記ユーザ機器により、前記TTI長に従って前記基地局との前記データの伝送を遂行する前記ステップの前に、前記方法は、
前記TTI長に従って前記データの送受ルールを判断するステップを含み、様々なTTI長は様々な送受ルールに対応し、前記送受ルールは送信または受信時のサービスデータおよびフィードバック情報に対応するリソースとデータ伝送時間系列関係とを含み、
前記ユーザ機器により、前記TTI長に従って前記基地局との前記データの伝送を遂行する前記ステップは、
前記ユーザ機器により、前記判断された送受ルールに従って前記データを送受するステップを含む、データ伝送方法。
【請求項７】
前記判断された送受ルールに従って前記データを送受する前記ステップの前に、前記方法は、
前記ユーザ機器により、前記ユーザ機器によって最後に伝送されたデータに対応するTTI長が変わるか否かを判断するステップと、これが是である場合に、HARQバッファを空にするステップと、その後前記判断された送受ルールに従って前記データを送受する前記ステップを遂行するステップとを含む、請求項6に記載の方法。
【請求項８】
前記データの伝送がフィードバック情報の伝送である場合、前記判断された送受ルールに従って前記データを送受する前記ステップの前に、前記方法は、
前記フィードバック情報を伝送するためのフィードバックリソースを判断するステップを含み、様々なTTI長に対応するフィードバック情報は様々なフィードバックリソースを使用し、前記フィードバックリソースは前記フィードバックリソースに対応する各TTI長に存在し、前記フィードバックリソースはPHICHチャネルリソースと、データを伝送するためのPRB番号と、データを伝送するためのフレーム番号またはサブフレーム番号とを含む、請求項6に記載の方法。
【請求項９】
前記フィードバック情報を伝送するためのフィードバックリソースを判断する前記ステップの後に、前記方法は、
前記ユーザ機器により、前記判断されたTTI長に対応するフィードバックリソースを使って前記基地局へチャネル品質指標CQIをフィードバックするステップをさらに含み、それぞれのTTIで前記CQIに対し個別の符号化が遂行され、あるいはそれぞれのサブフレームに含まれるTTIで前記CQIに対し合同の符号化が遂行される、請求項8に記載の方法。
【請求項１０】
前記フィードバック情報を伝送するためのフィードバックリソースを判断する前記ステップの後に、前記方法は、
前記ユーザ機器により、前記判断されたTTI長に対応するフィードバックリソースを使
ってダウンリンクデータのアップリンクフィードバック情報を前記基地局へ送信するステップをさらに含み、それぞれのTTIで前記アップリンクフィードバック情報に対し個別の符号化が遂行され、あるいはそれぞれのサブフレームに含まれるTTIで前記アップリンクフィードバック情報に対し合同の符号化が遂行される、請求項8に記載の方法。
【発明の詳細な説明】
【技術分野】
【０００１】
本願は参照により全文が本願に援用される2014年8月26日に中国特許庁に出願された「データ伝送方法、ユーザ機器、および基地局」と題する中国特許出願第201410425845．5号の優先権を主張するものである。
【０００２】
本発明は通信分野に関し、具体的にはデータ伝送方法、ユーザ機器、および基地局に関する。
【背景技術】
【０００３】
将来の5G（第5世代通信）技術ではエアインターフェース技術・応用の絶え間ない拡大にともない遅延の低減が主要な性能指標になっている。例えばReal−time remote computing for mobile terminals（モバイル端末のリアルタイム遠隔監視）のエンドツーエンド遅延には10ms未満が要求され、Traffic efficieny and safety（トラフィック効率・安全）の遅延には5msが要求されている。しかし現在のロングタームエボリューション（LTE、Long Term Evolution）では伝送時間間隔（TTI、transmission time interval）の長さが1msであり、往復時間（RTT、Round−Trip Time）の長さが8msであるため、再伝送のたびに8msの遅延が生じる。アップリンク伝送の所要時間を下表に示す。
【０００４】
【表１】
0006440827.tif 000002
【０００５】
ダウンリンク伝送で必要となる遅延はアップリンク伝送のそれとほぼ同じである。伝送時間はTTIと処理時間とを主に含むため、遅延を減らす必要がある場合は、TTIかRTTの短縮が重要な技術となることが上記の表から分かるであろう。
【０００６】
ネットワーク側と端末側のハードウェア装置のアップグレードと改良により、ネットワークと端末との間でデータを伝送する処理時間は低減されており、RTTも低減されている。
【０００７】
長さがより短い新たなRTTやTTIが追加されている。ただし先行技術には2種類のRTT長やTTI長を区別する通信メカニズムがないため、衝突が容易く生じる。
【発明の概要】
【課題を解決するための手段】
【０００８】
本発明の実施形態は、異なる処理遅延シナリオが共存するデータ伝送過程で衝突問題を解決するデータ伝送方法、ユーザ機器、および基地局を提供する。
【０００９】
本発明の実施形態の第1の態様はユーザ機器を提供し、ユーザ機器は、
基地局によって送信された制御メッセージを受信するよう構成された受信ユニットであって、制御メッセージはユーザ機器と基地局との間で伝送されるデータに対応するRTT長を判断するために使われる、受信ユニットと、
制御メッセージに従ってユーザ機器と基地局との間で伝送されるデータに対応する往復時間RTT長を判断するよう構成された判断ユニットと、
RTT長に従って基地局とのデータ伝送を遂行するよう構成された伝送ユニットと
を含む。
【００１０】
第1の態様の第1の可能な実装様態において、受信ユニットは、
基地局によって送信された第1の制御メッセージを受信するよう具体的に構成され、第1の制御メッセージはデータ伝送のための対応するRTT長を指示するために使われ、
判断ユニットは、
第1の制御メッセージに従ってデータ伝送のための対応するRTT長を判断するよう具体的に構成される。
【００１１】
第1の態様の第2の可能な実装様態において、受信ユニットは、
基地局によって送信された第2の制御メッセージを受信するよう具体的に構成され、第2の制御メッセージはRTT識別子に対応するRTT長を通知するために使われ、尚且つ受信ユニットは、
基地局によって送信された第3の制御メッセージを受信するよう具体的に構成され、第3の制御メッセージはRTT識別子を含み、RTT識別子はデータ伝送のための対応するRTT長を指示するために使われ、
判断ユニットは、
RTT識別子に従ってデータ伝送のための対応するRTT長を判断するよう具体的に構成される。
【００１２】
第1の態様の第3の可能な実装様態において、受信ユニットは、
基地局によって送信された第4の制御メッセージを受信するよう具体的に構成され、第4の制御メッセージはRNTIスクランブル様態に対応するRTT長を通知するために使われ、尚且つ受信ユニットは
基地局によって送信された第5の制御メッセージを受信するよう具体的に構成され、第5の制御メッセージのRNTIスクランブル様態はRTT長に対応し、
判断ユニットは、
第5の制御メッセージに対しRNTIデスクランブルを遂行し、尚且つ第4の制御メッセージに対しRNTIデスクランブルを遂行する様態に従ってデータ伝送のための対応するRTT長を判断するよう具体的に構成される。
【００１３】
第1の態様の第4の可能な実装様態において、受信ユニットは、
基地局によって送信された第6の制御メッセージを受信するよう具体的に構成され、第6の制御メッセージは制御チャネルのタイプに対応するRTT長を通知するために使われ、尚且つ受信ユニットは、
制御チャネルを用いて基地局によって送信された第7の制御メッセージを受信するよう具体的に構成され、制御チャネルには少なくとも2つのタイプがあり、制御チャネルの様々なタイプは様々なRTT長に対応し、
判断ユニットは、
第7の制御メッセージを受信する制御チャネルのタイプに従ってデータ伝送のための対応するRTT長を判断するよう具体的に構成される。
【００１４】
第1の態様、または第1の態様の第1から第4の可能な実装様態のいずれか1つを参照し、第1の態様の第5の可能な実装様態において、制御メッセージは上位層シグナリングか物理層シグナリングを用いて基地局によって送信される。
【００１５】
第1の態様、または第1の態様の第1から第4の可能な実装様態のいずれか1つを参照し、第1の態様の第6の可能な実装様態において、制御メッセージはRTT長に個別に対応する伝送されるべきデータのタイプを使用することを指図するためにさらに使われる。
【００１６】
第1の態様、または第1の態様の第1から第4の可能な実装様態のいずれか1つを参照し、第1の態様の第7の可能な実装様態において、ユーザ機器は、
RTT長に従って基地局とのデータ伝送を遂行するためのリソースを判断するよう構成されたリソース判断ユニットをさらに含み、ユーザ機器と基地局は様々なリソースを使って様々なRTT長に対応するデータを互いに伝送し、
伝送ユニットは、
ユーザ機器により、リソースを使って基地局とのデータ伝送を遂行するよう具体的に構成される。
【００１７】
第1の態様の第7の可能な実装様態を参照し、第1の態様の第8の可能な実装様態において、リソース判断ユニットは、
データの伝送がフィードバック情報の伝送である場合に、フィードバック情報の伝送に使われるリソースを計算する際に、RTT識別子によって指示されるRTT長に従って、RTT長に対応するオフセットを加えるよう具体的に構成される。
【００１８】
第1の態様の第8の可能な実装様態を参照し、第1の態様の第9の可能な実装様態において、オフセットは上位層シグナリングを用いて基地局によって通知され、あるいは物理層シグナリングメッセージの中で設定される。
【００１９】
第1の態様の第8の可能な実装様態を参照し、第1の態様の第10の可能な実装様態において、リソース判断ユニットは、フィードバック情報の伝送がダウンリンクデータのアップリンクフィードバックである場合に、ユーザ機器により、フィードバックの周波数領域リソースが次式を満たすことを判断するよう具体的に構成され、ここで
【数１】
0006440827.tif 000003
はポート0に対応する周波数領域リソース位置であり、
【数２】
0006440827.tif 000004
はポート1に対応する周波数領域リソース位置であり、
伝送にPDCCHが使われる場合は式1および式2が満たされ、
式1：
【数３】
0006440827.tif 000005
および
式2：
【数４】
0006440827.tif 000006
ここで
nCCEはダウンリンクデータをスケジュールするダウンリンクデータのスケジューリングコマンドによって占められる物理ダウンリンク制御チャネルPDCCHの最低の、最高の、または特定の制御チャネル要素CCE位置であり、
【数５】
0006440827.tif 000007
は物理アップリンク制御チャネルPUCCHの周波数領域開始位置であり、offsetはオフセットであって整数であり、あるいは
EPDCCHが使われ、尚且つEPDCCH伝送が分散伝送である場合は、式3および式4が満たされ、
式3：
【数６】
0006440827.tif 000008
および
式4：
【数７】
0006440827.tif 000009
あるいは
EPDCCHが使われ、尚且つEPDCCH伝送が集中伝送である場合は、式5および式6が満たされ、
式5：
【数８】
0006440827.tif 000010
および
式6：
【数９】
0006440827.tif 000011
ここで
nECCE，qはダウンリンクデータをスケジュールするダウンリンクデータのスケジューリングコマンドによって占められる改良物理ダウンリンク制御チャネルEPDCCHによって使われるEPDCCH−PRB−set qの最低の、最高の、または特定の制御チャネル要素CCE位置であり、
【数１０】
0006440827.tif 000012
は上位層シグナリングを用いて設定されるパラメータであり、ΔARQは物理層制御シグナリングを用いて通知されるパラメータであり、
【数１１】
0006440827.tif 000013
はEPDCCH−PRB−set qにおける各PRBのCCEの数量であり、n’はアンテナポートによって判断され、offsetはオフセットであって整数である。
【００２０】
第1の態様の第8の可能な実装様態を参照し、第1の態様の第11の可能な実装様態において、リソース判断ユニットは、フィードバック情報の伝送がアップリンクデータのダウンリンクフィードバックである場合に、ユーザ機器により、フィードバックのリソース
【数１２】
0006440827.tif 000014
が式7および式8を満たすことを判断するよう具体的に構成され、ここで
【数１３】
0006440827.tif 000015
は物理的ハイブリッド自動再送要求指示チャネルPHICHのグループ番号であり、
【数１４】
0006440827.tif 000016
はグループ番号に対応するグループにおける直交シーケンス番号であり、
式7は
【数１５】
0006440827.tif 000017
であり
式8は
【数１６】
0006440827.tif 000018
であり、ここで
nDMRSは最近のPDCCHでアップリンクDCIを用いて指示される復調参照信号DMRS領域の循環シフトマッピングであり、
【数１７】
0006440827.tif 000019
はPHICHの拡散因子であり、
IPRB＿RAは第1のコードワードがアップリンクDCIによって指示されるPUSCHの最も低いPRBインデックスであることと、第2のコードワードがアップリンクDCIによって指示されるPUSCHの最も低いPRBインデックス＋1であることとを示し、
【数１８】
0006440827.tif 000020
はPHICHのgroup量であり、
Ngroup1はオフセットである。
【００２１】
本発明の実施形態の第2の態様はユーザ機器を提供し、ユーザ機器は、
基地局によって送信された制御メッセージを受信するよう構成されたメッセージ受信ユニットであって、制御メッセージはユーザ機器と基地局との間で伝送されるデータに対応するTTI長を判断するために使われる、メッセージ受信ユニットと、
制御メッセージに従ってユーザ機器と基地局との間で伝送されるデータに対応するTTI長を判断するよう構成された長さ判断ユニットと、
TTI長に従って基地局とのデータ伝送を遂行するよう構成されたデータ伝送ユニットと
を含む。
【００２２】
第2の態様の第1の可能な実装様態において、
メッセージ受信ユニットは、
基地局によって送信された第1の制御メッセージを受信するよう具体的に構成され、第1の制御メッセージはデータ伝送のための対応するTTI長を指示するために使われ、
長さ判断ユニットは、
第1の制御メッセージに従ってデータ伝送のための対応するTTI長を判断するよう具体的に構成される。
【００２３】
第2の態様の第2の可能な実装様態において、
メッセージ受信ユニットは、
基地局によって送信された第2の制御メッセージを受信するよう具体的に構成され、第2の制御メッセージは伝送時間間隔TTI識別子に対応するTTI長を通知するために使われ、尚且つメッセージ受信ユニットは、
基地局によって送信された第3の制御メッセージを受信するよう具体的に構成され、第3の制御メッセージはTTI識別子を含むダウンリンク制御情報であり、TTI識別子はデータ伝送のための対応するTTI長を指示するために使われ、
長さ判断ユニットは、
TTI識別子に従ってデータ伝送のための対応するTTI長を判断するよう具体的に構成される。
【００２４】
第2の態様の第3の可能な実装様態において、
メッセージ受信ユニットは、
上位層シグナリングを用いて基地局によって送信された第2の制御メッセージを受信するよう具体的に構成され、第4の制御メッセージはRNTIスクランブル様態に対応するTTI長を通知するために使われ、尚且つメッセージ受信ユニットは、
物理層シグナリングを用いて基地局によって送信された第5の制御メッセージを受信するよう具体的に構成され、第5の制御メッセージのRNTIスクランブル様態はTTI長に対応し、
長さ判断ユニットは、
第5の制御メッセージに対しRNTIデスクランブルを遂行し、尚且つ第4の制御メッセージに対しRNTIデスクランブルを遂行する様態に従ってデータ伝送のための対応するTTI長を判断するよう具体的に構成される。
【００２５】
第2の態様の第4の可能な実装様態において、
メッセージ受信ユニットは、
基地局によって送信された第6の制御メッセージを受信するよう具体的に構成され、第6の制御メッセージは制御チャネルのタイプに対応するTTI長を通知するために使われ、尚且つメッセージ受信ユニットは、
制御チャネルを用いて基地局によって送信された第7の制御メッセージを受信するよう具体的に構成され、制御チャネルには少なくとも2つのタイプがあり、制御チャネルの様々なタイプは様々なTTI長に対応し、
長さ判断ユニットは、
第7の制御メッセージを受信する制御チャネルのタイプに従ってデータ伝送のための対応するTTI長を判断するよう具体的に構成される。
【００２６】
第2の態様、または第2の態様の第1から第4の可能な実装様態のいずれか1つを参照し、第2の態様の第5の可能な実装様態において、制御メッセージは上位層シグナリングか物理層シグナリングを用いて基地局によって送信される。
【００２７】
第2の態様、または第2の態様の第1から第4の可能な実装様態のいずれか1つを参照し、第2の態様の第6の可能な実装様態において、制御メッセージはTTI長に対応する伝送されるべきデータのタイプを使用することを指図するためにさらに使われる。
【００２８】
第2の態様、または第2の態様の第1から第4の可能な実装様態のいずれか1つを参照し、第2の態様の第7の可能な実装様態において、メッセージ受信ユニットは、
ユーザ機器により、基地局によって送信されたTTI設定パラメータを受信するようさらに構成され、TTI設定パラメータは、DCIスクランブル様態、TTI長タイプの指示情報、TTIに対応する測定用参照信号SRS設定パラメータ、TTIを使用するためのDM−RS設定情報、TTIを使用するためのSR設定情報、TTIを使用するためのフィードバックリソース設定情報、TTIを使用するためのフィードバックルール設定情報、TTIを使用するためのPDCCHリソース位置情報、TTIを使用するためのトランスポートブロックサイズTBS表設定情報、TTIを使用するためのリソーススケジューリング粒度情報、またはTTIを使用するためのEPDCCHリソース位置情報のいずれか1つ、または少なくとも2つの組み合わせを含む。
【００２９】
第2の態様、または第2の態様の第1から第4の可能な実装様態のいずれか1つを参照し、第2の態様の第8の可能な実装様態において、ユーザ機器は、
TTI長に従ってデータの送受ルールを判断するよう構成されたルール判断ユニットをさらに含み、様々なTTI長は様々な送受ルールに対応し、送受ルールは送信または受信時のサービスデータおよびフィードバック情報に対応するリソースとデータ伝送時間系列関係とを含み、
データ伝送ユニットは、
ユーザ機器により、判断された送受ルールに従ってデータを送受するようさらに構成される。
【００３０】
第2の態様の第8の可能な実装様態を参照し、第2の態様の第9の可能な実装様態において、ユーザ機器は、
ユーザ機器によって最後に伝送されたデータに対応するTTI長が変わるか否かを判断し、これが是である場合に、HARQバッファを空にし、尚且つその後判断された送受ルールに従ってデータを送受するステップを遂行するよう構成されたバッファ空化ユニットをさらに含む。
【００３１】
第2の態様の第8の可能な実装様態を参照し、第2の態様の第10の可能な実装様態において、ユーザ機器は、
フィードバック情報を伝送するためのフィードバックリソースを判断するよう構成されたフィードバックリソース判断ユニットをさらに含み、様々なTTI長に対応するフィードバック情報は様々なフィードバックリソースを使用し、フィードバックリソースはフィードバックリソースに対応する各TTI長に存在し、フィードバックリソースはPHICHチャネルリソースと、データを伝送するためのPRB番号と、データを伝送するためのフレーム番号またはサブフレーム番号とを含む。
【００３２】
第2の態様の第8の可能な実装様態を参照し、第2の態様の第11の可能な実装様態において、ユーザ機器は、
判断されたTTI長に対応するフィードバックリソースを使って基地局へチャネル品質指標CQIをフィードバックするよう構成された第1の符号化ユニットをさらに含み、それぞれのTTIでCQIに対し個別の符号化が遂行され、あるいはそれぞれのサブフレームに含まれるTTIでCQIに対し合同の符号化が遂行される。
【００３３】
第2の態様の第8の可能な実装様態を参照し、第2の態様の第12の可能な実装様態において、ユーザ機器は、
判断されたTTI長に対応するフィードバックリソースを使ってダウンリンクデータのアップリンクフィードバック情報を基地局へ送信するよう構成された第2の符号化ユニットをさらに含み、それぞれのTTIでアップリンクフィードバック情報に対し個別の符号化が遂行され、あるいはそれぞれのサブフレームに含まれるTTIでアップリンクフィードバック情報に対し合同の符号化が遂行される。
【００３４】
本発明の実施形態の第3の態様はユーザ機器を提供し、ユーザ機器は、
基地局によって送信されたブロードキャストメッセージを受信するよう構成されたブロードキャスト受信ユニットであって、ブロードキャストメッセージは第2のTTIに対応するランダムアクセスチャネルRACHリソースとプリアンブルpreambleとを含み、第2のTTIはTTI長の1タイプであり、第1のTTIと第2のTTIとがあり、第1のTTIは第2のTTIより大きい、ブロードキャスト受信ユニットと、
ユーザ機器が第2のTTIをサポートする場合に、第2のTTIに対応するRACHリソースとpreambleとを使ってランダムアクセスを遂行するよう構成されたアクセスユニットと
を含む。
【００３５】
本発明の実施形態の第4の態様は基地局を提供し、基地局は、
ユーザ機器へ制御メッセージを送信するよう構成された送信ユニットを含み、制御メッセージはユーザ機器と基地局との間で伝送されるデータに対応するRTT長を判断するために使われ、ユーザ機器はRTT長に従って基地局とのデータ伝送を遂行する。
【００３６】
第4の態様の第1の可能な実装様態を参照し、制御メッセージは第1の制御メッセージを含み、第1の制御メッセージはデータ伝送のための対応するRTT長を指示するために使われる。
【００３７】
第4の態様の第2の可能な実装様態において、制御メッセージは、
第2の制御メッセージと第3の制御メッセージとを含み、
第2の制御メッセージは往復時間RTT識別子に対応するRTT長を通知するために使われ、第3の制御メッセージはRTT識別子を含み、RTT識別子はデータ伝送のための対応するRTT長を指示するために使われる。
【００３８】
第4の態様の第3の可能な実装様態において、制御メッセージは、
第4の制御メッセージと第5の制御メッセージとを含み、
第4の制御メッセージはRNTIスクランブル様態に対応するRTT長を通知するために使われ、第5の制御メッセージのRNTIスクランブル様態はRTT長に対応する。
【００３９】
第4の態様の第4の可能な実装様態において、制御メッセージは、
第6の制御メッセージと第7の制御メッセージとを含み、
第6の制御メッセージは制御チャネルのタイプに対応するRTT長を通知するために使われ、第7の制御メッセージは様々な制御チャネルを用いて送信される制御メッセージであり、制御チャネルには少なくとも2つのタイプがあり、制御チャネルの様々なタイプは様々なRTT長に対応する。
【００４０】
第4の態様、または第4の態様の第1から第4の可能な実装様態のいずれか1つを参照し、第4の態様の第5の可能な実装様態において、制御メッセージは上位層シグナリングか物理層シグナリングを用いて基地局によって送信される。
【００４１】
第4の態様、または第4の態様の第1から第4の可能な実装様態のいずれか1つを参照し、第4の態様の第6の可能な実装様態において、制御メッセージはRTT長に個別に対応する伝送されるべきデータのタイプを使用することを指図するためにさらに使われる。
【００４２】
本発明の実施形態の第5の態様は基地局を提供し、基地局は、
ユーザ機器へ制御メッセージを送信するよう構成されたメッセージ送信ユニットを含み、制御メッセージはユーザ機器と基地局との間で伝送されるデータに対応するTTI長を判断するために使われ、ユーザ機器はTTI長に従って基地局とのデータ伝送を遂行する。
【００４３】
第5の態様の第1の可能な実装様態において、制御メッセージは第1の制御メッセージを含み、第1の制御メッセージはデータ伝送のための対応するTTI長を指示するために使われる。
【００４４】
第5の態様の第2の可能な実装様態において、制御メッセージは、
第2の制御メッセージと第3の制御メッセージとを含み、
第2の制御メッセージはTTI識別子に対応するTTI長を通知するために使われ、第3の制御メッセージはTTI識別子を含み、TTI識別子はデータ伝送のための対応するTTI長を指示するために使われる。
【００４５】
第5の態様の第3の可能な実装様態において、制御メッセージは、
第4の制御メッセージと第5の制御メッセージとを含み、
第4の制御メッセージはRNTIスクランブル様態に対応するTTI長を通知するために使われ、第5の制御メッセージのRNTIスクランブル様態はTTI長に対応する。
【００４６】
第5の態様の第4の可能な実装様態において、制御メッセージは、
第6の制御メッセージと第7の制御メッセージとを含み、
第6の制御メッセージは制御チャネルのタイプに対応するRTT長を通知するために使われ、第7の制御メッセージは様々な制御チャネルを用いて送信される制御メッセージであり、制御チャネルには少なくとも2つのタイプがあり、制御チャネルの様々なタイプは様々なTTI長に対応する。
【００４７】
第5の態様、または第5の態様の第1から第4の可能な実装様態のいずれか1つを参照し、第5の態様の第5の可能な実装様態において、制御メッセージは上位層シグナリングか物理層シグナリングを用いて基地局によって送信される。
【００４８】
第5の態様、または第5の態様の第1から第4の可能な実装様態のいずれか1つを参照し、第5の態様の第6の可能な実装様態において、制御メッセージは様々なTTI長に個別に対応する伝送されるべきデータのタイプを使用することを指図するためにさらに使われる。
【００４９】
本発明の実施形態の第6の態様は基地局を提供し、基地局は、
ユーザ機器へブロードキャストメッセージを送信するよう構成されたブロードキャストメッセージ送信ユニットを含み、これに応じてユーザ機器はブロードキャストメッセージ内のTTI長とユーザ機器のTTI能力とに従って対応するRACHリソースと対応するpreambleとを使ってランダムアクセスを遂行し、ブロードキャストメッセージは第2のTTIに対応するランダムアクセスチャネルRACHリソースとpreambleとを含み、第2のTTIはTTI長の1タイプであり、第1のTTIと第2のTTIとがあり、第1のTTIは第2のTTIより大きい。
【００５０】
本発明の実施形態の第7の態様はデータ伝送方法を提供し、データ伝送方法は、
ユーザ機器により、基地局によって送信された制御メッセージを受信するステップであって、制御メッセージはユーザ機器と基地局との間で伝送されるデータに対応するRTT長を判断するために使われる、受信するステップと、
ユーザ機器により、制御メッセージに従ってユーザ機器と基地局との間で伝送されるデータに対応する往復時間RTT長を判断するステップと、
ユーザ機器により、RTT長に従って基地局とのデータ伝送を遂行するステップと
を含む。
【００５１】
第7の態様の第1の可能な実装様態において、ユーザ機器により、基地局によって送信された制御メッセージを受信するステップは、
ユーザ機器により、基地局によって送信された第1の制御メッセージを受信するステップを含み、第1の制御メッセージはデータ伝送のための対応するRTT長を指示するために使われ、
ユーザ機器により、制御メッセージに従ってユーザ機器と基地局との間で伝送されるデータに対応するRTT長を判断するステップは、
ユーザ機器により、第1の制御メッセージに従ってデータ伝送のための対応するRTT長を判断するステップを含む。
【００５２】
第7の態様の第2の可能な実装様態において、ユーザ機器により、基地局によって送信された制御メッセージを受信するステップは、
ユーザ機器により、基地局によって送信された第2の制御メッセージを受信するステップであって、第2の制御メッセージはRTT識別子に対応するRTT長を通知するために使われる、受信するステップと、
ユーザ機器により、基地局によって送信された第3の制御メッセージを受信するステップであって、第3の制御メッセージはRTT識別子を含み、RTT識別子はデータ伝送のための対応するRTT長を指示するために使われる、受信するステップと
を含み、
ユーザ機器により、制御メッセージに従ってユーザ機器と基地局との間で伝送されるデータに対応するRTT長を判断するステップは、
ユーザ機器により、RTT識別子に従ってデータ伝送のための対応するRTT長を判断するステップを含む。
【００５３】
第7の態様の第3の可能な実装様態において、ユーザ機器により、基地局によって送信された制御メッセージを受信するステップは、
ユーザ機器により、基地局によって送信された第4の制御メッセージを受信するステップであって、第4の制御メッセージはRNTIスクランブル様態に対応するRTT長を通知するために使われる、受信するステップと、
ユーザ機器により、基地局によって送信された第5の制御メッセージを受信するステップであって、第5の制御メッセージのRNTIスクランブル様態はRTT長に対応する、受信するステップと
を含み、
ユーザ機器により、制御メッセージに従ってユーザ機器と基地局との間で伝送されるデータに対応するRTT長を判断するステップは、
ユーザ機器により、第5の制御メッセージに対しRNTIデスクランブルを遂行するステップと、第4の制御メッセージに対しRNTIデスクランブルを遂行する様態に従ってデータ伝送のための対応するRTT長を判断するステップとを含む。
【００５４】
第7の態様の第4の可能な実装様態において、ユーザ機器により、基地局によって送信された制御メッセージを受信するステップは、
ユーザ機器により、基地局によって送信された第6の制御メッセージを受信するステップであって、第6の制御メッセージは制御チャネルのタイプに対応するRTT長を通知するために使われる、受信するステップと、
ユーザ機器により、制御チャネルを用いて基地局によって送信された第7の制御メッセージを受信するステップであって、制御チャネルには少なくとも2つのタイプがあり、制御チャネルの様々なタイプは様々なRTT長に対応する、受信するステップと
を含み、
ユーザ機器により、制御メッセージに従ってユーザ機器と基地局との間で伝送されるデータに対応するRTT長を判断するステップは、
ユーザ機器により、第7の制御メッセージを受信する制御チャネルのタイプに従ってデータ伝送のための対応するRTT長を判断するステップを含む。
【００５５】
第7の態様、または第7の態様の第1から第4の可能な実装様態のいずれか1つを参照し、第7の態様の第5の可能な実装様態において、制御メッセージは上位層シグナリングか物理層シグナリングを用いて基地局によって送信される。
【００５６】
第7の態様、または第7の態様の第1から第4の可能な実装様態のいずれか1つを参照し、第7の態様の第6の可能な実装様態において、制御メッセージはRTT長に個別に対応する伝送されるべきデータのタイプを使用することを指図するためにさらに使われる。
【００５７】
第7の態様、または第7の態様の第1から第4の可能な実装様態のいずれか1つを参照し、第7の態様の第7の可能な実装様態において、ユーザ機器により、RTT長に従って基地局とのデータ伝送を遂行するステップの前に、方法は、
ユーザ機器により、RTT長に従って基地局とのデータ伝送を遂行するためのリソースを判断するステップを含み、ユーザ機器と基地局は様々なリソースを使って様々なRTT長に対応するデータを互いに伝送し、
ユーザ機器により、RTT長に従って基地局とのデータ伝送を遂行するステップは、
ユーザ機器により、リソースを使って基地局とのデータ伝送を遂行するステップを含む。
【００５８】
第7の態様の第7の可能な実装様態を参照し、第7の態様の第8の可能な実装様態において、データの伝送がフィードバック情報の伝送である場合、ユーザ機器により、RTT長に従って基地局とのデータ伝送を遂行するためのリソースを判断するステップは、
フィードバック情報の伝送に使われるリソースを計算する際に、RTT識別子によって指示されるRTT長に従って、RTT長に対応するオフセットを加えるステップを含む。
【００５９】
第7の態様の第8の可能な実装様態を参照し、第7の態様の第9の可能な実装様態において、オフセットは上位層シグナリングを用いて基地局によって通知され、あるいは物理層シグナリングメッセージの中で設定される。
【００６０】
第7の態様の第8の可能な実装様態を参照し、第7の態様の第10の可能な実装様態において、フィードバック情報の伝送がダウンリンクデータのアップリンクフィードバックである場合、フィードバック情報の伝送に使われるリソースを計算する際に、RTT識別子によって指示されるRTT長に従って、RTT長に対応するオフセットを加えるステップは具体的には、
ユーザ機器により、フィードバックの周波数領域リソースが次式を満たすことを判断するステップであり、ここで
【数１９】
0006440827.tif 000021
はポート0に対応する周波数領域リソース位置であり、
【数２０】
0006440827.tif 000022
はポート1に対応する周波数領域リソース位置であり、
伝送にPDCCHが使われる場合は式1および式2が満たされ、
式1：
【数２１】
0006440827.tif 000023
および
式2：
【数２２】
0006440827.tif 000024
ここで
nCCEはダウンリンクデータをスケジュールするダウンリンクデータのスケジューリングコマンドによって占められる物理ダウンリンク制御チャネルPDCCHの最低の、最高の、または特定の制御チャネル要素CCE位置であり、
【数２３】
0006440827.tif 000025
は物理アップリンク制御チャネルPUCCHの周波数領域開始位置であり、offsetはオフセットであって整数であり、あるいは
EPDCCHが使われ、尚且つEPDCCH伝送が分散伝送である場合は、式3および式4が満たされ、
式3：
【数２４】
0006440827.tif 000026
および
式4：
【数２５】
0006440827.tif 000027
あるいは
EPDCCHが使われ、尚且つEPDCCH伝送が集中伝送である場合は、式5および式6が満たされ、
式5：
【数２６】
0006440827.tif 000028
および
式6：
【数２７】
0006440827.tif 000029
ここで
nECCE，qはダウンリンクデータをスケジュールするダウンリンクデータのスケジューリングコマンドによって占められる改良物理ダウンリンク制御チャネルEPDCCHによって使われるEPDCCH−PRB−set qの最低の、最高の、または特定の制御チャネル要素CCE位置であり、
【数２８】
0006440827.tif 000030
は上位層シグナリングを用いて設定されるパラメータであり、ΔARQは物理層制御シグナリングを用いて通知されるパラメータであり、
【数２９】
0006440827.tif 000031
はEPDCCH−PRB−set qにおける各PRBのCCEの数量であり、n’はアンテナポートによって判断され、offsetはオフセットであって整数である。
【００６１】
第7の態様の第8の可能な実装様態を参照し、第7の態様の第11の可能な実装様態において、フィードバック情報の伝送がアップリンクデータのダウンリンクフィードバックである場合、フィードバック情報の伝送に使われるリソースを計算する際に、RTT識別子によって指示されるRTT長に従って、RTT長に対応するオフセットを加えるステップは具体的には、
ユーザ機器により、フィードバックのリソース
【数３０】
0006440827.tif 000032
が式7および式8を満たすことを判断するステップであり、ここで
【数３１】
0006440827.tif 000033
は物理的ハイブリッド自動再送要求指示チャネルPHICHのグループ番号であり、
【数３２】
0006440827.tif 000034
はグループ番号に対応するグループにおける直交シーケンス番号であり、
式7は
【数３３】
0006440827.tif 000035
であり
式8は
【数３４】
0006440827.tif 000036
であり、ここで
nDMRSは最近のPDCCHでアップリンクDCIを用いて指示される復調参照信号DMRS領域の循環シフトマッピングであり、
【数３５】
0006440827.tif 000037
はPHICHの拡散因子であり、
IPRB＿RAは第1のコードワードがアップリンクDCIによって指示されるPUSCHの最も低いPRBインデックスであることと、第2のコードワードがアップリンクDCIによって指示されるPUSCHの最も低いPRBインデックス＋1であることとを示し、
【数３６】
0006440827.tif 000038
はPHICHのgroup量であり、
Ngroup1はオフセットである。
【００６２】
本発明の実施形態の第8の態様はデータ伝送方法を提供し、データ伝送方法は、
ユーザ機器により、基地局によって送信された制御メッセージを受信するステップであって、制御メッセージはユーザ機器と基地局との間で伝送されるデータに対応するRTT長を判断するために使われる、受信するステップと、
ユーザ機器により、制御メッセージに従ってユーザ機器と基地局との間で伝送されるデータに対応するTTI長を判断するステップと、
ユーザ機器により、TTI長に従って基地局とのデータ伝送を遂行するステップと
を含む。
【００６３】
第8の態様の第1の可能な実装様態において、ユーザ機器により、基地局によって送信された制御メッセージを受信するステップは、
ユーザ機器により、基地局によって送信された第1の制御メッセージを受信するステップを含み、第1の制御メッセージはデータ伝送のための対応するTTI長を指示するために使われ、
ユーザ機器により、制御メッセージに従ってユーザ機器と基地局との間で伝送されるデータに対応するTTI長を判断するステップは、
ユーザ機器により、第1の制御メッセージに従ってデータ伝送のための対応するTTI長を判断するステップを含む。
【００６４】
第8の態様の第2の可能な実装様態において、ユーザ機器により、基地局によって送信された制御メッセージを受信するステップは、
ユーザ機器により、基地局によって送信された第2の制御メッセージを受信するステップであって、第2の制御メッセージは伝送時間間隔TTI識別子に対応するTTI長を通知するために使われる、受信するステップと、
ユーザ機器により、基地局によって送信された第3の制御メッセージを受信するステップであって、第3の制御メッセージはTTI識別子を含むダウンリンク制御情報であり、TTI識別子はデータ伝送のための対応するTTI長を指示するために使われる、受信するステップと
を含み、
ユーザ機器により、制御メッセージに従ってユーザ機器と基地局との間で伝送されるデータに対応するTTI長を判断するステップは、
ユーザ機器により、TTI識別子に従ってデータ伝送のための対応するTTI長を判断するステップを含む。
【００６５】
第8の態様の第3の可能な実装様態において、ユーザ機器により、基地局によって送信された制御メッセージを受信するステップは、
ユーザ機器により、上位層シグナリングを用いて基地局によって送信された第2の制御メッセージを受信するステップであって、第4の制御メッセージはRNTIスクランブル様態に対応するTTI長を通知するために使われる、受信するステップと、
ユーザ機器により、物理層シグナリングを用いて基地局によって送信された第5の制御メッセージを受信するステップであって、第5の制御メッセージのRNTIスクランブル様態はTTI長に対応する、受信するステップと
を含み、
ユーザ機器により、制御メッセージに従ってユーザ機器と基地局との間で伝送されるデータに対応するTTI長を判断するステップは、
ユーザ機器により、第5の制御メッセージに対しRNTIデスクランブルを遂行するステップと、第4の制御メッセージに対しRNTIデスクランブルを遂行する様態に従ってデータ伝送のための対応するTTI長を判断するステップを含む。
【００６６】
第8の態様の第4の可能な実装様態において、ユーザ機器により、基地局によって送信された制御メッセージを受信するステップは、
ユーザ機器により、基地局によって送信された第6の制御メッセージを受信するステップであって、第6の制御メッセージは制御チャネルのタイプに対応するTTI長を通知するために使われる、受信するステップと、
ユーザ機器により、制御チャネルを用いて基地局によって送信された第7の制御メッセージを受信するステップであって、制御チャネルには少なくとも2つのタイプがあり、制御チャネルの様々なタイプは様々なTTI長に対応する、受信するステップと
を含み、
ユーザ機器により、制御メッセージに従ってユーザ機器と基地局との間で伝送されるデータに対応するTTI長を判断するステップは、
ユーザ機器により、第7の制御メッセージを受信する制御チャネルのタイプに従ってデータ伝送のための対応するTTI長を判断するステップを含む。
【００６７】
第8の態様、または第8の態様の第1から第4の可能な実装様態のいずれか1つを参照し、第8の態様の第5の可能な実装様態において、制御メッセージは上位層シグナリングか物理層シグナリングを用いて基地局によって送信される。
【００６８】
第8の態様、または第8の態様の第1から第4の可能な実装様態のいずれか1つを参照し、第8の態様の第6の可能な実装様態において、制御メッセージはTTI長に対応する伝送されるべきデータのタイプを使用することを指図するためにさらに使われる。
【００６９】
第8の態様、または第8の態様の第1から第4の可能な実装様態のいずれか1つを参照し、第8の態様の第7の可能な実装様態において、ユーザ機器により、ユーザ機器と基地局との間で伝送されるデータに対応するTTI長を判断するステップの前に、方法は、
ユーザ機器により、基地局によって送信されたTTI設定パラメータを受信するステップを含み、TTI設定パラメータは、DCIスクランブル様態、TTI長タイプの指示情報、TTIに対応する測定用参照信号SRS設定パラメータ、TTIを使用するためのDM−RS設定情報、TTIを使用するためのSR設定情報、TTIを使用するためのフィードバックリソース設定情報、TTIを使用するためのフィードバックルール設定情報、TTIを使用するためのPDCCHリソース位置情報、TTIを使用するためのトランスポートブロックサイズTBS表設定情報、TTIを使用するためのリソーススケジューリング粒度情報、またはTTIを使用するためのEPDCCHリソース位置情報のいずれか1つ、または少なくとも2つの組み合わせを含む。
【００７０】
第8の態様、または第8の態様の第1から第4の可能な実装様態のいずれか1つを参照し、第8の態様の第8の可能な実装様態において、ユーザ機器により、TTI長に従って基地局とのデータ伝送を遂行するステップの前に、方法は、
TTI長に従ってデータの送受ルールを判断するステップを含み、様々なTTI長は様々な送受ルールに対応し、送受ルールは送信または受信時のサービスデータおよびフィードバック情報に対応するリソースとデータ伝送時間系列関係とを含み、
ユーザ機器により、TTI長に従って基地局とのデータ伝送を遂行するステップは、
ユーザ機器により、判断された送受ルールに従ってデータを送受するステップを含む。
【００７１】
第8の態様の第8の可能な実装様態を参照し、第8の態様の第9の可能な実装様態において、判断された送受ルールに従ってデータを送受するステップの前に、方法は、
ユーザ機器により、ユーザ機器によって最後に伝送されたデータに対応するTTI長が変わるか否かを判断するステップと、これが是である場合に、HARQバッファを空にするステップと、その後判断された送受ルールに従ってデータを送受するステップを遂行するステップとを含む。
【００７２】
第8の態様の第8の可能な実装様態を参照し、第8の態様の第10の可能な実装様態において、データの伝送がフィードバック情報の伝送である場合、判断された送受ルールに従ってデータを送受するステップの前に、方法は、
フィードバック情報を伝送するためのフィードバックリソースを判断するステップを含み、様々なTTI長に対応するフィードバック情報は様々なフィードバックリソースを使用し、フィードバックリソースはフィードバックリソースに対応する各TTI長に存在し、フィードバックリソースはPHICHチャネルリソースと、データを伝送するためのPRB番号と、データを伝送するためのフレーム番号またはサブフレーム番号とを含む。
【００７３】
第8の態様の第8の可能な実装様態を参照し、第8の態様の第11の可能な実装様態において、フィードバック情報を伝送するためのフィードバックリソースを判断するステップの後に、方法は、
ユーザ機器により、判断されたTTI長に対応するフィードバックリソースを使って基地局へチャネル品質指標CQIをフィードバックするステップをさらに含み、それぞれのTTIでCQIに対し個別の符号化が遂行され、あるいはそれぞれのサブフレームに含まれるTTIでCQIに対し合同の符号化が遂行される。
【００７４】
第8の態様の第8の可能な実装様態を参照し、第8の態様の第12の可能な実装様態において、フィードバック情報を伝送するためのフィードバックリソースを判断するステップの後に、方法は、
ユーザ機器により、判断されたTTI長に対応するフィードバックリソースを使ってダウンリンクデータのアップリンクフィードバック情報を基地局へ送信するステップをさらに含み、それぞれのTTIでアップリンクフィードバック情報に対し個別の符号化が遂行され、あるいはそれぞれのサブフレームに含まれるTTIでアップリンクフィードバック情報に対し合同の符号化が遂行される。
【００７５】
本発明の実施形態の第9の態様はデータ伝送方法を提供し、データ伝送方法は、
ユーザ機器により、基地局によって送信されたブロードキャストメッセージを受信するステップであって、ブロードキャストメッセージは第2のTTIに対応するランダムアクセスチャネルRACHリソースとプリアンブルpreambleとを含み、第2のTTIはTTI長の1タイプであり、第1のTTIと第2のTTIとがあり、第1のTTIは第2のTTIより大きい、受信するステップと、
ユーザ機器が第2のTTIをサポートする場合に、ユーザ機器により、第2のTTIに対応するRACHリソースとpreambleとを使ってランダムアクセスを遂行するステップとを含む。
【００７６】
本発明の実施形態の第10の態様はデータ伝送方法を提供し、データ伝送方法は、
基地局により、ユーザ機器へ制御メッセージを送信するステップを含み、制御メッセージはユーザ機器と基地局との間で伝送されるデータに対応するRTT長を判断するために使われ、ユーザ機器はRTT長に従って基地局とのデータ伝送を遂行する。
【００７７】
第10の態様の第1の可能な実装様態を参照し、制御メッセージは第1の制御メッセージを含み、第1の制御メッセージはデータ伝送のための対応するRTT長を指示するために使われる。
【００７８】
第10の態様の第2の可能な実装様態において、制御メッセージは、
第2の制御メッセージと第3の制御メッセージとを含み、
第2の制御メッセージは往復時間RTT識別子に対応するRTT長を通知するために使われ、第3の制御メッセージはRTT識別子を含み、RTT識別子はデータ伝送のための対応するRTT長を指示するために使われる。
【００７９】
第10の態様の第3の可能な実装様態において、制御メッセージは、
第4の制御メッセージと第5の制御メッセージとを含み、
第4の制御メッセージはRNTIスクランブル様態に対応するRTT長を通知するために使われ、第5の制御メッセージのRNTIスクランブル様態はRTT長に対応する。
【００８０】
第10の態様の第4の可能な実装様態において、制御メッセージは、
第6の制御メッセージと第7の制御メッセージとを含み、
第6の制御メッセージは制御チャネルのタイプに対応するRTT長を通知するために使われ、第7の制御メッセージは様々な制御チャネルを用いて送信される制御メッセージであり、制御チャネルには少なくとも2つのタイプがあり、制御チャネルの様々なタイプは様々なRTT長に対応する。
【００８１】
第10の態様、または第10の態様の第1から第4の可能な実装様態のいずれか1つを参照し、第10の態様の第5の可能な実装様態において、制御メッセージは上位層シグナリングか物理層シグナリングを用いて基地局によって送信される。
【００８２】
第10の態様、または第10の態様の第1から第4の可能な実装様態のいずれか1つを参照し、第10の態様の第6の可能な実装様態において、制御メッセージはRTT長に個別に対応する伝送されるべきデータのタイプを使用することを指図するためにさらに使われる。
【００８３】
本発明の実施形態の第11の態様はデータ伝送方法を提供し、データ伝送方法は、
基地局により、ユーザ機器へ制御メッセージを送信するステップを含み、制御メッセージはユーザ機器と基地局との間で伝送されるデータに対応するTTI長を判断するために使われ、ユーザ機器はTTI長に従って基地局とのデータ伝送を遂行する。
【００８４】
第11の態様の第1の可能な実装様態を参照し、制御メッセージは第1の制御メッセージを含み、第1の制御メッセージはデータ伝送のための対応するTTI長を指示するために使われる。
【００８５】
第11の態様の第2の可能な実装様態において、制御メッセージは、
第2の制御メッセージと第3の制御メッセージとを含み、
第2の制御メッセージはTTI識別子に対応するTTI長を通知するために使われ、第3の制御メッセージはTTI識別子を含み、TTI識別子はデータ伝送のための対応するTTI長を指示するために使われる。
【００８６】
第11の態様の第3の可能な実装様態において、制御メッセージは、
第4の制御メッセージと第5の制御メッセージとを含み、
第4の制御メッセージはRNTIスクランブル様態に対応するTTI長を通知するために使われ、第5の制御メッセージのRNTIスクランブル様態はTTI長に対応する。
【００８７】
第11の態様の第4の可能な実装様態において、制御メッセージは、
第6の制御メッセージと第7の制御メッセージとを含み、
第6の制御メッセージは制御チャネルのタイプに対応するTTI長を通知するために使われ、第7の制御メッセージは様々な制御チャネルを用いて送信される制御メッセージであり、制御チャネルには少なくとも2つのタイプがあり、制御チャネルの様々なタイプは様々なTTI長に対応する。
【００８８】
第11の態様、または第11の態様の第1から第4の可能な実装様態のいずれか1つを参照し、第11の態様の第5の可能な実装様態において、制御メッセージは上位層シグナリングか物理層シグナリングを用いて基地局によって送信される。
【００８９】
第11の態様、または第11の態様の第1から第4の可能な実装様態のいずれか1つを参照し、第11の態様の第6の可能な実装様態において、制御メッセージは様々なTTI長に個別に対応する伝送されるべきデータのタイプを使用することを指図するためにさらに使われる。
【００９０】
本発明の実施形態の第12の態様はデータ伝送方法を提供し、データ伝送方法は、
基地局により、ユーザ機器へブロードキャストメッセージを送信するステップを含み、これに応じてユーザ機器はブロードキャストメッセージ内のTTI長とユーザ機器のTTI能力とに従って対応するRACHリソースと対応するpreambleとを使ってランダムアクセスを遂行し、ブロードキャストメッセージは第2のTTIに対応するランダムアクセスチャネルRACHリソースとpreambleとを含み、第2のTTIはTTI長の1タイプであり、第1のTTIと第2のTTIとがあり、第1のTTIは第2のTTIより大きい。
【００９１】
前述した技術的解決手段から本発明の実施形態に下記の利点があることが分かるであろう。
【００９２】
本発明の実施形態でユーザ機器は基地局によって送信された制御メッセージを受信でき、ユーザ機器は制御メッセージに従って基地局とのデータ伝送を遂行するためのRTT長またはTTI長を判断でき、対応するRTT長またはTTI長に適したデータ送受様態で基地局とのデータ伝送をさらに遂行できる。したがって、データ伝送過程で異なるRTT長や異なるTTI長によって生じる衝突問題は解決される。
【００９３】
本発明の実施形態や先行技術の技術的解決手段をより明確に説明するため、実施形態の説明に必要な添付の図面を簡潔に説明する。当然ながら、ここで説明する添付の図面は本発明のいくつかの実施形態を示すもに過ぎず、当業者なら創造的な取り組みをせずとも添付の図面をもとにして別の図面を作り出すことができる。
【図面の簡単な説明】
【００９４】
【図１】本発明の一実施形態によるデータ伝送方法の概略流れ図である。
【図２】本発明の一実施形態によるデータ伝送方法の別の概略流れ図である。
【図３】本発明の一実施形態によるデータ伝送方法の別の概略流れ図である。
【図４】本発明の一実施形態によるデータ伝送方法の別の概略流れ図である。
【図５】本発明の一実施形態によるデータ伝送方法の別の概略流れ図である。
【図６】本発明の一実施形態によるデータ伝送フレームの概略図である。
【図７】本発明の一実施形態によるデータ伝送方法の別の概略流れ図である。
【図８】本発明の一実施形態によるデータ伝送方法の別の概略流れ図である。
【図９】本発明の一実施形態によるデータ伝送方法の別の概略流れ図である。
【図１０】本発明の一実施形態によるデータ伝送方法の別の概略流れ図である。
【図１１】本発明の一実施形態によるデータ伝送方法の別の概略流れ図である。
【図１２】本発明の一実施形態によるデータ伝送方法の別の概略流れ図である。
【図１３】本発明の一実施形態によるデータ伝送方法の別の概略流れ図である。
【図１４】本発明の一実施形態によるデータ伝送方法の別の概略流れ図である。
【図１５】本発明の一実施形態によるデータ伝送方法の別の概略流れ図である。
【図１６】本発明の一実施形態によるユーザ機器の概略構造図である。
【図１７】本発明の一実施形態によるユーザ機器の別の概略構造図である。
【図１８】本発明の一実施形態によるユーザ機器の別の概略構造図である。
【図１９】本発明の一実施形態によるデータ伝送方法に基づくコンピュータ装置の概略構造図である。
【発明を実施するための形態】
【００９５】
図1を参照し、本発明の一実施形態におけるデータ伝送方法は下記ステップを含む。
【００９６】
101．ユーザ機器は基地局によって送信された制御メッセージを受信する。
【００９７】
ユーザ機器は基地局によって送信された制御メッセージを受信する。具体的に述べると、制御メッセージは、基地局とのデータ伝送を遂行するため、ユーザ機器と基地局との間で伝送されるデータに対応するRTT長を判断するために使われる。
【００９８】
具体的な応用において、制御メッセージは、上位層シグナリングを用いて送信される制御メッセージを、例えば無線リソース制御（RRC、Radio Resource Control）設定メッセージを、含んでよく、あるいは物理層シグナリングを用いて送信される制御メッセージを、例えばダウンリンク制御情報（DCI、Downlink Control Information）メッセージを、含んでよい。一例として述べると、上位層シグナリングは専用シグナリングとブロードキャストメッセージとを含む。
【００９９】
具体的に述べると、RTT長は上位層シグナリングを用いて送信される制御メッセージによって直接指示されてよく、あるいはRTT長のタイプが上位層シグナリングを用いて送信される制御メッセージによって指示され、その後、使用すべき特定タイプのRTT長が物理層シグナリングを用いて送信される制御メッセージによって指示される。
【０１００】
102．ユーザ機器は制御メッセージに従ってユーザ機器と基地局との間で伝送されるデータに対応するRTT長を判断する。
【０１０１】
ユーザ機器は制御メッセージに従ってユーザ機器と基地局との間で伝送されるデータに対応するRTT長を判断する。
【０１０２】
RTT長は、特定の時間値を用いて、例えば4msを用いて、指示されてよく、あるいはTTIの数量を用いて、例えば8個のTTIを用いて、指示されてよく、あるいはOFDMシンボルの数量を用いて、例えば20個のOFDMシンボルを用いて、指示されてよい。RTT長の具体的な表現と実装は実情に応じて判断されてよく、ここで限定されないことは理解できるであろう。
【０１０３】
RTT長に2つ以上のタイプがあり得ることは理解できるであろう。一例として述べると、制御メッセージは1タイプのRTT長を指示してよく、これを踏まえてユーザ機器は対応するデータの送信または受信にどのタイプのRTTが使われるかを判断する。任意に選べることとして、制御メッセージは2タイプ以上のRTT長を指示してよく、これを踏まえてユーザ機器は2タイプのRTTが個別に対応するデータの送信または受信を判断する。実際の応用では制御メッセージの実装様態が実情に応じて判断されてよく、ここでは具体的に限定されない。
【０１０４】
103．ユーザ機器はRTT長に従って基地局とのデータ伝送を遂行する。
【０１０５】
ユーザ機器はRTT長に従って基地局とのデータ伝送を遂行する。具体的に述べると、ユーザ機器が基地局とのデータ伝送を遂行することは、ユーザ機器が基地局によって送信されたサービスデータを受信することと、ユーザ機器が基地局へサービスデータを送信することと、ユーザ機器が基地局へフィードバック情報を送信することと、ユーザ機器が基地局によって送信されたフィードバック情報を受信することとを含む。具体的に述べると、フィードバック情報はHARQフィードバックを含んでよい。例えば、基地局によって送信されたサービスデータを受信した後にユーザ機器はサービスデータのHARQフィードバックを基地局へ送信し、あるいは基地局へサービスデータを送信した後にユーザ機器は基地局によって送信されるサービスデータのHARQフィードバックを受信する。
【０１０６】
本発明の本実施形態でユーザ機器は基地局によって送信された制御メッセージを受信でき、ユーザ機器は制御メッセージに従って基地局とのデータ伝送を遂行するためのRTT長を判断でき、対応するRTT長に適したデータ送信または受信様態で基地局とのデータ伝送をさらに遂行できる。したがって、データ伝送過程で異なるRTT長によって生じる衝突問題は解決される。
【０１０７】
実際の応用ではユーザ機器が様々な様態でRTT長を判断してよい。具体的には図2〜図4の後述する実施形態を参照されたい。
【０１０８】
基地局はRTT長を指示するため第1の制御メッセージを直接使用してよい。本発明の一実施形態におけるデータ伝送方法の別の実施形態は下記ステップを含む。
【０１０９】
201．ユーザ機器は基地局によって送信された第1の制御メッセージを受信する。
【０１１０】
ユーザ機器は基地局によって送信された第1の制御メッセージを受信し、第1の制御メッセージはデータを伝送するための対応するRTT長を指示するために使われる。具体的に述べると、データはユーザ機器によって現在伝送されるべきデータを指す。
【０１１１】
一例として述べると、第1の制御メッセージは上位層シグナリングか物理層シグナリングを用いて送信されてよい。
【０１１２】
202．ユーザ機器は第1の制御メッセージに従ってデータ伝送のための対応するRTT長を判断する。
【０１１３】
ユーザ機器は第1の制御メッセージに従ってデータ伝送のための対応するRTT長を判断する。
【０１１４】
さらに、第1の制御メッセージはRTT長に個別に対応する伝送されるべきデータのタイプを使用することを指図するためにさらに使われてよい。第1の制御メッセージを使ってRTT長が初めて設定された後、ユーザ機器は様々なデータとRTT長との対応表を保管する。ユーザ機器と基地局が互いにデータを伝送する際に、ユーザ機器はデータのタイプに従って現在のデータ送信または受信に使われるべきRTT長を対応表で検索してよい。基地局が別のときに上位層シグナリングを用いて様々なデータとRTT長との対応を更新しない前に、ユーザ機器は基地局とのデータ伝送を遂行するたびに対応表を使ってRTT長を判断してよい。
【０１１５】
具体的に述べると、データのタイプは様々な論理チャネルを用いて表現されてよく、この場合はRTT長を用いることによって論理チャネル番号識別子に対応してよく、あるいは
データのタイプは様々な論理チャネルグループを用いて表現されてよく、この場合はRTT長を用いることによって論理チャネルグループ識別子に対応してよく、あるいは
データのタイプは様々な無線ベアラを用いて表現されてよく、この場合はRTT長を用いることによって無線ベアラ識別子に対応してよく、あるいは
データのタイプは様々なデータフローを用いて表現されてよく、この場合はRTT長を用いることによってデータフロー番号識別子に対応してよい。様々なデータフローは様々なIPアドレスを有するデータフローであってよく、あるいは様々な「IPアドレスおよびポート番号」を有するデータフローであってよい。
【０１１６】
前述したデータタイプとRTT長との対応が1対1、1対多、または多対1であってよいことは理解できるであろう。これは本発明の本実施形態で具体的に限定されない。
【０１１７】
様々なRTT長に個別に対応する伝送されるべきデータのタイプを使用することを指図する役割を単独で果たすため、基地局が別の制御メッセージをさらに使ってよいことは理解できるであろう。例えば、基地局は、第1の制御メッセージを送信する前に、様々なRTT長に個別に対応する伝送されるべきデータのタイプを使用することを別の制御メッセージを使って指図する。具体的な実装様態は実情に応じて判断されてよく、ここでは具体的に限定されない。
【０１１８】
任意に選べることとして、ユーザ機器のために複数のキャリアが設定される場合は、異なるキャリアで異なるRTT長を使用してよい。この場合は様々なデータタイプが様々なキャリアに対応すると理解されてよい。
【０１１９】
さらに、基地局間マルチストリームアグリゲーションシナリオでは基地局が前述したキャリアの代わりになってもよい。実装方法は同様であり、ここでは詳細を繰り返し説明しない。
【０１２０】
203．ユーザ機器はRTT長に従って基地局とのデータ伝送を遂行する。
【０１２１】
ユーザ機器はRTT長に従って基地局とのデータ伝送を遂行する。具体的に述べると、ユーザ機器が基地局とのデータ伝送を遂行することは、ユーザ機器が基地局によって送信されたサービスデータを受信することと、ユーザ機器が基地局へサービスデータを送信することと、ユーザ機器が基地局へフィードバック情報を送信することと、ユーザ機器が基地局によって送信されたフィードバック情報を受信することとを含む。具体的に述べると、フィードバック情報はHARQフィードバックを含んでよい。例えば、基地局によって送信されたサービスデータを受信した後にユーザ機器はサービスデータのHARQフィードバックを基地局へ送信し、あるいは基地局へサービスデータを送信した後にユーザ機器は基地局によって送信されるサービスデータのHARQフィードバックを受信する。
【０１２２】
基地局は、RTT長を指示するため、第2の制御メッセージで搬送されるRTT識別子を使用する。図3を参照し、本発明の一実施形態におけるデータ伝送方法の別の実施形態は下記ステップを含む。
【０１２３】
301．ユーザ機器は基地局によって送信された第2の制御メッセージを受信する。
【０１２４】
ユーザ機器は基地局によって送信された第2の制御メッセージを受信し、第2の制御メッセージはRTT識別子に対応するRTT長を通知するために使われる。
【０１２５】
一例として述べると、第2の制御メッセージは上位層シグナリングを用いて基地局によって送信されてよい。
【０１２６】
さらに、第2の制御メッセージはRTT長に対応する伝送されるべきデータのタイプを使用することを指図するためにさらに使われてよい。
【０１２７】
具体的に述べると、データのタイプは様々な論理チャネルを用いて表現されてよく、この場合はRTT長を用いることによって論理チャネル番号識別子に対応してよく、あるいは
データのタイプは様々な論理チャネルグループを用いて表現されてよく、この場合はRTT長を用いることによって論理チャネルグループ識別子に対応してよく、あるいは
データのタイプは様々な無線ベアラを用いて表現されてよく、この場合はRTT長を用いることによって無線ベアラ識別子に対応してよく、あるいは
データのタイプは様々なデータフローを用いて表現されてよく、この場合はRTT長を用いることによってデータフロー番号識別子に対応してよい。様々なデータフローは様々なIPアドレスを有するデータフローであってよく、あるいは様々なIPアドレスと様々なポート番号とを有するデータフローであってよい。
【０１２８】
前述したデータタイプとRTT長との対応が1対1、1対多、または多対1であってよいことは理解できるであろう。これは本発明の本実施形態で具体的に限定されない。
【０１２９】
任意に選べることとして、ユーザ機器のために複数のキャリアが設定される場合は、異なるキャリアで異なるRTT長を使用してよい。この場合は様々なデータタイプが様々なキャリアに対応すると理解されてよい。
【０１３０】
さらに、基地局間マルチストリームアグリゲーションシナリオでは基地局が前述したキャリアの代わりになってもよい。実装方法は同様であり、ここでは詳細を繰り返し説明しない。
【０１３１】
302．ユーザ機器は基地局によって送信された第3の制御メッセージを受信する。
【０１３２】
ユーザ機器は物理層シグナリングを用いて基地局によって送信された第3の制御メッセージを受信し、第3の制御メッセージはRTT識別子を含み、RTT識別子はデータ伝送のための対応するRTT長を指示するために使われる。
【０１３３】
一例として述べると、第3の制御メッセージは物理層シグナリングを用いて基地局によって送信されてよい。さらに、第3の制御メッセージはDCIメッセージであってよい。
【０１３４】
一例として述べると、第3の制御メッセージは新たに規定されたDCIメッセージであってよく、RTT長を指示するために使われるRTT識別子（shortenRTTIndicator）はDCIメッセージに加えられる。
【０１３５】
303．ユーザ機器はRTT識別子に従ってデータ伝送のための対応するRTT長を判断する。
【０１３６】
ユーザ機器はRTT識別子に従ってデータ伝送のための対応するRTT長を判断する。
【０１３７】
一例として述べると、RTT長には2つのタイプがあり、2つのタイプはそれぞれ第1のRTTと第2のRTTであり、第1のRTTの長さは第2のRTTの長さより大きいと仮定する。RTT識別子はshortenRTTIndicatorによって指示され、shortenRTTIndicator＝0ならデータ伝送のための対応するRTT長が第1のRTTであると判断され、shortenRTTIndicator＝1ならデータ伝送のための対応するRTT長が第2のRTTであると判断され、第2のRTTに対応するデータ送受ルールが使用される。あるいは、RTT識別子がRTT長を直接指示する。これは本発明の本実施形態で具体的に限定されない。
【０１３８】
304．ユーザ機器はRTT長に従って基地局とのデータ伝送を遂行する。
【０１３９】
ユーザ機器はRTT長に従って基地局とのデータ伝送を遂行する。具体的に述べると、ユーザ機器が基地局とのデータ伝送を遂行することは、ユーザ機器が基地局によって送信されたサービスデータを受信することと、ユーザ機器が基地局へサービスデータを送信することと、ユーザ機器が基地局へフィードバック情報を送信することと、ユーザ機器が基地局によって送信されたフィードバック情報を受信することとを含む。具体的に述べると、フィードバック情報はHARQフィードバックを含んでよい。例えば、基地局によって送信されたサービスデータを受信した後にユーザ機器はサービスデータのHARQフィードバックを基地局へ送信し、あるいは基地局へサービスデータを送信した後にユーザ機器は基地局によって送信されるサービスデータのHARQフィードバックを受信する。
【０１４０】
一例として述べると、RTT長が第1のRTTであると判断される場合は第1のRTTに対応するデータ送受ルールが使用され、あるいはRTT長が第2のRTTであると判断される場合は第2のRTTに対応するデータ送受ルールが使用される。
【０１４１】
さらに、第2の制御メッセージが様々なRTT長に個別に対応する伝送されるべきデータのタイプを使用することを指図する場合、ユーザ機器はRTT長に対応するタイプのデータを伝送する。
【０１４２】
任意に選べることとして、ユーザ機器のために複数のキャリアが設定される場合は、異なるキャリアで異なるRTT長を使用してよい。この場合は様々なデータタイプが様々なキャリアに対応すると理解されてよい。
【０１４３】
基地局は、RTT長を指示するため、第5の制御メッセージの無線ネットワーク仮識別子（RNTI、Radio Network Temporary Identifier）スクランブルまたはデスクランブル様態とRTT長との照合関係をさらに使ってよい。図4を参照し、本発明の一実施形態におけるデータ伝送方法の別の実施形態は下記ステップを含む。
【０１４４】
401．ユーザ機器は基地局によって送信された第4の制御メッセージを受信する。
【０１４５】
ユーザ機器は基地局によって送信された第4の制御メッセージを受信し、第4の制御メッセージはRNTIスクランブルまたはデスクランブル様態に対応するRTT長を通知するために使われる。
【０１４６】
一例として述べると、第4の制御メッセージは上位層シグナリングを用いて基地局によって送信されてよい。
【０１４７】
一例として述べると、様々なRTT長は様々なRNTIスクランブルまたはデスクランブル様態に対応する。
【０１４８】
さらに、第4の制御メッセージはRTT長に対応する伝送されるべきデータのタイプを使用することを指図するためにさらに使われてよい。
【０１４９】
具体的に述べると、データのタイプは様々な論理チャネルを用いて表現されてよく、この場合はRTT長を用いることによって論理チャネル番号識別子に対応してよく、あるいは
データのタイプは様々な論理チャネルグループを用いて表現されてよく、この場合はRTT長を用いることによって論理チャネルグループ識別子に対応してよく、あるいは
データのタイプは様々な無線ベアラを用いて表現されてよく、この場合はRTT長を用いることによって無線ベアラ識別子に対応してよく、あるいは
データのタイプは様々なデータフローを用いて表現されてよく、この場合はRTT長を用いることによってデータフロー番号識別子に対応してよい。様々なデータフローは様々なIPアドレスを有するデータフローであってよく、あるいは様々なIPアドレスと様々なポート番号とを有するデータフローであってよい。
【０１５０】
前述したデータタイプとRTT長との対応が1対1、1対多、または多対1であってよいことは理解できるであろう。これは本発明の本実施形態で具体的に限定されない。
【０１５１】
任意に選べることとして、ユーザ機器のために複数のキャリアが設定される場合は、異なるキャリアで異なるRTT長を使用してよい。この場合は様々なデータタイプが様々なキャリアに対応すると理解されてよい。
【０１５２】
さらに、基地局間マルチストリームアグリゲーションシナリオでは基地局が前述したキャリアの代わりになってもよい。実装方法は同様であり、ここでは詳細を繰り返し説明しない。
【０１５３】
402．ユーザ機器は基地局によって送信された第5の制御メッセージを受信する。
【０１５４】
ユーザ機器は基地局によって送信された第5の制御メッセージを受信する。さらに、第5の制御メッセージはDCIメッセージであってよい。
【０１５５】
一例として述べると、第5の制御メッセージは物理層シグナリングを用いて基地局によって送信されてよい。さらに、第5の制御メッセージはDCIメッセージであってよい。
【０１５６】
実際の応用では、様々なRTT長を区別するため、基地局側は様々なRNTIスクランブラ様態でDCIメッセージをスクランブルしてよい。
【０１５７】
一例として述べると、第5の制御メッセージは新たに規定されたDCIメッセージであってよい。shortenRTTが第2のRTTであるなら、新たなRNTI（つまり第4の制御メッセージを用いて通知されるRTT長に対応するRNTI）がスクランブルに使われる。PDCCHで新たなDCIメッセージが伝送され、ユーザ機器は、DCIメッセージを受信する際に、第4の制御メッセージを使って通知されたRTT長に対応するRNTIを使って第5の制御メッセージをデスクランブルする。
【０１５８】
403．ユーザ機器は第4の制御メッセージを使って通知されたRTT長に対応するRNTIを使って第5の制御メッセージをデスクランブルする。
【０１５９】
ユーザ機器は第5の制御メッセージに対しRNTIデスクランブルを遂行し、尚且つ第5の制御メッセージに対しRNTIデスクランブルを遂行する様態に従ってデータ伝送のための対応するRTT長を判断する。
【０１６０】
一例として述べると、RTT長には2つのタイプがあり、2つのタイプはそれぞれ第1のRTTと第2のRTTであり、第1のRTTの長さは第2のRTTの長さより大きいと仮定する。第1のRNTIを使ってDCIに対して遂行されるデスクランブルが成功する場合は、データ伝送のための対応するRTT長が第1のRTTであると判断され、第2のRNTIを使ってDCIに対して遂行されるデスクランブルが成功する場合は、データ伝送のための対応するRTT長が第2のRTTであると判断される。
【０１６１】
404．ユーザ機器はRTT長に従って基地局とのデータ伝送を遂行する。
【０１６２】
ユーザ機器はRTT長に従って基地局とのデータ伝送を遂行する。具体的に述べると、ユーザ機器が基地局とのデータ伝送を遂行することは、ユーザ機器が基地局によって送信されたサービスデータを受信することと、ユーザ機器が基地局へサービスデータを送信することと、ユーザ機器が基地局へフィードバック情報を送信することと、ユーザ機器が基地局によって送信されたフィードバック情報を受信することとを含む。具体的に述べると、フィードバック情報はHARQフィードバックを含んでよい。例えば、基地局によって送信されたサービスデータを受信した後にユーザ機器はサービスデータのHARQフィードバックを基地局へ送信し、あるいは基地局へサービスデータを送信した後にユーザ機器は基地局によって送信されるサービスデータのHARQフィードバックを受信する。
【０１６３】
一例として述べると、第1のRNTI（つまり長いRTTに対応するデスクランブル様態）を用いてDCIに対して遂行されるデスクランブルが成功する場合は第1のRTTに対応するデータ送受ルールが使用され、第2のRNTI（つまり短いRTTに対応するデスクランブル様態）を用いてDCIに対して遂行されるデスクランブルが成功する場合は第2のRTTに対応するデータ送受ルールが使用される。
【０１６４】
基地局は、RTT長を指示するため、制御チャネルのタイプとRTT長との対応をさらに使用してよい。図5を参照し、本発明の一実施形態におけるデータ伝送方法の別の実施形態は下記ステップを含む。
【０１６５】
501．ユーザ機器は基地局によって送信された第6の制御メッセージを受信する。
【０１６６】
ユーザ機器は基地局によって送信された第6の制御メッセージを受信し、第6の制御メッセージは制御チャネルのタイプに対応するRTT長を通知するために使われる。
【０１６７】
具体的に述べると、制御チャネルの様々なタイプは様々なチャネルリソースを有する制御チャネルを指示し、チャネルリソースは時間領域リソースと周波数領域リソースとを含む。
【０１６８】
一例として述べると、時間領域における様々なチャネルリソースは様々なTTI、様々なタイムスロット、様々なOFDMシンボル、様々なサブフレーム、様々な無線フレーム等であってよく、本発明の本実施形態で具体的に限定されない。周波数領域における様々なチャネルリソースは様々なサブキャリア、様々な物理的リソースブロック、様々なコンポーネントキャリア等であってよく、本発明の本実施形態で具体的に限定されない。
【０１６９】
一例として述べると、第6の制御メッセージは上位層シグナリングを用いて基地局によって送信されてよい。
【０１７０】
さらに、第6の制御メッセージはRTT長に個別に対応する伝送されるべきデータのタイプを使用することを指図するためにさらに使われてよい。
【０１７１】
具体的に述べると、データのタイプは様々な論理チャネルを用いて表現されてよく、この場合はRTT長を用いることによって論理チャネル番号識別子に対応してよく、あるいは
データのタイプは様々な論理チャネルグループを用いて表現されてよく、この場合はRTT長を用いることによって論理チャネルグループ識別子に対応してよく、あるいは
データのタイプは様々な無線ベアラを用いて表現されてよく、この場合はRTT長を用いることによって無線ベアラ識別子に対応してよく、あるいは
データのタイプは様々なデータフローを用いて表現されてよく、この場合はRTT長を用いることによってデータフロー番号識別子に対応してよい。様々なデータフローは様々なIPアドレスを有するデータフローであってよく、あるいは様々なIPアドレスと様々なポート番号とを有するデータフローであってよい。
【０１７２】
前述したデータタイプとRTT長との対応が1対1、1対多、または多対1であってよいことは理解できるであろう。これは本発明の本実施形態で具体的に限定されない。
【０１７３】
任意に選べることとして、ユーザ機器のために複数のキャリアが設定される場合は、異なるキャリアで異なるRTT長を使用してよい。この場合は様々なデータタイプが様々なキャリアに対応すると理解されてよい。
【０１７４】
さらに、基地局間マルチストリームアグリゲーションシナリオでは基地局が前述したキャリアの代わりになってもよい。実装方法は同様であり、ここでは詳細を繰り返し説明しない。
【０１７５】
502．ユーザ機器は制御チャネルを用いて基地局によって送信された第7の制御メッセージを受信する。
【０１７６】
ユーザ機器は制御チャネルを用いて基地局によって送信された第7の制御メッセージを受信する。一例として述べると、第7の制御メッセージは物理層シグナリングを用いて基地局によって送信されてよい。さらに、第7の制御メッセージはDCIメッセージであってよい。制御チャネルには少なくとも2つのタイプがあり、制御チャネルの様々なタイプは様々なRTT長に対応する。
【０１７７】
具体的に述べると、制御チャネルの様々なタイプは様々なチャネルリソースを有する制御チャネルを指示し、チャネルリソースは時間領域リソースと周波数領域リソースとを含む。
【０１７８】
503．ユーザ機器は第7の制御メッセージを受信する制御チャネルのタイプに従ってデータ伝送のための対応するRTT長を判断する。
【０１７９】
ユーザ機器は制御メッセージを受信する制御チャネルのタイプに従ってデータ伝送のための対応するRTT長を判断する。
【０１８０】
一例として述べると、RTT長には2つのタイプがあり、2つのタイプはそれぞれ第1のRTTと第2のRTTであり、第1のRTTの長さは第2のRTTの長さより大きいと仮定する。さらに、制御チャネルは物理ダウンリンク制御チャネル（PDCCH、Physical Downlink Control channel）であってよく、あるいは改良物理ダウンリンク制御チャネル（EPDCCH、Enhanced Physical Downlink Control channel）であってよい。例えば、PDCCHは第1のRTTに対応し、EPDCCHは第2のRTTに対応する。つまり、DCIメッセージが第2のRTTに対応するEPDCCHで検出される場合は現在のデータ伝送のRTT長が第2のRTTであると判断され、DCIメッセージがPDCCHで検出される場合は現在のデータ伝送のRTT長が第1のRTTであると判断される。さらに、PDCCHでsymbol 0およびsymbol 1は第1のRTTに対応し、第3のsymbolは第2のRTTに対応し、あるいはEPDCCHでサブキャリアn〜mまたはPRB n〜mは第1のRTTに対応し、サブキャリアi〜kまたはPRB i〜kは第2のRTTに対応する。
【０１８１】
実際の応用でRTTに2つ以上のタイプがある場合は、データをスケジュールするためより多くの制御チャネルが設計される必要がある。例えば、各TTIの第1のN個のシンボル（Nは0以上）でPDCCHは要件に従って設計され、および／またはデータをスケジュールするため新たなEPDCCHが設計される。例えば、各TTIのM番目からN番目のサブキャリアまたはPRB（Mは0以上、Nは0以上、NはM以上）でEPDCCHは要件に従って設計され、ユーザ機器はPDCCHとEPDCCHとをリスンすることによってデータを伝送する。
【０１８２】
504．ユーザ機器はRTT長に従って基地局とのデータ伝送を遂行する。
【０１８３】
ユーザ機器はRTT長に従って基地局とのデータ伝送を遂行する。具体的に述べると、ユーザ機器が基地局とのデータ伝送を遂行することは、ユーザ機器が基地局によって送信されたサービスデータを受信することと、ユーザ機器が基地局へサービスデータを送信することと、ユーザ機器が基地局へフィードバック情報を送信することと、ユーザ機器が基地局によって送信されたフィードバック情報を受信することとを含む。具体的に述べると、フィードバック情報はHARQフィードバックを含んでよい。例えば、基地局によって送信されたサービスデータを受信した後にユーザ機器はサービスデータのHARQフィードバックを基地局へ送信し、あるいは基地局へサービスデータを送信した後にユーザ機器は基地局によって送信されるサービスデータのHARQフィードバックを受信する。
【０１８４】
前述した実施形態が別々に実装されてよいこと、あるいは合同で実装されてよいことは理解できるであろう。これは本発明の実施形態で具体的に限定されない。
【０１８５】
実際の応用では無線ネットワークにおけるデータパケットの送信と伝送との間にタイミング関係があり、ネットワーク側はハードウェア改善の前後に存在する2タイプのRTTのシナリオを検討する必要がある。図6に見られるように、RTTが8msであるシナリオでは瞬時nに送信されるデータパケットの場合にフィードバックが瞬時n＋4に受信され、RTTが4msであるシナリオでは、処理遅延が低減されるため、瞬時nに送信されるデータパケットの場合にフィードバックは瞬時n＋2に受信される。このため、ネットワークに2つの異なるタイプのRTT長がある場合は、現在の伝送メカニズムによるアップリンクフィードバックとダウンリンクフィードバックの両方で衝突が生じる可能性がある。ダウンリンクフィードバックの場合、ダウンリンクフィードバックの伝送はPUCCHで送られる。図6に見られるように、normal RTTのHARQプロセス0に使われるPDCCHリソースがshorten RTTのHARQプロセス2でDCI送信のときに使われるPDCCHリソースと同じである場合は、HARQプロセス0のフィードバックがHARQプロセス2のフィードバックと衝突する。
【０１８６】
このため、本発明の一実施形態ではデータ伝送のためのリソースの計算様態に改良がなされる。図7を参照し、データ伝送方法の別の実施形態は本発明の一実施形態であり、下記ステップを含む。
【０１８７】
701．ユーザ機器は基地局によって送信された制御メッセージを受信する。
【０１８８】
ユーザ機器は基地局によって送信された制御メッセージを受信する。具体的に述べると、制御メッセージはユーザ機器と基地局とによるデータ伝送のRTT長を指示するために使われる。
【０１８９】
702．ユーザ機器は制御メッセージに従ってユーザ機器と基地局との間で伝送されるデータに対応するRTT長を判断する。
【０１９０】
ユーザ機器は制御メッセージに従ってユーザ機器と基地局との間で伝送されるデータに対応するRTT長を判断する。一例として述べると、第1のRTTと第2のRTTがあってよく、第1のRTTは第2のRTTより大きい。
【０１９１】
RTT長は、特定の時間値を用いて、例えば4msを用いて、指示されてよく、あるいはTTIの数量を用いて、例えば8個のTTIを用いて、指示されてよく、あるいはOFDMシンボルの数量を用いて、例えば20個のOFDMシンボルを用いて、指示されてよい。RTT長の具体的な表現と実装は実情に応じて判断されてよく、ここで限定されないことは理解できるであろう。
【０１９２】
RTT長に2つ以上のタイプがあり得ることは理解できるであろう。一例として述べると、RTT長に2つのタイプがあり得る場合、制御メッセージは1タイプのRTT長を指示してよく、これを踏まえてユーザ機器は対応するデータの送信または受信にどのタイプのRTTが使われるかを判断する。任意に選べることとして、制御メッセージは2タイプのRTT長を指示してよく、これを踏まえてユーザ機器は2タイプのRTTが個別に対応するデータの送信または受信を判断する。実際の応用では制御メッセージの実装様態が実情に応じて判断されてよく、ここでは具体的に限定されない。
【０１９３】
703．ユーザ機器はRTT長に従って基地局とのデータ伝送を遂行するためのリソースを判断する。
【０１９４】
ユーザ機器はRTT長に従って基地局とのデータ伝送を遂行するためのリソースを判断し、ユーザ機器と基地局は様々なリソースを使って様々なRTT長に対応するデータを互いに伝送する。
【０１９５】
実際の応用では、データの送信または受信に使われるリソースの計算時にRTT識別子によって指示されるRTT長に従ってTTI長に対応するオフセットが加えられる。
【０１９６】
一例として述べると、フィードバック情報の伝送がダウンリンクデータのアップリンクフィードバックである場合、ユーザ機器はフィードバックの周波数領域リソースが次式を満たすことを判断し、ここで
【数３７】
0006440827.tif 000039
はポート0に対応する周波数領域リソース位置であり、
【数３８】
0006440827.tif 000040
はポート1に対応する周波数領域リソース位置である。
【０１９７】
伝送にPDCCHが使われる場合は式1および式2が満たされ、
式1：
【数３９】
0006440827.tif 000041
および
式2：
【数４０】
0006440827.tif 000042
ここで
nCCEはダウンリンクデータをスケジュールするダウンリンクデータのスケジューリングコマンドによって占められる物理ダウンリンク制御チャネルPDCCHの最低の、最高の、または特定の制御チャネル要素CCE位置であり、
【数４１】
0006440827.tif 000043
は物理アップリンク制御チャネルPUCCHの周波数領域開始位置であり、offsetはオフセットであって整数である。
【０１９８】
具体的に述べると、本発明の本実施形態ではポート0とポート1の周波数領域リソースの計算様態のみ説明する。ただし、実際の応用では多数のポートがあり得、具体的な計算様態については式2を参照できる。つまり、ポートnの周波数領域リソースが計算されるなら
【数４２】
0006440827.tif 000044
となる。
【０１９９】
実際の応用では、オフセットが上位層シグナリングを用いて基地局によって通知され、あるいはDCIメッセージの中で設定される。具体的に述べると、オフセットはDCIの「HARQ−ACK resource offset領域」で設定されてよい。
【数４３】
0006440827.tif 000045
とoffsetは1つのパラメータに組み合わされてよく、このパラメータはオフセットによりPUCCHの周波数領域開始位置を表す。
【０２００】
さらに、フィードバック情報の伝送がダウンリンクデータのアップリンクフィードバックである場合に、EPDCCHが使われ、尚且つEPDCCH伝送が分散伝送である場合は、フィードバックリソースの計算は式3および式4を満たし、
式3：
【数４４】
0006440827.tif 000046
および
式4：
【数４５】
0006440827.tif 000047
あるいは
フィードバック情報の伝送がダウンリンクデータのアップリンクフィードバックである場合に、EPDCCHが使われ、尚且つEPDCCH伝送が集中伝送である場合は、フィードバックリソースの計算は式5および式6を満たし、
式5：
【数４６】
0006440827.tif 000048
および
式6：
【数４７】
0006440827.tif 000049
ここで
nECCE，qはダウンリンクデータをスケジュールするダウンリンクデータのスケジューリングコマンドによって占められる改良物理ダウンリンク制御チャネルEPDCCHによって使われるEPDCCH−PRB−set qの最低の、最高の、または特定の制御チャネル要素CCE位置であり、
【数４８】
0006440827.tif 000050
は上位層シグナリングを用いて設定されるパラメータであり、ΔARQは物理層制御シグナリングを用いて通知されるパラメータであり、
【数４９】
0006440827.tif 000051
はEPDCCH−PRB−set qにおける各PRBのCCEの数量であり、n’はアンテナポートによって判断され、offsetはオフセットであって整数である。
【０２０１】
一例として述べると、フィードバック情報の伝送がアップリンクデータのダウンリンクフィードバックである場合は、データの送信または受信に使われるリソースの計算時に、ユーザ機器はフィードバックのリソース
【数５０】
0006440827.tif 000052
が式7および式8を満たすことを判断し、ここで
【数５１】
0006440827.tif 000053
は物理的ハイブリッド自動再送要求指示チャネルPHICHのグループ番号であり、
【数５２】
0006440827.tif 000054
はグループ番号に対応するグループにおける直交シーケンス番号であり、
式7は
【数５３】
0006440827.tif 000055
であり
式8は
【数５４】
0006440827.tif 000056
であり、ここで
nDMRSは最近のPDCCHでアップリンクDCIを用いて指示される復調参照信号DMRS領域の循環シフトマッピングであり、
【数５５】
0006440827.tif 000057
はPHICHの拡散因子であり、
IPRB＿RAは第1のコードワードがアップリンクDCIによって指示されるPUSCHの最も低いPRBインデックスであることと、第2のコードワードがアップリンクDCIによって指示されるPUSCHの最も低いPRBインデックス＋1であることとを示し、
【数５６】
0006440827.tif 000058
はPHICHのgroup量であり、
Ngroup1はオフセットである。
【０２０２】
704．ユーザ機器はリソースを使って基地局とのデータ伝送を遂行する。
【０２０３】
本発明の本実施形態や前述した各実施形態が別々に実装されてよいこと、あるいは合同で実装されてよいことは理解できるであろう。これは本発明の実施形態で具体的に限定されない。
【０２０４】
本発明の本実施形態では、データの送信または受信に使われるリソースの計算時にRTT識別子によって指示されるRTT長に従ってRTT長に対応するオフセットが加えられる。このため、2タイプのRTTに対応するデータの伝送シナリオで2タイプのRTTに対応するデータは周波数領域リソースで互い違いに配置でき、2タイプのデータ間の衝突は回避される。
【０２０５】
無線通信システムではTTIを減らすことによって伝送遅延がさらに低減されてよい。同様に、実際の応用ではTTIに少なくとも2つのタイプがあってよい。このため、本発明の一実施形態は少なくとも2つのタイプのTTIが共存する通信メカニズムをさらに提供する。図8を参照し、本発明の一実施形態におけるデータ伝送方法の別の実施形態は下記ステップを含む。
【０２０６】
801．ユーザ機器はユーザ機器と基地局との間で伝送されるデータに対応するTTI長を判断する。
【０２０７】
ユーザ機器はユーザ機器と基地局との間で伝送されるデータに対応するTTI長を判断する。具体的に述べると、TTI長には少なくとも2つのタイプがある。
【０２０８】
実際の応用ではユーザ機器が多数の様態でTTI長を判断し、具体的な様態は以降の実施形態で個別に説明される。
【０２０９】
802．ユーザ機器はTTI長に従って基地局とのデータ伝送を遂行する。
【０２１０】
ユーザ機器はTTI長に従って基地局とのデータ伝送を遂行する。具体的に述べると、ユーザ機器が基地局とのデータ伝送を遂行することは、ユーザ機器が基地局によって送信されたサービスデータを受信することと、ユーザ機器が基地局へサービスデータを送信することと、ユーザ機器が基地局へフィードバック情報を送信することと、ユーザ機器が基地局によって送信されたフィードバック情報を受信することとを含む。具体的に述べると、フィードバック情報はHARQフィードバックを含んでよい。例えば、基地局によって送信されたサービスデータを受信した後にユーザ機器はサービスデータのHARQフィードバックを基地局へ送信し、あるいは基地局へサービスデータを送信した後にユーザ機器は基地局によって送信されるサービスデータのHARQフィードバックを受信する。
【０２１１】
本発明の本実施形態において、ユーザ機器は基地局とのデータ伝送のTTI長を判断し、対応するTTI長に適したデータ送信または受信様態で基地局とのデータ伝送を遂行してよい。このため、データ伝送過程で異なるTTI長によって生じる衝突問題は解決される。
【０２１２】
図9を参照し、本発明の一実施形態におけるデータ伝送方法の別の実施形態は下記ステップを含む。
【０２１３】
901．ユーザ機器は基地局によって送信されたTTI設定パラメータを受信する。
【０２１４】
ユーザ機器は、ユーザ機器と基地局との間で伝送されるデータに対応するTTI長を判断する前に、基地局によって送信されるTTI設定パラメータを受信する。具体的に述べると、TTI設定パラメータは上位層シグナリングを用いて基地局によって送信される制御メッセージの中で設定されてよい。
【０２１５】
ユーザ機器は基地局によって送信されたTTI設定パラメータを受信し、TTI設定パラメータは、DCIスクランブル様態、TTI長タイプの指示情報、TTIに対応する測定用参照信号（SRS、Sounding Reference Signal）設定パラメータ、TTIを使用するための復調参照信号（DM−RS、DeModulation RS）設定情報、TTIを使用するためのSR設定情報、TTIを使用するためのフィードバックリソース設定情報、TTIを使用するためのフィードバックルール設定情報、TTIを使用するためのPDCCHリソース位置情報、TTIを使用するためのトランスポートブロックサイズ（Transport Block Size、TBS）表設定情報、TTIを使用するためのリソーススケジューリング粒度情報、またはTTIを使用するためのEPDCCHリソース位置情報のいずれか1つ、または少なくとも2つの組み合わせを含む。
【０２１６】
TTI長には2つのタイプがあり、2つのタイプはそれぞれ第1のTTIと第2のTTIであり、第1のTTIの長さは第2のTTIの長さより大きいと仮定する。実際の応用で第1のTTIの設定パラメータはユーザ機器であらかじめ設定されてよく、あるいはプロトコルであらかじめ指定されてよく、そうであるなら本発明の本実施形態でユーザ機器によって受信されるTTI設定パラメータは第2のTTIの設定パラメータを具体的に指してよい。任意に選べることとして、第1のTTIの設定パラメータがあらかじめ設定されない場合、本発明の本実施形態でユーザ機器によって受信されるTTI設定パラメータは第1のTTIと第2のTTIの設定パラメータを含んでよい。
【０２１７】
新たに規定されたDM−RS（つまり第2のTTIに対応するDM−RS）の場合、DM−RS信号がそれぞれの第2のTTIに存在することはDM−RS設定情報で設定される。加えて、基地局は専用シグナリングを用いてユーザ機器に通知し、専用シグナリングはDM−RSの期間情報や符号化情報や位置情報といった必要情報を含む。
【０２１８】
ユーザ機器がSRSリソースで設定された第2のTTIでSRSを送信することと、基地局がSRSリソースで設定された第2のTTIでSRS測定を遂行することは、SRS設定情報で設定される。
【０２１９】
TBS表設定情報はユーザ機器の第2のTTIに対応するTBS表を指示してよく、TBS表はプロトコルで指定されてよく、あるいは設定メッセージを使って設定されてよい。
【０２２０】
リソーススケジューリング粒度情報は第2のTTIに対応する最小のスケジューリング粒度を指示してよく、例えば6個のPRBまたは10個のPRBを、さもなくば72個のサブキャリアまたは120個のサブキャリアを、指示してよい。TTIが減らされる場合は、スケジューリング粒度を増すことによってシグナリングオーバーヘッドを低減できる。
【０２２１】
902．ユーザ機器はユーザ機器と基地局との間で伝送されるデータに対応するTTI長を判断する。
【０２２２】
ユーザ機器はユーザ機器と基地局との間で伝送されるデータに対応するTTI長を判断する。具体的に述べると、TTI長には少なくとも2つのタイプがある。
【０２２３】
実際の応用ではユーザ機器が多数の様態でTTI長を判断し、具体的な様態は以降の実施形態で個別に説明される。
【０２２４】
903．ユーザ機器はTTI長に従ってデータの送受ルールを判断する。
【０２２５】
TTI長に従って基地局とのデータ伝送を遂行する前に、ユーザ機器はTTI長に従ってデータの送受ルールを判断してよく、様々なTTI長は様々な送受ルールに対応し、送受ルールは送信または受信時のサービスデータおよびフィードバック情報に対応するリソースとデータ伝送時間系列関係とを含む。
【０２２６】
一例として述べると、TTI長に2つのタイプがあり、2つのタイプはそれぞれ第1のTTIと第2のTTIであり、第1のTTIの長さが第2のTTIの長さより大きい場合、送受ルールは、第1の送信ルールと、第1の受信ルールと、第2の送信ルールと、第2の受信ルールとを含む。第1の送信ルールと第1の受信ルールは第1のTTIに対応する送受ルールであり、第2の送信ルールと第2の受信ルールは第2のTTIに対応する送受ルールである。
【０２２７】
実際の応用では送受ルールの具体的内容が上位層シグナリングを用いて基地局からユーザ機器へ送信されてよい。さらに、送受ルールはユーザ機器と基地局とによるデータ伝送を遂行するのに使われるリソースの計算様態を含んでよい。送受ルールが第1のTTIに対応する第1の送信ルールと第1の受信ルールである場合、リソースの計算様態は先行技術のそれと同じであってよい。送受ルールが第2のTTIに対応する第2の送信ルールと第2の受信ルールである場合、リソースは上位層シグナリングを用いて基地局によって通知される新たなリソースであってよく、あるいは基地局が新たな計算様態を通知してもよい。具体的な実装様態はここで限定されない。
【０２２８】
904．ユーザ機器はTTI長に従って基地局とのデータ伝送を遂行する。
【０２２９】
ユーザ機器はTTI長に従って基地局とのデータ伝送を遂行する。具体的に述べると、ユーザ機器が基地局とのデータ伝送を遂行することは、ユーザ機器が基地局によって送信されたサービスデータを受信することと、ユーザ機器が基地局へサービスデータを送信することと、ユーザ機器が基地局へフィードバック情報を送信することと、ユーザ機器が基地局によって送信されたフィードバック情報を受信することとを含む。具体的に述べると、フィードバック情報はHARQフィードバックを含んでよい。例えば、基地局によって送信されたサービスデータを受信した後にユーザ機器はサービスデータのHARQフィードバックを基地局へ送信し、あるいは基地局へサービスデータを送信した後にユーザ機器は基地局によって送信されるサービスデータのHARQフィードバックを受信する。
【０２３０】
一例として述べると、TTI長には2つのタイプがあり、2つのタイプはそれぞれ第1のTTIと第2のTTIであり、第1のTTIの長さが第2のTTIの長さより大きく、データの伝送がフィードバック情報の伝送である場合、
現在の伝送シナリオがユーザ機器によって遂行されるダウンリンク伝送であり、データに対応するTTI長が第1のTTIであると判断されるなら、データは第1の受信ルールを使って受信される。ユーザ機器はユーザ機器によって最後に伝送されたデータに対応するTTI長が変わるか否かを判断し、これが是である場合に、ユーザ機器はHARQバッファを空にし、その後第1の受信ルールを使ってデータを受信するステップを遂行し、あるいはこれが是であって、尚且つ以前のデータがデータ伝送に使われたHARQプロセスで正常に伝送されていない場合に、ユーザ機器は引き続きデータを再送してよい。第1の受信ルールを使ってデータを受信した後に、ユーザ機器は第1のTTIに対応する第1のフィードバックルールを使って基地局へデータをフィードバックする。
【０２３１】
現在の伝送シナリオがユーザ機器によって遂行されるダウンリンク伝送であり、データに対応するTTI長が第2のTTIであると判断されるなら、データは第2の受信ルールを使って受信される。ユーザ機器はユーザ機器によって最後に伝送されたデータに対応するTTI長が変わるか否かを判断し、これが是である場合に、ユーザ機器はHARQバッファを空にし、その後第2の受信ルールを使ってデータを受信するステップを遂行し、あるいはこれが是であって、尚且つ以前のデータがデータ伝送に使われたHARQプロセスで正常に伝送されていない場合に、ユーザ機器は引き続きデータを再送してよい。第2の受信ルールを使ってデータを受信した後に、ユーザ機器は第2のTTIに対応する第2のフィードバックルールを使って基地局へデータをフィードバックする。第1のフィードバックルールに対応する第1のフィードバックリソースは第2のフィードバックルールに対応する第2のフィードバックリソースと異なり、第2のフィードバックリソースはそれぞれの第2のTTI長に存在する。フィードバックリソースはPHICHチャネルリソースと、データを伝送するためのPRB番号と、データを伝送するためのフレーム番号またはサブフレーム番号とを含む。
【０２３２】
さらに、CQIのフィードバックの場合、ユーザ機器は判断されたTTI長に対応するフィードバックリソースを使ってチャネル品質指標CQIを基地局へフィードバックし、それぞれのTTIでCQIに対し個別の符号化が遂行され、あるいはそれぞれのサブフレームに含まれるTTIでCQIに対し合同の符号化が遂行される。
【０２３３】
アップリンクフィードバック情報のフィードバックの場合、ユーザ機器は判断されたTTI長に対応するフィードバックリソースを使って基地局へダウンリンクデータのアップリンクフィードバック情報を送信し、それぞれのTTIでアップリンクフィードバック情報に対し個別の符号化が遂行され、あるいはそれぞれのサブフレームに含まれるTTIでアップリンクフィードバック情報に対し合同の符号化が遂行される。
【０２３４】
現在の伝送シナリオがユーザ機器によって遂行されるアップリンク伝送であり、データに対応するTTI長が第1のTTIであると判断されるなら、データは第1の送信ルールを使って送信される。第1の送信ルールを使ってデータを送信する前に、ユーザ機器はユーザ機器によって最後に伝送されたデータに対応するTTI長が変わるか否かを判断し、これが是である場合に、ユーザ機器はHARQバッファを空にし、その後第1の送信ルールを使ってデータを送信するステップを遂行し、あるいはこれが是であって、尚且つ以前のデータがデータ伝送に使われたHARQプロセスで正常に伝送されていない場合に、ユーザ機器は引き続きデータを再送してよい。第1の送信ルールを使ってデータを送信した後に、ユーザ機器は第1のTTIに対応する第1のフィードバックルールを使って基地局へデータをフィードバックする。
【０２３５】
現在の伝送シナリオがユーザ機器によって遂行されるアップリンク伝送であり、データに対応するTTI長が第2のTTIであると判断されるなら、データは第2の送信ルールを使って送信される。第2の送信ルールを使ってデータを送信する前に、ユーザ機器はユーザ機器によって最後に伝送されたデータに対応するTTI長が変わるか否かを判断し、これが是である場合に、ユーザ機器はHARQバッファを空にし、その後第2の送信ルールを使ってデータを送信するステップを遂行し、あるいはこれが是であって、尚且つ以前のデータがデータ伝送に使われたHARQプロセスで正常に伝送されていない場合に、ユーザ機器は引き続きデータを再送してよい。第2の送信ルールを使ってデータを送信した後に、ユーザ機器は第2のTTIに対応する第2のフィードバックルールを使って基地局へデータをフィードバックする。第1のフィードバックルールに対応する第1のフィードバックリソースは第2のフィードバックルールに対応する第2のフィードバックリソースと異なり、第2のフィードバックリソースはそれぞれの第2のTTIに存在する。さらに、指示がTTIの変化を伝える場合にHARQバッファの中にデータがまだあるなら、伝送または再送が完了した後にTTI長は変更されてよい。
【０２３６】
実際の応用ではユーザ機器が様々な様態でTTI長を判断してよい。具体的には図10〜図13の後述する実施形態を参照されたい。
【０２３７】
尚、図9より後のTTIの実施形態で述べる制御メッセージはTTIの制御メッセージを指し、本願で前述したRTTの実施形態における制御メッセージとは異なる。同様に、以降の実施形態で述べる第1の制御メッセージや第2の制御メッセージ等もTTIの制御メッセージを指す。ただし、実際の応用ではTTIとRTTの制御情報や指示情報が同じ制御メッセージを使って送信されてよく、あるいは異なる制御メッセージを使って送信されてもよい。本発明の実施形態でfirst（第1）やsecond（第2）といった連番は異なる制御情報機能を区別するために使われており、実際の制御メッセージの数量や種類を限定するものとして解釈してはならない。
【０２３８】
基地局は、TTI長を指示するため、第1の制御メッセージを直接送信してよい。本発明の一実施形態におけるデータ伝送方法の別の実施形態は下記ステップを含む。
【０２３９】
1001．ユーザ機器は基地局によって送信された第1の制御メッセージを受信する。
【０２４０】
ユーザ機器は基地局によって送信された第1の制御メッセージを受信し、第1の制御メッセージはデータ伝送のための対応するTTI長を指示するために使われる。
【０２４１】
一例として述べると、第1の制御メッセージは上位層シグナリングか物理層シグナリングを用いて送信されてよい。
【０２４２】
1002．ユーザ機器は第1の制御メッセージに従ってデータ伝送のための対応するTTI長を判断する。
【０２４３】
ユーザ機器は第1の制御メッセージに従ってデータ伝送のための対応するTTI長を判断する。
【０２４４】
さらに、第1の制御メッセージはTTI長に個別に対応する伝送されるべきデータのタイプを使用することを指図するためにさらに使われてよい。第1の制御メッセージを使ってTTI長が初めて設定された後に、ユーザ機器は様々なデータとTTI長との対応表を保管する。ユーザ機器と基地局が互いにデータを伝送する際に、ユーザ機器はデータのタイプに従って現在のデータ送信または受信に使われるべきTTI長を対応表で検索してよい。基地局が別のときに上位層シグナリングを用いて様々なデータとTTI長との対応を更新するまでは、ユーザ機器は基地局とのデータ伝送を遂行するたびに対応表を使ってTTI長を判断してよい。
【０２４５】
具体的に述べると、データのタイプは様々な論理チャネルを用いて表現されてよく、この場合はTTI長を用いることによって論理チャネル番号識別子に対応してよく、あるいは
データのタイプは様々な論理チャネルグループを用いて表現されてよく、この場合はTTI長を用いることによって論理チャネルグループ識別子に対応してよく、あるいは
データのタイプは様々な無線ベアラを用いて表現されてよく、この場合はTTI長を用いることによって無線ベアラ識別子に対応してよく、あるいは
データのタイプは様々なデータフローを用いて表現されてよく、この場合はTTI長を用いることによってデータフロー番号識別子に対応してよい。様々なデータフローは様々なIPアドレスを有するデータフローであってよく、あるいは様々なIPアドレスと様々なポート番号とを有するデータフローであってよい。
【０２４６】
前述したデータタイプとTTI長との対応が1対1、1対多、または多対1であってよいことは理解できるであろう。これは本発明の本実施形態で具体的に限定されない。
【０２４７】
任意に選べることとして、ユーザ機器のために複数のキャリアが設定される場合は、異なるキャリアで異なるTTI長を使用してよい。この場合は様々なデータタイプが様々なキャリアに対応すると理解されてよい。
【０２４８】
さらに、基地局間マルチストリームアグリゲーションシナリオでは基地局が前述したキャリアの代わりになってもよい。実装方法は同様であり、ここでは詳細を繰り返し説明しない。
【０２４９】
様々なTTI長に個別に対応する伝送されるべきデータのタイプを使用することを指図する役割を単独で果たすため、基地局が別の制御メッセージをさらに使ってよいことは理解できるであろう。例えば、基地局は、第1の制御メッセージを送信する前に、様々なTTI長に個別に対応する伝送されるべきデータのタイプを使用することを別の制御メッセージを使って指図する。具体的な実装様態は実情に応じて判断されてよく、ここでは具体的に限定されない。
【０２５０】
1003．ユーザ機器はTTI長に従って基地局とのデータ伝送を遂行する。
【０２５１】
ユーザ機器はTTI長に従って基地局とのデータ伝送を遂行する。具体的に述べると、ユーザ機器が基地局とのデータ伝送を遂行することは、ユーザ機器が基地局によって送信されたサービスデータを受信することと、ユーザ機器が基地局へサービスデータを送信することと、ユーザ機器が基地局へフィードバック情報を送信することと、ユーザ機器が基地局によって送信されたフィードバック情報を受信することとを含む。具体的に述べると、フィードバック情報はHARQフィードバックを含んでよい。例えば、基地局によって送信されたサービスデータを受信した後にユーザ機器はサービスデータのHARQフィードバックを基地局へ送信し、あるいは基地局へサービスデータを送信した後にユーザ機器は基地局によって送信されるサービスデータのHARQフィードバックを受信する。
【０２５２】
実際の応用では、基地局によって送信される制御メッセージがTTI長とスケジューリング粒度との対応を指示するためにさらに使われてよい。制御メッセージはRRC設定メッセージであってよく、制御メッセージはTTI長とスケジューリング粒度との対応を含む。例えば、長いTTIは粗いスケジューリング粒度に対応し、短いTTIは細かいスケジューリング粒度に対応し、あるいは長いTTIは細かいスケジューリング粒度に対応し、短いTTIは粗いスケジューリング粒度に対応する。
【０２５３】
ユーザ端末は、前述した制御メッセージを受信した後に、制御メッセージによって指示されるTTI長とスケジューリング粒度との関係に従って、制御メッセージの指示が再び受信されるまで、通信を遂行する。例えば、制御メッセージは第1のTTI長のスケジューリング粒度がn個のTTIであると指示し、第2のTTI長のスケジューリング粒度がm個のTTIであると指示する。この場合、ユーザ端末が第1のTTI長を使って伝送を遂行するなら、第1のTTI長のスケジューリング粒度はnであり、すなわち伝送はスケジューリングコマンドが受信されるたびにn個のTTIで連続的に遂行されてよく、ユーザ端末が第2のTTI長を使って伝送を遂行するなら、第2のTTI長のスケジューリング粒度はmであり、すなわち伝送はスケジューリングコマンドが受信されるたびにm個のTTIで連続的に遂行されてよく、mとnは1より大きい整数である。
【０２５４】
基地局は、TTI長を指示するため、第2の制御メッセージで搬送されるTTI識別子を使用する。図11を参照し、本発明の一実施形態におけるデータ伝送方法の別の実施形態は下記ステップを含む。
【０２５５】
1101．ユーザ機器は基地局によって送信された第2の制御メッセージを受信する。
【０２５６】
ユーザ機器は基地局によって送信された第2の制御メッセージを受信し、第2の制御メッセージはTTI識別子に対応するTTI長を通知するために使われる。
【０２５７】
一例として述べると、第2の制御メッセージは上位層シグナリングを用いて基地局によって送信されてよい。
【０２５８】
さらに、第2の制御メッセージはTTI長に対応する伝送されるべきデータのタイプを使用することを指図するためにさらに使われてよい。
【０２５９】
具体的に述べると、データのタイプは様々な論理チャネルを用いて表現されてよく、この場合はTTI長を用いることによって論理チャネル番号識別子に対応してよく、あるいは
データのタイプは様々な論理チャネルグループを用いて表現されてよく、この場合はTTI長を用いることによって論理チャネルグループ識別子に対応してよく、あるいは
データのタイプは様々な無線ベアラを用いて表現されてよく、この場合はTTI長を用いることによって無線ベアラ識別子に対応してよく、あるいは
データのタイプは様々なデータフローを用いて表現されてよく、この場合はTTI長を用いることによってデータフロー番号識別子に対応してよい。様々なデータフローは様々なIPアドレスを有するデータフローであってよく、あるいは様々なIPアドレスと様々なポート番号とを有するデータフローであってよい。
【０２６０】
前述したデータタイプとTTI長との対応が1対1、1対多、または多対1であってよいことは理解できるであろう。これは本発明の本実施形態で具体的に限定されない。
【０２６１】
任意に選べることとして、ユーザ機器のために複数のキャリアが設定される場合は、異なるキャリアで異なるTTI長を使用してよい。この場合は様々なデータタイプが様々なキャリアに対応すると理解されてよい。
【０２６２】
さらに、基地局間マルチストリームアグリゲーションシナリオでは基地局が前述したキャリアの代わりになってもよい。実装方法は同様であり、ここでは詳細を繰り返し説明しない。
【０２６３】
さらに、第2の制御メッセージはTTI設定パラメータを含むメッセージであってよく、TTI設定パラメータは、DCIスクランブル様態、TTI長タイプの指示情報、TTIに対応するSRS設定パラメータ、TTIを使用するためのDM−RS設定情報、TTIを使用するためのSR設定情報、TTIを使用するためのフィードバックリソース設定情報、TTIを使用するためのフィードバックルール設定情報、TTIを使用するためのPDCCHリソース位置情報、TTIを使用するためのTBS表設定情報、TTIを使用するためのリソーススケジューリング粒度情報、またはTTIを使用するためのEPDCCHリソース位置情報のいずれか1つ、または少なくとも2つの組み合わせを含む。
【０２６４】
TTI長には2つのタイプがあり、2つのタイプはそれぞれ第1のTTIと第2のTTIであり、第1のTTIの長さは第2のTTIの長さより大きいと仮定する。実際の応用で第1のTTIの設定パラメータはユーザ機器であらかじめ設定されてよく、あるいはプロトコルであらかじめ指定されてよく、そうであるなら本発明の本実施形態でユーザ機器によって受信されるTTI設定パラメータは第2のTTIの設定パラメータを具体的に指してよい。任意に選べることとして、第1のTTIの設定パラメータがあらかじめ設定されない場合、本発明の本実施形態でユーザ機器によって受信されるTTI設定パラメータは第1のTTIと第2のTTIの設定パラメータを含んでよい。
【０２６５】
1102．ユーザ機器は物理層シグナリングを用いて基地局によって送信された第3の制御メッセージを受信する。
【０２６６】
ユーザ機器は物理層シグナリングを用いて基地局によって送信された第3の制御メッセージを受信し、第3の制御メッセージはTTI識別子を含み、TTI識別子はデータ伝送のための対応するTTI長を指示するために使われる。
【０２６７】
一例として述べると、第3の制御メッセージは物理層シグナリングを用いて基地局によって送信されてよい。さらに、第3の制御メッセージはDCIメッセージであってよい。
【０２６８】
一例として述べると、第3の制御メッセージは新たに規定されたDCIメッセージであってよく、TTI長を指示するために使われるTTI識別子（shortenTTI）はDCIメッセージに加えられる。
【０２６９】
1103．ユーザ機器はTTI識別子に従ってデータ伝送のための対応するTTI長を判断する。
【０２７０】
ユーザ機器はTTI識別子に従ってデータ伝送のための対応するTTI長を判断する。
【０２７１】
一例として述べると、TTI長には2つのタイプがあり、2つのタイプはそれぞれ第1のTTIと第2のTTIであり、第1のTTIの長さは第2のTTIの長さより大きいと仮定する。TTI識別子はshortenTTIによって指示され、shortenTTI＝0ならデータ伝送のための対応するTTI長が第1のTTIであると判断され、shortenTTI＝1ならデータ伝送のための対応するTTI長が第2のTTIであると判断され、第2のTTIに対応するデータ送受ルールが使用される。あるいは、TTI識別子がRRT長を直接指示する。これは本発明の本実施形態で具体的に限定されない。
【０２７２】
1104．ユーザ機器はTTI長に従って基地局とのデータ伝送を遂行する。
【０２７３】
ユーザ機器はTTI長に従って基地局とのデータ伝送を遂行する。具体的に述べると、ユーザ機器が基地局とのデータ伝送を遂行することは、ユーザ機器が基地局によって送信されたサービスデータを受信することと、ユーザ機器が基地局へサービスデータを送信することと、ユーザ機器が基地局へフィードバック情報を送信することと、ユーザ機器が基地局によって送信されたフィードバック情報を受信することとを含む。具体的に述べると、フィードバック情報はHARQフィードバックを含んでよい。例えば、基地局によって送信されたサービスデータを受信した後にユーザ機器はサービスデータのHARQフィードバックを基地局へ送信し、あるいは基地局へサービスデータを送信した後にユーザ機器は基地局によって送信されるサービスデータのHARQフィードバックを受信する。
【０２７４】
基地局は、TTI長を指示するため、第5の制御メッセージのRNTIスクランブルまたはデスクランブル様態とTTI長との照合関係をさらに使ってよい。図12を参照し、本発明の一実施形態におけるデータ伝送方法の別の実施形態は下記ステップを含む。
【０２７５】
1201．ユーザ機器は上位層シグナリングを用いて基地局によって送信された第4の制御メッセージを受信する。
【０２７６】
ユーザ機器は上位層シグナリングを用いて基地局によって送信された第4の制御メッセージを受信し、第4の制御メッセージはRNTIスクランブルまたはデスクランブル様態に対応するTTI長を通知するために使われる。
【０２７７】
一例として述べると、第4の制御メッセージは上位層シグナリングを用いて基地局によって送信されてよい。
【０２７８】
一例として述べると、様々なTTI長は様々なRNTIスクランブルまたはデスクランブル様態に対応する。
【０２７９】
さらに、第4の制御メッセージは、TTI長に個別に対応する伝送されるべきデータのタイプを使用することを指図するためにさらに使われてよい。
【０２８０】
具体的に述べると、データのタイプは様々な論理チャネルを用いて表現されてよく、この場合はTTI長を用いることによって論理チャネル番号識別子に対応してよく、あるいは
データのタイプは様々な論理チャネルグループを用いて表現されてよく、この場合はTTI長を用いることによって論理チャネルグループ識別子に対応してよく、あるいは
データのタイプは様々な無線ベアラを用いて表現されてよく、この場合はTTI長を用いることによって無線ベアラ識別子に対応してよく、あるいは
データのタイプは様々なデータフローを用いて表現されてよく、この場合はTTI長を用いることによってデータフロー番号識別子に対応してよい。様々なデータフローは様々なIPアドレスを有するデータフローであってよく、あるいは様々なIPアドレスと様々なポート番号とを有するデータフローであってよい。
【０２８１】
前述したデータタイプとTTI長との対応が1対1、1対多、または多対1であってよいことは理解できるであろう。これは本発明の本実施形態で具体的に限定されない。
【０２８２】
任意に選べることとして、ユーザ機器のために複数のキャリアが設定される場合は、異なるキャリアで異なるTTI長を使用してよい。この場合は様々なデータタイプが様々なキャリアに対応すると理解されてよい。
【０２８３】
さらに、基地局間マルチストリームアグリゲーションシナリオでは基地局が前述したキャリアの代わりになってもよい。実装方法は同様であり、ここでは詳細を繰り返し説明しない。
【０２８４】
一例として述べると、第4の制御メッセージはTTI設定パラメータを含むメッセージであってよく、TTI設定パラメータは、DCIスクランブル様態（RNTIスクランブル様態と様々なTTI長との対応と対応するRNTIデスクランブル様態とが設定される）、TTI長タイプの指示情報、TTIに対応するSRS設定パラメータ、TTIを使用するためのDM−RS設定情報、TTIを使用するためのSR設定情報、TTIを使用するためのフィードバックリソース設定情報、TTIを使用するためのフィードバックルール設定情報、TTIを使用するためのPDCCHリソース位置情報、TTIを使用するためのTBS表設定情報、TTIを使用するためのリソーススケジューリング粒度情報、またはTTIを使用するためのEPDCCHリソース位置情報のいずれか1つ、または少なくとも2つの組み合わせを含む。
【０２８５】
TTI長には2つのタイプがあり、2つのタイプはそれぞれ第1のTTIと第2のTTIであり、第1のTTIの長さは第2のTTIの長さより大きいと仮定する。実際の応用で第1のTTIの設定パラメータはユーザ機器であらかじめ設定されてよく、そうであるなら本発明の本実施形態でユーザ機器によって受信されるTTI設定パラメータは第2のTTIの設定パラメータを具体的に指してよい。任意に選べることとして、第1のTTIの設定パラメータがあらかじめ設定されない場合、本発明の本実施形態でユーザ機器によって受信されるTTI設定パラメータは第1のTTIと第2のTTIの設定パラメータを含んでよい。
【０２８６】
1202．ユーザ機器は基地局によって送信された第5の制御メッセージを受信する。
【０２８７】
ユーザ機器は基地局によって送信された第5の制御メッセージを受信する。さらに、第5の制御メッセージはDCIメッセージであってよい。
【０２８８】
一例として述べると、第5の制御メッセージは物理層シグナリングを用いて基地局によって送信されてよい。さらに、第5の制御メッセージはDCIメッセージであってよい。
【０２８９】
実際の応用では、様々なTTI長を区別するため、基地局側は様々なRNTIスクランブラ様態でDCIメッセージをスクランブルしてよい。
【０２９０】
一例として述べると、第5の制御メッセージは新たに規定されたDCIメッセージであってよい。shortenTTI＝1なら（つまりshortenTTIが第2のTTIであるなら）、新たなRNTI（つまり第4の制御メッセージを用いて通知されるRTT長に対応するRNTI）がスクランブルに使われる。PDCCHで新たなDCIメッセージが伝送され、ユーザ機器は、DCIメッセージを受信する際に、第4の制御メッセージを使って通知されたRTT長に対応するRNTIを使って第5の制御メッセージをデスクランブルする。
【０２９１】
1203．ユーザ機器は第4の制御メッセージを使って通知されたRTT長に対応するRNTIを使って第5の制御メッセージをデスクランブルする。
【０２９２】
ユーザ機器は第5の制御メッセージに対しRNTIデスクランブルを遂行し、尚且つ第5の制御メッセージに対しRNTIデスクランブルを遂行する様態に従ってデータ伝送のための対応するTTI長を判断する。
【０２９３】
一例として述べると、TTI長には2つのタイプがあり、2つのタイプはそれぞれ第1のTTIと第2のTTIであり、第1のTTIの長さは第2のTTIの長さより大きいと仮定する。第1のRNTIを使ってDCIに対して遂行されるデスクランブルが成功する場合は、データ伝送のための対応するRTT長が第1のTTIであると判断され、第2のRNTIを使ってDCIに対して遂行されるデスクランブルが成功する場合は、データ伝送のための対応するTTIが第2のTTIであると判断される。
【０２９４】
1204．ユーザ機器はTTI長に従って基地局とのデータ伝送を遂行する。
【０２９５】
ユーザ機器はTTI長に従って基地局とのデータ伝送を遂行する。具体的に述べると、ユーザ機器が基地局とのデータ伝送を遂行することは、ユーザ機器が基地局によって送信されたサービスデータを受信することと、ユーザ機器が基地局へサービスデータを送信することと、ユーザ機器が基地局へフィードバック情報を送信することと、ユーザ機器が基地局によって送信されたフィードバック情報を受信することとを含む。具体的に述べると、フィードバック情報はHARQフィードバックを含んでよい。例えば、基地局によって送信されたサービスデータを受信した後にユーザ機器はサービスデータのHARQフィードバックを基地局へ送信し、あるいは基地局へサービスデータを送信した後にユーザ機器は基地局によって送信されるサービスデータのHARQフィードバックを受信する。
【０２９６】
一例として述べると、第1のRNTI（つまり長いTTIに対応するデスクランブル様態）を用いてDCIに対して遂行されるデスクランブルが成功する場合は第1のTTIに対応するデータ送受ルールが使用され、第2のRNTI（つまり短いTTIに対応するデスクランブル様態）を用いてDCIに対して遂行されるデスクランブルが成功する場合は第2のTTIに対応するデータ送受ルールが使用される。
【０２９７】
基地局は、TTI長を指示するため、制御チャネルのタイプとTTI長との対応をさらに使用してよい。図13を参照し、本発明の一実施形態におけるデータ伝送方法の別の実施形態は下記ステップを含む。
【０２９８】
1301．ユーザ機器は基地局によって送信された第6の制御メッセージを受信する。
【０２９９】
ユーザ機器は基地局によって送信された第6の制御メッセージを受信し、第6の制御メッセージは制御チャネルのタイプに対応するTTI長を通知するために使われる。
【０３００】
具体的に述べると、制御チャネルの様々なタイプは様々なチャネルリソースを有する制御チャネルを指示し、チャネルリソースは時間領域リソースと周波数領域リソースとを含む。
【０３０１】
一例として述べると、時間領域における様々なチャネルリソースは様々なTTI、様々なタイムスロット、様々なOFDMシンボル、様々なサブフレーム、様々な無線フレーム等であってよく、本発明の本実施形態で具体的に限定されない。周波数領域における様々なチャネルリソースは様々なサブキャリア、様々な物理的リソースブロック、様々なコンポーネントキャリア等であってよく、本発明の本実施形態で具体的に限定されない。
【０３０２】
一例として述べると、第6の制御メッセージは上位層シグナリングを用いて基地局によって送信されてよい。
【０３０３】
さらに、第6の制御メッセージはTTI長に個別に対応する伝送されるべきデータのタイプを使用することを指図するためにさらに使われてよい。
【０３０４】
具体的に述べると、データのタイプは様々な論理チャネルを用いて表現されてよく、この場合はTTI長を用いることによって論理チャネル番号識別子に対応してよく、あるいは
データのタイプは様々な論理チャネルグループを用いて表現されてよく、この場合はTTI長を用いることによって論理チャネルグループ識別子に対応してよく、あるいは
データのタイプは様々な無線ベアラを用いて表現されてよく、この場合はTTI長を用いることによって無線ベアラ識別子に対応してよく、あるいは
データのタイプは様々なデータフローを用いて表現されてよく、この場合はTTI長を用いることによってデータフロー番号識別子に対応してよい。様々なデータフローは様々なIPアドレスを有するデータフローであってよく、あるいは様々なIPアドレスと様々なポート番号とを有するデータフローであってよい。
【０３０５】
前述したデータタイプとTTI長との対応が1対1、1対多、または多対1であってよいことは理解できるであろう。これは本発明の本実施形態で具体的に限定されない。
【０３０６】
任意に選べることとして、ユーザ機器のために複数のキャリアが設定される場合は、異なるキャリアで異なるTTI長を使用してよい。この場合は様々なデータタイプが様々なキャリアに対応すると理解されてよい。
【０３０７】
さらに、基地局間マルチストリームアグリゲーションシナリオでは基地局が前述したキャリアの代わりになってもよい。実装方法は同様であり、ここでは詳細を繰り返し説明しない。
【０３０８】
1302．ユーザ機器は制御チャネルを用いて基地局によって送信された第7の制御メッセージを受信する。
【０３０９】
ユーザ機器は制御チャネルを用いて基地局によって送信された第7の制御メッセージを受信する。一例として述べると、第7の制御メッセージは物理層シグナリングを用いて基地局によって送信されてよい。さらに、第7の制御メッセージはDCIメッセージであってよい。制御チャネルには少なくとも2つのタイプがあり、制御チャネルの様々なタイプは様々なTTI長に対応する。
【０３１０】
1303．ユーザ機器は制御メッセージを受信する制御チャネルのタイプに従ってデータ伝送のための対応するTTI長を判断する。
【０３１１】
ユーザ機器は制御メッセージを受信する制御チャネルのタイプに従ってデータ伝送のための対応するTTI長を判断する。
【０３１２】
一例として述べると、TTI長には2つのタイプがあり、2つのタイプはそれぞれ第1のTTIと第2のTTIであり、第1のTTIの長さは第2のTTIの長さより大きいと仮定する。さらに、制御チャネルは物理ダウンリンク制御チャネル（PDCCH、Physical Downlink Control channel）であってよく、あるいは改良物理ダウンリンク制御チャネル（EPDCCH、Enhanced Pyhsical Downlink Control Channle）であってよい。PDCCHは第1のTTIに対応し、EPDCCHは第2のTTIに対応する。つまり、DCIメッセージが第2のTTIに対応するEPDCCHで検出される場合は現在のデータ伝送のTTI長が第2のTTIであると判断され、DCIメッセージがPDCCHで検出される場合は現在のデータ伝送のTTI長が第1のTTIであると判断される。PDCCHでsymbol 0およびsymbol 1は第1のTTIに対応し、第3のsymbolは第2のTTIに対応し、EPDCCHでサブキャリアn〜mは第1のTTIに対応し、サブキャリアi〜kは第2のTTIに対応する。
【０３１３】
実際の応用でTTIに2つ以上のタイプがある場合は、データをスケジュールするためより多くの制御チャネルが設計される必要がある。例えば、各TTIの第1のN個のシンボル（Nは0以上）でPDCCHは要件に従って設計され、および／またはデータをスケジュールするため新たなEPDCCHが設計される。例えば、各TTIのM番目からN番目のサブキャリアまたはPRB（Mは0以上、Nは0以上、NはM以上）でEPDCCHは要件に従って設計され、ユーザ機器はPDCCHとEPDCCHとをリスンすることによってデータを伝送する。
【０３１４】
1304．ユーザ機器はTTI長に従って基地局とのデータ伝送を遂行する。
【０３１５】
ユーザ機器はTTI長に従って基地局とのデータ伝送を遂行する。具体的に述べると、ユーザ機器が基地局とのデータ伝送を遂行することは、ユーザ機器が基地局によって送信されたサービスデータを受信することと、ユーザ機器が基地局へサービスデータを送信することと、ユーザ機器が基地局へフィードバック情報を送信することと、ユーザ機器が基地局によって送信されたフィードバック情報を受信することとを含む。具体的に述べると、フィードバック情報はHARQフィードバックを含んでよい。例えば、基地局によって送信されたサービスデータを受信した後にユーザ機器はサービスデータのHARQフィードバックを基地局へ送信し、あるいは基地局へサービスデータを送信した後にユーザ機器は基地局によって送信されるサービスデータのHARQフィードバックを受信する。
【０３１６】
前述した実施形態が別々に実装されてよいこと、あるいは合同で実装されてよいことは理解できるであろう。これは本発明の実施形態で具体的に限定されない。
【０３１７】
実際の応用では無線ネットワークにおけるデータパケットの送信と伝送との間にタイミング関係があり、ネットワーク側はハードウェア改善の前後に存在する2つのタイプのTTIのシナリオを検討する必要がある。このため、本発明の一実施形態ではデータ伝送のためのリソースの計算様態に改良がなされる。図14を参照し、本発明の一実施形態におけるデータ伝送方法の別の実施形態は下記ステップを含む。
【０３１８】
1401．ユーザ機器は基地局によって送信された制御メッセージを受信する。
【０３１９】
ユーザ機器は基地局によって送信された制御メッセージを受信する。具体的に述べると、制御メッセージはユーザ機器と基地局とによるデータ伝送のTTI長を指示するために使われる。
【０３２０】
1402．ユーザ機器は制御メッセージに従ってユーザ機器と基地局との間で伝送されるデータに対応するTTI長を判断する。
【０３２１】
ユーザ機器は制御メッセージに従ってユーザ機器と基地局との間で伝送されるデータに対応するTTI長を判断する。一例として述べると、TTI長は第1のTTIと第2のTTIとを含んでよく、第1のTTIは第2のTTIより大きい。
【０３２２】
TTI長は、特定の時間値を用いて、例えば0．5msを用いて、指示されてよく、あるいはOFDMシンボルの数量を用いて、例えば7個のOFDMシンボルを用いて、指示されてよい。TTI長の具体的な表現と実装は実情に応じて判断されてよく、ここで限定されないことは理解できるであろう。
【０３２３】
1403．ユーザ機器はTTI長に従って基地局とのデータ伝送のためのリソースを判断する。
【０３２４】
実際の応用では、データの送信または受信に使われるリソースの計算時にTTI識別子によって指示されるTTI長に従ってTTI長に対応するオフセットが加えられる。具体的な実施形態の様態は実施形態7のそれと基本的に同じであり、ここでは詳細を繰り返し説明しない。
【０３２５】
本発明の本実施形態では、データの送信または受信に使われるリソースの計算時にTTI識別子によって指示されるTTI長に従ってTTI長に対応するオフセットが加えられる。このため、2タイプのRTTに対応するデータの伝送シナリオで2タイプのTTIに対応するデータは周波数領域リソースで互い違いに配置でき、データ間の衝突は回避される。
【０３２６】
あるいは、フィードバックを送信するTTIがデータを送信するTTIと異なる場合は、例えばフィードバックを送信するTTIが第1のTTIであってデータを送信するTTIが第2のTTIである場合は、第2のTTIを使って伝送されるデータの2つ以上のフィードバックが1つの第1のTTIでまとめて送信されてよい。
【０３２７】
実際の応用では最初のアクセスのときにユーザ機器のためにTTI長が設定されてよい。図15を参照し、本発明の一実施形態におけるデータ伝送方法の別の実施形態は下記ステップを含む。
【０３２８】
1501．ユーザ機器は基地局によって送信されたブロードキャストメッセージを受信する。
【０３２９】
ユーザ機器は基地局によって送信されたブロードキャストメッセージを受信し、ブロードキャストメッセージは第2のTTIに対応するランダムアクセスチャネル（RACH、Random Access Channel）リソースとpreambleとを含み、第2のTTIはTTI長の1タイプであり、第1のTTIと第2のTTIとがあり、第1のTTIは第2のTTIより大きい。
【０３３０】
任意に選べることとして、ユーザ機器が基地局によって送信されるブロードキャストメッセージを受信する前に、基地局はブロードキャストメッセージを使ってPRACHリソースとpreambleの設定パラメータをユーザ機器へ送信する。
【０３３１】
1502．ユーザ機器が第2のTTI長をサポートする場合、ユーザ機器は第2のTTI長に対応するRACHリソースとpreambleとを使ってランダムアクセスを遂行する。
【０３３２】
ブロードキャストメッセージを受信した後に、ユーザ機器はユーザ機器が第2のTTIをサポートするか否かを判断し、ユーザ機器が第2のTTIをサポートする場合、ユーザ機器は第2のTTIに対応するPRACHリソースとpreambleとを使ってランダムアクセスを遂行する。
【０３３３】
基地局側で基地局が第2のTTIに対応するPRACHでpreambleを受信する場合は、ユーザ機器が第2のTTIを使ってデータ伝送を遂行できると考えられ、基地局は第2のTTIに対応する送受ルールを使ってユーザ機器とのデータ伝送を遂行し、基地局が第1のTTIに対応するRACHでpreambleを受信する場合、基地局は第1のTTIに対応する送受ルールを使ってユーザ機器とのデータ伝送を遂行する。
【０３３４】
本発明におけるTTIの実施形態とRTTの実施形態が別々に実装されてよいこと、あるいは合同で実装されてよいことは理解できるであろう。これは本発明の本実施形態で具体的に限定されない。
【０３３５】
TTIの実施形態とRTTの実施形態の前述したステップが遂行される前に、ユーザ機器がユーザ機器のTTI能力および／またはRTT能力を報告してよいことは理解できるであろう。具体的に述べると、ユーザ機器は能力を能動的に報告してよく、あるいはネットワーク側が問い合わせを遂行し、その後ユーザ機器が能力を報告する。使用されるメッセージは、RRCメッセージ、またはMAC CE等のMAC層の制御メッセージ、またはMsg3メッセージ、またはpreamble等の物理層の制御メッセージであってよい。これは本発明の本実施形態で具体的に限定されない。
【０３３６】
具体的に述べると、ユーザ機器はサポートされたTTI長および／またはサポートされたRTT長に関する情報を報告してよく、あるいは短いTTIがサポートされるか否かに関する情報のみ、および／または短いRTTがサポートされるか否かに関する情報のみ報告してよい。
【０３３７】
さらに、基地局はユーザ機器によって報告される能力情報に従って前述した実施形態のTTI設定および／またはRTT設定とデータ伝送とを遂行する。ここでは詳細を繰り返し説明しない。
【０３３８】
さらに、ハンドオーバーのときにソース基地局はユーザ機器の能力情報をターゲット基地局へ送信してよく、ユーザ機器の能力を知ったターゲット基地局はTTIおよび／またはRTTを設定し、使用し、データ伝送を遂行する。具体的なメッセージはX2インターフェース（基地局間インターフェース）メッセージであってよく、あるいはS1インターフェース（基地局・コアネットワーク間インターフェース）メッセージであってよく、ここでは詳細を繰り返し説明しない。
【０３３９】
さらに、ユーザ機器の能力を報告する前または後に、ユーザ機器は、基地局によってサポートされるTTIおよび／またはRTTの能力情報を指示するため基地局によって送信される制御メッセージを受信する。具体的な応用において、制御メッセージは、RRC設定メッセージ等の上位層シグナリングを用いて送信される制御メッセージまたはブロードキャストメッセージを含んでよく、MAC CE等のMAC層の制御メッセージ、またはMsg4メッセージであってよく、あるいはDCIメッセージ等の物理層の制御メッセージであってよい。制御メッセージはeNodeBの能力情報を含み、能力情報はeNodeBでサポートできるTTI長および／またはRTT長を含む。
【０３４０】
様々なTTIおよび／または様々なRTTが共存する場合は、様々なTTIおよび／または様々なRTTに使われる物理的リソース間の衝突の回避を考慮する必要がある。具体的な方法は次の通りである。
【０３４１】
様々なTTIおよび／または様々なRTTに使われる物理的リソースは時間領域において、または周波数領域において、互い違いに配置される。前述した実施形態を参照し、様々なTTI長および／または様々なRTT長が設定される場合は、様々なTTIおよび／または様々なRTTに使われる物理的リソースが同時に設定されてよい。物理的リソースは、PDCCHリソース、EPDCCHリソース、PDSCHリソース、PUSCHリソース、PUCCHリソース、またはPHICHリソースのうち、いずれか1つ以上を含む。これは本発明の本実施形態で具体的に限定されない。
【０３４２】
実際の応用でユーザ機器のために複数のキャリアが設定される場合は、様々なキャリアに対し様々なTTIおよび／または様々なRTTが設定されてよい。具体的な方法は次の通りである。
【０３４３】
ユーザ機器は基地局によって送信された制御メッセージを受信する。
【０３４４】
ユーザ機器は基地局によって送信された制御メッセージを受信する。具体的に述べると、制御メッセージはキャリアとTTI長および／またはRTT長との関係を指示するために使われる。
【０３４５】
具体的な応用において、制御メッセージは、RRC設定メッセージ等の上位層シグナリングを用いて送信される制御メッセージを含んでよく、あるいはMAC CE等のMACシグナリングを用いて送信される制御メッセージを含んでよい。具体的に述べると、制御メッセージはそれぞれのキャリアでデータ伝送を遂行するのに使われるTTI長および／またはRTT長を指示してよく、あるいはそれぞれのTTI長に対応する優先順位、および／またはそれぞれのRTT長に対応する優先順位を、例えば最も短いTTI長に対応する最も高い優先順位、および／または最も短いRTT長に対応する最も高い優先順位を、含んでよい。
【０３４６】
さらに、制御メッセージは、無線ベアラ（RB、Radio bearer）とスケジューリング粒度との対応を指示するためにさらに使われてよい。例えば、データ量が多いRBは粗いスケジューリング粒度に対応し、データ量が少ないRBは細かいスケジューリング粒度に対応する。
【０３４７】
ユーザ端末は、前述した制御メッセージを受信した後に、制御メッセージによって指示される無線ベアラとスケジューリング粒度との関係に従って、制御メッセージの指示が再び受信されるまで、通信を遂行する。例えば、制御メッセージは無線ベアラ1のスケジューリング粒度がn個のTTIであると指示し、無線ベアラ2のスケジューリング粒度がm個のTTIであると指示する。この場合、ユーザ端末が無線ベアラ1で伝送を遂行するなら、伝送はスケジューリングコマンドが受信されるたびにn個のTTIで連続的に遂行されてよく、ユーザ端末が無線ベアラ2で伝送を遂行するなら、伝送はスケジューリングコマンドが受信されるたびにm個のTTIで連続的に遂行されてよく、mとnは1より大きい整数である。
【０３４８】
さらに、ユーザ端末は、前述した制御メッセージを受信した後に、制御メッセージによって指示されるキャリアとTTI長および／またはRTT長との関係に従って、制御メッセージの指示が再び受信されるまで、通信を遂行する。例えば、キャリア1は第1のTTI長および／または第1のRTT長を使用し、キャリア2は第2のTTI長および／または第2のRTT長を使用する。つまり、キャリア1の全無線ベアラでデータ伝送（データ、フィードバック、およびシグナリングの伝送を含む）を遂行するのに使われるTTI長および／またはRTT長は第1のTTI長および／または第1のRTT長であり、キャリア2の全無線ベアラでデータ伝送（データ、フィードバック、およびシグナリングの伝送を含む）を遂行するのに使われるTTI長および／またはRTT長は第2のTTI長および／または第2のRTT長である。
【０３４９】
さらに、ユーザ端末は、前述した制御メッセージを受信した後に、制御メッセージによって指示されるキャリアとTTI長および／またはRTT長との関係と、各キャリアにおけるTTI長の優先順位関係および／またはRTT長の優先順位関係とに従って通信を遂行する。例えば、キャリア1は第1のTTI長および／または第1のRTT長を使用し、キャリア2は第2のTTI長および／または第2のRTT長を使用し、第1のTTI長の優先順位および／または第1のRTT長の優先順位は第2のTTI長の優先順位および／または第2のRTT長の優先順位より高い。キャリア1とキャリア2が多重化されると、優先順位が高いTTI長および／またはRTT長を使って、すなわち第1のTTI長および／または第1のRTT長を使って、データ伝送（データ、フィードバック、およびシグナリングの伝送を含む）が遂行される。
【０３５０】
さらに、基地局間マルチストリームアグリゲーションシナリオでは基地局が前述したキャリアの代わりになってもよい。実装方法は同様であり、ここでは詳細を繰り返し説明しない。
【０３５１】
不連続受信（DRX、Discontinue Receiving）におけるタイマーの作動はTTIの変化の影響を受け、DRXのタイマーは無活動タイマーや再送タイマー等を含むことは理解できるであろう。TTIが変化した後のDRXにおける操作手順は次の通りである。
【０３５２】
ユーザ機器は基地局によって送信された制御メッセージを受信する。
【０３５３】
ユーザ機器は基地局によって送信された制御メッセージを受信する。具体的に述べると、制御メッセージは各キャリアのDRXパラメータを指示するために使われ（マルチキャリアシナリオ）、DRXパラメータはキャリアによってサポートされるTTI長に関係し、様々なTTI長は様々なDRXパラメータに対応する。
【０３５４】
具体的な応用において、制御メッセージはRRC設定メッセージ等の上位層シグナリングを用いて送信される制御メッセージを含んでよい。制御メッセージは各キャリアのDRXパラメータ情報を含む。それぞれのキャリアのDRXパラメータは同じであってよく、あるいは異なってよい。
【０３５５】
さらに、ユーザ端末は、前述した制御メッセージを受信した後に、各キャリアのDRXパラメータ情報を記録する。ユーザ端末は各キャリアのDRXパラメータに従って各キャリアがDRX状態に入ることができるか否かを判断し、キャリアがDRX状態に入った後に、当該キャリアのTTI長に従って計時を遂行する。ユーザ端末は当該キャリアがDRX on状態にある場合に限り当該キャリアのPDCCHチャネルをリスンし、あるいはユーザ端末は全てのキャリアがDRX on状態にある場合にある場合に限り当該キャリアのPDCCHチャネルをリスンする。
【０３５６】
さらに、ユーザ端末は、前述した制御メッセージを受信した後に、各キャリアのDRXパラメータ情報を記録する。ユーザ端末は各キャリアのDRXパラメータに従って各キャリアがDRX状態に入ることができるか否かを判断し、キャリアがDRX状態に入った後に、通常のTTI長に従って、すなわち既存のTTI長に従って、計時を遂行する。ユーザ端末は当該キャリアがDRX on状態にある場合に限り当該キャリアのPDCCHチャネルをリスンし、あるいはユーザ端末は全てのキャリアがDRX on状態にある場合にある場合に限り当該キャリアのPDCCHチャネルをリスンする。
【０３５７】
さらに、ユーザ端末は、前述した制御メッセージを受信した後に、各キャリアのDRXパラメータ情報を記録する。ユーザ端末は各キャリアのDRXパラメータに従って各キャリアがDRX状態に入ることができるか否かを判断し、キャリアがDRX状態に入った後に、全キャリアの最短TTI長に従って計時を遂行する。ユーザ端末は当該キャリアがDRX on状態にある場合に限り当該キャリアのPDCCHチャネルをリスンし、あるいはユーザ端末は全てのキャリアがDRX on状態にある場合にある場合に限り当該キャリアのPDCCHチャネルをリスンする。
【０３５８】
これ以降は前述したデータ伝送方法を実行するよう構成された本発明のユーザ機器の一実施形態を説明する。ユーザ機器の論理的構造については図16を参照されたい。本発明の一実施形態におけるユーザ機器の一実施形態は、
基地局によって送信された制御メッセージを受信するよう構成された受信ユニット1601であって、制御メッセージはユーザ機器と基地局との間で伝送されるデータに対応するRTT長を判断するために使われる、受信ユニット1601と、
制御メッセージに従ってユーザ機器と基地局との間で伝送されるデータに対応する往復時間RTT長を判断するよう構成された判断ユニット1602と、
RTT長に従って基地局とのデータ伝送を遂行するよう構成された伝送ユニット1603とを含む。
【０３５９】
具体的に述べると、RTT長が制御メッセージによって直接指示されるシナリオにおいて、
受信ユニット1601は、
基地局によって送信された第1の制御メッセージを受信するよう具体的に構成され、第1の制御メッセージはデータ伝送のための対応するRTT長を指示するために使われ、
判断ユニット1602は、
第1の制御メッセージに従ってデータ伝送のための対応するRTT長を判断するよう具体的に構成される。
【０３６０】
具体的に述べると、RTT長がRTT識別子によって指示されるシナリオにおいて、
受信ユニット1601は、
基地局によって送信された第2の制御メッセージを受信するよう具体的に構成され、第2の制御メッセージはRTT識別子に対応するRTT長を通知するために使われ、尚且つ受信ユニット1601は、
基地局によって送信された第3の制御メッセージを受信するよう具体的に構成され、第3の制御メッセージはRTT識別子を含み、RTT識別子はデータ伝送のための対応するRTT長を指示するために使われ、
判断ユニット1602は、
RTT識別子に従ってデータ伝送のための対応するRTT長を判断するよう具体的に構成される。
【０３６１】
具体的に述べると、RTT長がRNTIスクランブル様態によって指示されるシナリオにおいて、
受信ユニット1601は、
基地局によって送信された第4の制御メッセージを受信するよう具体的に構成され、第4の制御メッセージはRNTIスクランブル様態に対応するRTT長を通知するために使われ、尚且つ受信ユニット1601は、
基地局によって送信された第5の制御メッセージを受信するよう具体的に構成され、第5の制御メッセージのRNTIスクランブル様態はRTT長に対応し、
判断ユニット1602は、
第5の制御メッセージに対しRNTIデスクランブルを遂行し、尚且つ第4の制御メッセージに対しRNTIデスクランブルを遂行する様態に従ってデータ伝送のための対応するRTT長を判断するよう具体的に構成される。
【０３６２】
具体的に述べると、RTT長が制御チャネルによって指示されるシナリオにおいて、
受信ユニット1601は、
基地局によって送信された第6の制御メッセージを受信するよう具体的に構成され、第6の制御メッセージは制御チャネルのタイプに対応するRTT長を通知するために使われ、尚且つ受信ユニット1601は、
制御チャネルを用いて基地局によって送信された第7の制御メッセージを受信するよう具体的に構成され、制御チャネルには少なくとも2つのタイプがあり、制御チャネルの様々なタイプは様々なRTT長に対応し、
判断ユニット1602は、
第7の制御メッセージを受信する制御チャネルのタイプに従ってデータ伝送のための対応するRTT長を判断するよう具体的に構成される。
【０３６３】
具体的に述べると、制御メッセージは上位層シグナリングか物理層シグナリングを用いて基地局によって送信される。
【０３６４】
具体的に述べると、制御メッセージはRTT長に個別に対応する伝送されるべきデータのタイプを使用することを指図するためにさらに使われる。
【０３６５】
具体的に述べると、ユーザ機器は、
RTT長に従って基地局とのデータ伝送を遂行するためのリソースを判断するよう構成されたリソース判断ユニット1604をさらに含み、ユーザ機器と基地局は様々なリソースを使って様々なRTT長に対応するデータを互いに伝送する。
【０３６６】
伝送ユニット1603は、
ユーザ機器により、リソースを使って基地局とのデータ伝送を遂行するよう具体的に構成される。
【０３６７】
さらに、リソース判断ユニット1604は、
データの伝送がフィードバック情報の伝送である場合に、フィードバック情報の伝送に使われるリソースを計算する際に、RTT識別子によって指示されるRTT長に従って、RTT長に対応するオフセットを加えるよう具体的に構成される。
【０３６８】
具体的に述べると、オフセットは上位層シグナリングを用いて基地局によって通知され、あるいは物理層シグナリングメッセージの中で設定される。
【０３６９】
さらに、リソース判断ユニット1604は、フィードバック情報の伝送がダウンリンクデータのアップリンクフィードバックである場合に、ユーザ機器により、フィードバックの周波数領域リソースが次式を満たすことを判断するよう具体的に構成され、ここで
【数５７】
0006440827.tif 000059
はポート0に対応する周波数領域リソース位置であり、
【数５８】
0006440827.tif 000060
はポート1に対応する周波数領域リソース位置である。
【０３７０】
伝送にPDCCHが使われる場合は式1および式2が満たされ、
式1：
【数５９】
0006440827.tif 000061
および
式2：
【数６０】
0006440827.tif 000062
ここで
nCCEはダウンリンクデータをスケジュールするダウンリンクデータのスケジューリングコマンドによって占められる物理ダウンリンク制御チャネルPDCCHの最低の、最高の、または特定の制御チャネル要素CCE位置であり、
【数６１】
0006440827.tif 000063
は物理アップリンク制御チャネルPUCCHの周波数領域開始位置であり、offsetはオフセットであって整数である。
【０３７１】
EPDCCHが使われ、尚且つEPDCCH伝送が分散伝送である場合は、式3および式4が満たされ、
式3：
【数６２】
0006440827.tif 000064
および
式4：
【数６３】
0006440827.tif 000065
あるいは
EPDCCHが使われ、尚且つEPDCCH伝送が集中伝送である場合は、式5および式6が満たされ、
式5：
【数６４】
0006440827.tif 000066
および
式6：
【数６５】
0006440827.tif 000067
ここで
nECCE，qはダウンリンクデータをスケジュールするダウンリンクデータのスケジューリングコマンドによって占められる改良物理ダウンリンク制御チャネルEPDCCHによって使われるEPDCCH−PRB−set qの最低の、最高の、または特定の制御チャネル要素CCE位置であり、
【数６６】
0006440827.tif 000068
は上位層シグナリングを用いて設定されるパラメータであり、ΔARQは物理層制御シグナリングを用いて通知されるパラメータであり、
【数６７】
0006440827.tif 000069
はEPDCCH−PRB−set qにおける各PRBのCCEの数量であり、n’はアンテナポートによって判断され、offsetはオフセットであって整数である。
【０３７２】
さらに、リソース判断ユニット1904は、フィードバック情報の伝送がアップリンクデータのダウンリンクフィードバックである場合に、ユーザ機器により、フィードバックのリソース
【数６８】
0006440827.tif 000070
が式7および式8を満たすことを判断するよう具体的に構成され、ここで
【数６９】
0006440827.tif 000071
は物理的ハイブリッド自動再送要求指示チャネルPHICHのグループ番号であり、
【数７０】
0006440827.tif 000072
はグループ番号に対応するグループにおける直交シーケンス番号であり、
式7は
【数７１】
0006440827.tif 000073
であり
式8は
【数７２】
0006440827.tif 000074
であり、ここで
nDMRSは最近のPDCCHでアップリンクDCIを用いて指示される復調参照信号DMRS領域の循環シフトマッピングであり、
【数７３】
0006440827.tif 000075
はPHICHの拡散因子であり、
IPRB＿RAは第1のコードワードがアップリンクDCIによって指示されるPUSCHの最も低いPRBインデックスであることと、第2のコードワードがアップリンクDCIによって指示されるPUSCHの最も低いPRBインデックス＋1であることとを示し、
【数７４】
0006440827.tif 000076
はPHICHのgroup量であり、
Ngroup1はオフセットである。
【０３７３】
RTT長に基づくデータ伝送方法を実行するよう構成されたユーザ機器のユニットの具体的作業は以下に説明され、下記を含む。
受信ユニット1601は基地局によって送信された制御メッセージを受信する。具体的に述べると、制御メッセージは、基地局とのデータ伝送を遂行するため、ユーザ機器と基地局との間で伝送されるデータに対応するRTT長を判断するために使われる。
【０３７４】
具体的な応用において、制御メッセージは、上位層シグナリングを用いて送信される制御メッセージを、例えば無線リソース制御（RRC、Radio Resource Control）設定メッセージを、含んでよく、あるいは物理層シグナリングを用いて送信される制御メッセージを、例えばダウンリンク制御情報（DCI、Downlink Control Information）メッセージを、含んでよい。一例として述べると、上位層シグナリングは専用シグナリングとブロードキャストメッセージとを含む。
【０３７５】
具体的に述べると、RTT長は上位層シグナリングを用いて送信される制御メッセージによって直接指示されてよく、あるいはRTT長のタイプが上位層シグナリングを用いて送信される制御メッセージによって指示され、その後、使用すべき特定タイプのRTT長が物理層シグナリングを用いて送信される制御メッセージによって指示される。
【０３７６】
判断ユニット1602は制御メッセージに従ってユーザ機器と基地局との間で伝送されるデータに対応するRTT長を判断する。
【０３７７】
RTT長は、特定の時間値を用いて、例えば4msを用いて、指示されてよく、あるいはTTIの数量を用いて、例えば8個のTTIを用いて、指示されてよく、あるいはOFDMシンボルの数量を用いて、例えば20個のOFDMシンボルを用いて、指示されてよい。RTT長の具体的な表現と実装は実情に応じて判断されてよく、ここで限定されないことは理解できるであろう。
【０３７８】
RTT長に2つ以上のタイプがあり得ることは理解できるであろう。一例として述べると、制御メッセージは1タイプのRTT長を指示してよく、これを踏まえてユーザ機器は対応するデータの送信または受信にどのタイプのRTTが使われるかを判断する。任意に選べることとして、制御メッセージは2タイプ以上のRTT長を指示してよく、これを踏まえてユーザ機器は2タイプのRTTが個別に対応するデータの送信または受信を判断する。実際の応用では制御メッセージの実装様態が実情に応じて判断されてよく、ここでは具体的に限定されない。
【０３７９】
伝送ユニット1603はRTT長に従って基地局とのデータ伝送を遂行する。具体的に述べると、ユーザ機器が基地局とのデータ伝送を遂行することは、ユーザ機器が基地局によって送信されたサービスデータを受信することと、ユーザ機器が基地局へサービスデータを送信することと、ユーザ機器が基地局へフィードバック情報を送信することと、ユーザ機器が基地局によって送信されたフィードバック情報を受信することとを含む。具体的に述べると、フィードバック情報はHARQフィードバックを含んでよい。例えば、基地局によって送信されたサービスデータを受信した後にユーザ機器はサービスデータのHARQフィードバックを基地局へ送信し、あるいは基地局へサービスデータを送信した後にユーザ機器は基地局によって送信されるサービスデータのHARQフィードバックを受信する。
【０３８０】
本発明の本実施形態でユーザ機器は基地局によって送信された制御メッセージを受信でき、ユーザ機器は制御メッセージに従って基地局とのデータ伝送を遂行するためのRTT長を判断でき、対応するRTT長に適したデータ送信または受信様態で基地局とのデータ伝送をさらに遂行できる。したがって、データ伝送過程で異なるRTT長によって生じる衝突問題は解決される。
【０３８１】
一例として述べると、RTT長が制御メッセージによって直接指示されるシナリオにおいて、
受信ユニット1601は基地局によって送信された第1の制御メッセージを受信し、第1の制御メッセージはデータを伝送するための対応するRTT長を指示するために使われる。具体的に述べると、データはユーザ機器によって現在伝送されるべきデータを指す。
【０３８２】
判断ユニット1602は第1の制御メッセージに従ってデータ伝送のための対応するRTT長を判断する。
【０３８３】
さらに、第1の制御メッセージはRTT長に個別に対応する伝送されるべきデータのタイプを使用することを指図するためにさらに使われてよい。第1の制御メッセージを使ってRTT長が初めて設定された後、ユーザ機器は様々なデータとRTT長との対応表を保管する。ユーザ機器と基地局が互いにデータを伝送する際に、ユーザ機器はデータのタイプに従って現在のデータ送信または受信に使われるべきRTT長を対応表で検索してよい。基地局が別のときに上位層シグナリングを用いて様々なデータとRTT長との対応を更新するまでは、ユーザ機器は基地局とのデータ伝送を遂行するたびに対応表を使ってRTT長を判断してよい。
【０３８４】
具体的に述べると、データのタイプは様々な論理チャネルを用いて表現されてよく、この場合はRTT長を用いることによって論理チャネル番号識別子に対応してよく、あるいは
データのタイプは様々な論理チャネルグループを用いて表現されてよく、この場合はRTT長を用いることによって論理チャネルグループ識別子に対応してよく、あるいは
データのタイプは様々な無線ベアラを用いて表現されてよく、この場合はRTT長を用いることによって無線ベアラ識別子に対応してよく、あるいは
データのタイプは様々なデータフローを用いて表現されてよく、この場合はRTT長を用いることによってデータフロー番号識別子に対応してよい。様々なデータフローは様々なIPアドレスを有するデータフローであってよく、あるいは様々な「IPアドレスおよびポート番号」を有するデータフローであってよい。
【０３８５】
前述したデータタイプとRTT長との対応が1対1、1対多、または多対1であってよいことは理解できるであろう。これは本発明の本実施形態で具体的に限定されない。
【０３８６】
様々なRTT長に個別に対応する伝送されるべきデータのタイプを使用することを指図する役割を単独で果たすため、基地局が別の制御メッセージをさらに使ってよいことは理解できるであろう。例えば、基地局は、第1の制御メッセージを送信する前に、様々なRTT長に個別に対応する伝送されるべきデータのタイプを使用することを別の制御メッセージを使って指図する。具体的な実装様態は実情に応じて判断されてよく、ここでは具体的に限定されない。
【０３８７】
任意に選べることとして、ユーザ機器のために複数のキャリアが設定される場合は、異なるキャリアで異なるRTT長を使用してよい。この場合は様々なデータタイプが様々なキャリアに対応すると理解されてよい。
【０３８８】
さらに、基地局間マルチストリームアグリゲーションシナリオでは基地局が前述したキャリアの代わりになってもよい。実装方法は同様であり、ここでは詳細を繰り返し説明しない。
【０３８９】
伝送ユニット1603はRTT長に従って基地局とのデータ伝送を遂行する。具体的に述べると、ユーザ機器が基地局とのデータ伝送を遂行することは、ユーザ機器が基地局によって送信されたサービスデータを受信することと、ユーザ機器が基地局へサービスデータを送信することと、ユーザ機器が基地局へフィードバック情報を送信することと、ユーザ機器が基地局によって送信されたフィードバック情報を受信することとを含む。具体的に述べると、フィードバック情報はHARQフィードバックを含んでよい。例えば、基地局によって送信されたサービスデータを受信した後にユーザ機器はサービスデータのHARQフィードバックを基地局へ送信し、あるいは基地局へサービスデータを送信した後にユーザ機器は基地局によって送信されるサービスデータのHARQフィードバックを受信する。
【０３９０】
一例として述べると、RTT長がRTT識別子によって指示されるシナリオにおいて、
受信ユニット1601は基地局によって送信された第2の制御メッセージを受信し、第2の制御メッセージはRTT識別子に対応するRTT長を通知するために使われる。
【０３９１】
一例として述べると、第2の制御メッセージは上位層シグナリングを用いて基地局によって送信されてよい。
【０３９２】
さらに、第2の制御メッセージはRTT長に対応する伝送されるべきデータのタイプを使用することを指図するためにさらに使われてよい。
【０３９３】
具体的に述べると、データのタイプは様々な論理チャネルを用いて表現されてよく、この場合はRTT長を用いることによって論理チャネル番号識別子に対応してよく、あるいは
データのタイプは様々な論理チャネルグループを用いて表現されてよく、この場合はRTT長を用いることによって論理チャネルグループ識別子に対応してよく、あるいは
データのタイプは様々な無線ベアラを用いて表現されてよく、この場合はRTT長を用いることによって無線ベアラ識別子に対応してよく、あるいは
データのタイプは様々なデータフローを用いて表現されてよく、この場合はRTT長を用いることによってデータフロー番号識別子に対応してよい。様々なデータフローは様々なIPアドレスを有するデータフローであってよく、あるいは様々なIPアドレスと様々なポート番号とを有するデータフローであってよい。
【０３９４】
前述したデータタイプとRTT長との対応が1対1、1対多、または多対1であってよいことは理解できるであろう。これは本発明の本実施形態で具体的に限定されない。
【０３９５】
任意に選べることとして、ユーザ機器のために複数のキャリアが設定される場合は、異なるキャリアで異なるRTT長を使用してよい。この場合は様々なデータタイプが様々なキャリアに対応すると理解されてよい。
【０３９６】
さらに、基地局間マルチストリームアグリゲーションシナリオでは基地局が前述したキャリアの代わりになってもよい。実装方法は同様であり、ここでは詳細を繰り返し説明しない。
【０３９７】
受信ユニット1601は物理層シグナリングを用いて基地局によって送信された第3の制御メッセージを受信し、第3の制御メッセージはRTT識別子を含み、RTT識別子はデータ伝送のための対応するRTT長を指示するために使われる。
【０３９８】
第3の制御メッセージは物理層シグナリングを用いて基地局によって送信されてよい。さらに、第3の制御メッセージはDCIメッセージであってよい。
【０３９９】
第3の制御メッセージは新たに規定されたDCIメッセージであってよく、RTT長を指示するために使われるRTT識別子（shortenRTTIndicator）はDCIメッセージに加えられる。
【０４００】
判断ユニット1602はRTT識別子に従ってデータ伝送のための対応するRTT長を判断する。
【０４０１】
RTT長には2つのタイプがあり、2つのタイプはそれぞれ第1のRTTと第2のRTTであり、第1のRTTの長さは第2のRTTの長さより大きいと仮定する。RTT識別子はshortenRTTIndicatorによって指示され、shortenRTTIndicator＝0ならデータ伝送のための対応するRTT長が第1のRTTであると判断され、shortenRTTIndicator＝1ならデータ伝送のための対応するRTT長が第2のRTTであると判断され、第2のRTTに対応するデータ送受ルールが使用される。あるいは、RTT識別子がRTT長を直接指示する。これは本発明の本実施形態で具体的に限定されない。
【０４０２】
データ伝送ユニット1603はRTT長に従って基地局とのデータ伝送を遂行する。具体的に述べると、ユーザ機器が基地局とのデータ伝送を遂行することは、ユーザ機器が基地局によって送信されたサービスデータを受信することと、ユーザ機器が基地局へサービスデータを送信することと、ユーザ機器が基地局へフィードバック情報を送信することと、ユーザ機器が基地局によって送信されたフィードバック情報を受信することとを含む。具体的に述べると、フィードバック情報はHARQフィードバックを含んでよい。例えば、基地局によって送信されたサービスデータを受信した後にユーザ機器はサービスデータのHARQフィードバックを基地局へ送信し、あるいは基地局へサービスデータを送信した後にユーザ機器は基地局によって送信されるサービスデータのHARQフィードバックを受信する。
【０４０３】
RTT長が第1のRTTであると判断される場合は第1のRTTに対応するデータ送受ルールが使用され、あるいはRTT長が第2のRTTであると判断される場合は第2のRTTに対応するデータ送受ルールが使用される。
【０４０４】
さらに、第2の制御メッセージが様々なRTT長に個別に対応する伝送されるべきデータのタイプを使用することを指図する場合、ユーザ機器はRTT長に対応するタイプのデータを伝送する。
【０４０５】
任意に選べることとして、ユーザ機器のために複数のキャリアが設定される場合は、異なるキャリアで異なるRTT長を使用してよい。この場合は様々なデータタイプが様々なキャリアに対応すると理解されてよい。
【０４０６】
一例として述べると、RTT長がRNTIスクランブル様態によって指示されるシナリオにおいて、
受信ユニット1601は基地局によって送信された第4の制御メッセージを受信し、第4の制御メッセージはRNTIスクランブルまたはデスクランブル様態に対応するRTT長を通知するために使われる。
【０４０７】
第4の制御メッセージは上位層シグナリングを用いて基地局によって送信されてよい。
【０４０８】
様々なRTT長は様々なRNTIスクランブルまたはデスクランブル様態に対応する。
【０４０９】
さらに、第4の制御メッセージはRTT長に対応する伝送されるべきデータのタイプを使用することを指図するためにさらに使われてよい。
【０４１０】
具体的に述べると、データのタイプは様々な論理チャネルを用いて表現されてよく、この場合はRTT長を用いることによって論理チャネル番号識別子に対応してよく、あるいは
データのタイプは様々な論理チャネルグループを用いて表現されてよく、この場合はRTT長を用いることによって論理チャネルグループ識別子に対応してよく、あるいは
データのタイプは様々な無線ベアラを用いて表現されてよく、この場合はRTT長を用いることによって無線ベアラ識別子に対応してよく、あるいは
データのタイプは様々なデータフローを用いて表現されてよく、この場合はRTT長を用いることによってデータフロー番号識別子に対応してよい。様々なデータフローは様々なIPアドレスを有するデータフローであってよく、あるいは様々なIPアドレスと様々なポート番号とを有するデータフローであってよい。
【０４１１】
前述したデータタイプとRTT長との対応が1対1、1対多、または多対1であってよいことは理解できるであろう。これは本発明の本実施形態で具体的に限定されない。
【０４１２】
任意に選べることとして、ユーザ機器のために複数のキャリアが設定される場合は、異なるキャリアで異なるRTT長を使用してよい。この場合は様々なデータタイプが様々なキャリアに対応すると理解されてよい。
【０４１３】
さらに、基地局間マルチストリームアグリゲーションシナリオでは基地局が前述したキャリアの代わりになってもよい。実装方法は同様であり、ここでは詳細を繰り返し説明しない。
【０４１４】
受信ユニット1601は基地局によって送信された第5の制御メッセージを受信する。さらに、第5の制御メッセージはDCIメッセージであってよい。
【０４１５】
第5の制御メッセージは物理層シグナリングを用いて基地局によって送信されてよい。さらに、第5の制御メッセージはDCIメッセージであってよい。
【０４１６】
実際の応用では、様々なRTT長を区別するため、基地局側は様々なRNTIスクランブラ様態でDCIメッセージをスクランブルしてよい。
【０４１７】
第5の制御メッセージは新たに規定されたDCIメッセージであってよい。shortenRTTが第2のRTTであるなら、新たなRNTI（つまり第4の制御メッセージを用いて通知されるRTT長に対応するRNTI）がスクランブルに使われる。PDCCHで新たなDCIメッセージが伝送され、ユーザ機器は、DCIメッセージを受信する際に、第4の制御メッセージを使って通知されたRTT長に対応するRNTIを使って第5の制御メッセージをデスクランブルする。
【０４１８】
判断ユニット1602は第5の制御メッセージに対しRNTIデスクランブルを遂行し、尚且つ第5の制御メッセージに対しRNTIデスクランブルを遂行する様態に従ってデータ伝送のための対応するRTT長を判断する。
【０４１９】
RTT長には2つのタイプがあり、2つのタイプはそれぞれ第1のRTTと第2のRTTであり、第1のRTTの長さは第2のRTTの長さより大きいと仮定する。第1のRNTIを使ってDCIに対して遂行されるデスクランブルが成功する場合は、データ伝送のための対応するRTT長が第1のRTTであると判断され、第2のRNTIを使ってDCIに対して遂行されるデスクランブルが成功する場合は、データ伝送のための対応するRTTが第2のRTTであると判断される。
【０４２０】
ユーザ機器のデータ伝送ユニット1603はRTT長に従って基地局とのデータ伝送を遂行する。具体的に述べると、ユーザ機器が基地局とのデータ伝送を遂行することは、ユーザ機器が基地局によって送信されたサービスデータを受信することと、ユーザ機器が基地局へサービスデータを送信することと、ユーザ機器が基地局へフィードバック情報を送信することと、ユーザ機器が基地局によって送信されたフィードバック情報を受信することとを含む。具体的に述べると、フィードバック情報はHARQフィードバックを含んでよい。例えば、基地局によって送信されたサービスデータを受信した後にユーザ機器はサービスデータのHARQフィードバックを基地局へ送信し、あるいは基地局へサービスデータを送信した後にユーザ機器は基地局によって送信されるサービスデータのHARQフィードバックを受信する。
【０４２１】
第1のRNTI（つまり長いRTTに対応するデスクランブル様態）を用いてDCIに対して遂行されるデスクランブルが成功する場合は第1のRTTに対応するデータ送受ルールが使用され、第2のRNTI（つまり短いRTTに対応するデスクランブル様態）を用いてDCIに対して遂行されるデスクランブルが成功する場合は第2のRTTに対応するデータ送受ルールが使用される。
【０４２２】
一例として述べると、RTT長が制御チャネルによって指示されるシナリオにおいて、
受信ユニット1601は基地局によって送信された第6の制御メッセージを受信し、第6の制御メッセージは制御チャネルのタイプに対応するRTT長を通知するために使われる。
【０４２３】
具体的に述べると、制御チャネルの様々なタイプは様々なチャネルリソースを有する制御チャネルを指示し、チャネルリソースは時間領域リソースと周波数領域リソースとを含む。
【０４２４】
時間領域における様々なチャネルリソースは様々なTTI、様々なタイムスロット、様々なOFDMシンボル、様々なサブフレーム、様々な無線フレーム等であってよく、本発明の本実施形態で具体的に限定されない。周波数領域における様々なチャネルリソースは様々なサブキャリア、様々な物理的リソースブロック、様々なコンポーネントキャリア等であってよく、本発明の本実施形態で具体的に限定されない。
【０４２５】
第6の制御メッセージは上位層シグナリングを用いて基地局によって送信されてよい。
【０４２６】
さらに、第6の制御メッセージはRTT長に個別に対応する伝送されるべきデータのタイプを使用することを指図するためにさらに使われてよい。
【０４２７】
具体的に述べると、データのタイプは様々な論理チャネルを用いて表現されてよく、この場合はRTT長を用いることによって論理チャネル番号識別子に対応してよく、あるいは
データのタイプは様々な論理チャネルグループを用いて表現されてよく、この場合はRTT長を用いることによって論理チャネルグループ識別子に対応してよく、あるいは
データのタイプは様々な無線ベアラを用いて表現されてよく、この場合はRTT長を用いることによって無線ベアラ識別子に対応してよく、あるいは
データのタイプは様々なデータフローを用いて表現されてよく、この場合はRTT長を用いることによってデータフロー番号識別子に対応してよい。様々なデータフローは様々なIPアドレスを有するデータフローであってよく、あるいは様々なIPアドレスと様々なポート番号とを有するデータフローであってよい。
【０４２８】
前述したデータタイプとRTT長との対応が1対1、1対多、または多対1であってよいことは理解できるであろう。これは本発明の本実施形態で具体的に限定されない。
【０４２９】
任意に選べることとして、ユーザ機器のために複数のキャリアが設定される場合は、異なるキャリアで異なるRTT長を使用してよい。この場合は様々なデータタイプが様々なキャリアに対応すると理解されてよい。
【０４３０】
さらに、基地局間マルチストリームアグリゲーションシナリオでは基地局が前述したキャリアの代わりになってもよい。実装方法は同様であり、ここでは詳細を繰り返し説明しない。
【０４３１】
受信ユニット1601は制御チャネルを用いて基地局によって送信された第7の制御メッセージを受信する。一例として述べると、第7の制御メッセージは物理層シグナリングを用いて基地局によって送信されてよい。さらに、第7の制御メッセージはDCIメッセージであってよい。制御チャネルには少なくとも2つのタイプがあり、制御チャネルの様々なタイプは様々なRTT長に対応する。
【０４３２】
具体的に述べると、制御チャネルの様々なタイプは様々なチャネルリソースを有する制御チャネルを指示し、チャネルリソースは時間領域リソースと周波数領域リソースとを含む。
【０４３３】
判断ユニット1602は制御メッセージを受信する制御チャネルのタイプに従ってデータ伝送のための対応するRTT長を判断する。
【０４３４】
一例として述べると、RTT長には2つのタイプがあり、2つのタイプはそれぞれ第1のRTTと第2のRTTであり、第1のRTTの長さは第2のRTTの長さより大きいと仮定する。さらに、制御チャネルは物理ダウンリンク制御チャネル（PDCCH、Physical Downlink Control channel）であってよく、あるいは改良物理ダウンリンク制御チャネル（EPDCCH、Enhanced Physical Downlink Control channel）であってよい。例えば、PDCCHは第1のRTTに対応し、EPDCCHは第2のRTTに対応する。つまり、DCIメッセージが第2のRTTに対応するEPDCCHで検出される場合は現在のデータ伝送のRTT長が第2のRTTであると判断され、DCIメッセージがPDCCHで検出される場合は現在のデータ伝送のRTT長が第1のRTTであると判断される。さらに、PDCCHでsymbol 0およびsymbol 1は第1のRTTに対応し、第3のsymbolは第2のRTTに対応し、あるいはEPDCCHでサブキャリアn〜mまたはPRB n〜mは第1のRTTに対応し、サブキャリアi〜kまたはPRB i〜kは第2のRTTに対応する。
【０４３５】
実際の応用でRTTに2つ以上のタイプがある場合は、データをスケジュールするためより多くの制御チャネルが設計される必要がある。例えば、各TTIの第1のN個のシンボル（Nは0以上）でPDCCHは要件に従って設計され、および／またはデータをスケジュールするため新たなEPDCCHが設計される。例えば、各TTIのM番目からN番目のサブキャリアまたはPRB（Mは0以上、Nは0以上、NはM以上）でEPDCCHは要件に従って設計され、ユーザ機器はPDCCHとEPDCCHとをリスンすることによってデータを伝送する。
【０４３６】
伝送ユニット1603はRTT長に従って基地局とのデータ伝送を遂行する。具体的に述べると、ユーザ機器が基地局とのデータ伝送を遂行することは、ユーザ機器が基地局によって送信されたサービスデータを受信することと、ユーザ機器が基地局へサービスデータを送信することと、ユーザ機器が基地局へフィードバック情報を送信することと、ユーザ機器が基地局によって送信されたフィードバック情報を受信することとを含む。具体的に述べると、フィードバック情報はHARQフィードバックを含んでよい。例えば、基地局によって送信されたサービスデータを受信した後にユーザ機器はサービスデータのHARQフィードバックを基地局へ送信し、あるいは基地局へサービスデータを送信した後にユーザ機器は基地局によって送信されるサービスデータのHARQフィードバックを受信する。
【０４３７】
前述した実施形態が別々に実装されてよいこと、あるいは合同で実装されてよいことは理解できるであろう。これは本発明の実施形態で具体的に限定されない。
【０４３８】
実際の応用では無線ネットワークにおけるデータパケットの送信と伝送との間にタイミング関係があり、ネットワーク側はハードウェア改善の前後に存在する2つのタイプのRTTのシナリオを検討する必要がある。図6に見られるように、RTTが8msであるシナリオでは瞬時nに送信されるデータパケットの場合にフィードバックが瞬時n＋4に受信され、RTTが4msであるシナリオでは、処理遅延が低減されるため、瞬時nに送信されるデータパケットの場合にフィードバックは瞬時n＋2に受信される。このため、ネットワークに2つの異なるタイプのRTT長がある場合は、現在の伝送メカニズムによるアップリンクフィードバックとダウンリンクフィードバックの両方で衝突が生じる可能性がある。ダウンリンクフィードバックの場合、ダウンリンクフィードバックの伝送はPUCCHで送られる。図6に見られるように、normal RTTのHARQプロセス0に使われるPDCCHリソースがshorten RTTのHARQプロセス2でDCI送信のときに使われるPDCCHリソースと同じである場合は、HARQプロセス0のフィードバックがHARQプロセス2のフィードバックと衝突する。
【０４３９】
このため、本発明の一実施形態ではデータ伝送のためのリソースの計算様態に改良がなされる。一例として述べると、フィードバックリソースの計算におけるユーザ機器のユニットの作業工程は下記を含む。
受信ユニット1601は基地局によって送信された制御メッセージを受信する。具体的に述べると、制御メッセージはユーザ機器と基地局とによるデータ伝送のRTT長を指示するために使われる。
【０４４０】
判断ユニット1602は制御メッセージに従ってユーザ機器と基地局との間で伝送されるデータに対応するRTT長を判断する。一例として述べると、第1のRTTと第2のRTTがあってよく、第1のRTTは第2のRTTより大きい。
【０４４１】
RTT長は、特定の時間値を用いて、例えば4msを用いて、指示されてよく、あるいはTTIの数量を用いて、例えば8個のTTIを用いて、指示されてよく、あるいはOFDMシンボルの数量を用いて、例えば20個のOFDMシンボルを用いて、指示されてよい。RTT長の具体的な表現と実装は実情に応じて判断されてよく、ここで限定されないことは理解できるであろう。
【０４４２】
RTT長に2つ以上のタイプがあり得ることは理解できるであろう。一例として述べると、RTT長に2つのタイプがあり得る場合、制御メッセージは1タイプのRTT長を指示してよく、これを踏まえてユーザ機器は対応するデータの送信または受信にどのタイプのRTTが使われるかを判断する。任意に選べることとして、制御メッセージは2タイプのRTT長を指示してよく、これを踏まえてユーザ機器は2タイプのRTTが個別に対応するデータの送信または受信を判断する。実際の応用では制御メッセージの実装様態が実情に応じて判断されてよく、ここでは具体的に限定されない。
【０４４３】
リソース判断ユニット1604はRTT長に従って基地局とのデータ伝送を遂行するためのリソースを判断し、ユーザ機器と基地局は様々なリソースを使って様々なRTT長に対応するデータを互いに伝送する。
【０４４４】
実際の応用では、データの送信または受信に使われるリソースの計算時にRTT識別子によって指示されるRTT長に従ってTTI長に対応するオフセットが加えられる。
【０４４５】
一例として述べると、フィードバック情報の伝送がダウンリンクデータのアップリンクフィードバックである場合、ユーザ機器はフィードバックの周波数領域リソースが次式を満たすことを判断し、ここで
【数７５】
0006440827.tif 000077
はポート0に対応する周波数領域リソース位置であり、
【数７６】
0006440827.tif 000078
はポート1に対応する周波数領域リソース位置である。
【０４４６】
伝送にPDCCHが使われる場合は式1および式2が満たされ、
式1：
【数７７】
0006440827.tif 000079
および
式2：
【数７８】
0006440827.tif 000080
ここで
nCCEはダウンリンクデータをスケジュールするダウンリンクデータのスケジューリングコマンドによって占められる物理ダウンリンク制御チャネルPDCCHの最低の、最高の、または特定の制御チャネル要素CCE位置であり、
【数７９】
0006440827.tif 000081
は物理アップリンク制御チャネルPUCCHの周波数領域開始位置であり、offsetはオフセットであって整数である。
【０４４７】
具体的に述べると、本発明の本実施形態ではポート0とポート1の周波数領域リソースの計算様態のみ説明する。ただし、実際の応用では多数のポートがあり得、具体的な計算様態については式2を参照できる。つまり、ポートnの周波数領域リソースが計算されるなら
【数８０】
0006440827.tif 000082
となる。
【０４４８】
実際の応用では、オフセットが上位層シグナリングを用いて基地局によって通知され、あるいはDCIメッセージの中で設定される。具体的に述べると、オフセットはDCIの「HARQ−ACK resource offset領域」で設定されてよい。
【数８１】
0006440827.tif 000083
とoffsetは1つのパラメータに組み合わされてよく、このパラメータはオフセットによりPUCCHの周波数領域開始位置を表す。
【０４４９】
さらに、フィードバック情報の伝送がダウンリンクデータのアップリンクフィードバックである場合に、EPDCCHが使われ、尚且つEPDCCH伝送が分散伝送である場合は、フィードバックリソースの計算は式3および式4を満たし、
式3：
【数８２】
0006440827.tif 000084
および
式4：
【数８３】
0006440827.tif 000085
あるいは
フィードバック情報の伝送がダウンリンクデータのアップリンクフィードバックである場合に、EPDCCHが使われ、尚且つEPDCCH伝送が集中伝送である場合は、フィードバックリソースの計算は式5および式6を満たし、
式5：
【数８４】
0006440827.tif 000086
および
式6：
【数８５】
0006440827.tif 000087
ここで
nECCE，qはダウンリンクデータをスケジュールするダウンリンクデータのスケジューリングコマンドによって占められる改良物理ダウンリンク制御チャネルEPDCCHによって使われるEPDCCH−PRB−set qの最低の、最高の、または特定の制御チャネル要素CCE位置であり、
【数８６】
0006440827.tif 000088
は上位層シグナリングを用いて設定されるパラメータであり、ΔARQは物理層制御シグナリングを用いて通知されるパラメータであり、
【数８７】
0006440827.tif 000089
はEPDCCH−PRB−set qにおける各PRBのCCEの数量であり、n’はアンテナポートによって判断され、offsetはオフセットであって整数である。
【０４５０】
一例として述べると、フィードバック情報の伝送がアップリンクデータのダウンリンクフィードバックである場合は、データの送信または受信に使われるリソースの計算時に、ユーザ機器はフィードバックのリソース
【数８８】
0006440827.tif 000090
が式7および式8を満たすことを判断し、ここで
【数８９】
0006440827.tif 000091
は物理的ハイブリッド自動再送要求指示チャネルPHICHのグループ番号であり、
【数９０】
0006440827.tif 000092
はグループ番号に対応するグループにおける直交シーケンス番号であり、
式7は
【数９１】
0006440827.tif 000093
であり
式8は
【数９２】
0006440827.tif 000094
であり、ここで
nDMRSは最近のPDCCHでアップリンクDCIを用いて指示される復調参照信号DMRS領域の循環シフトマッピングであり、
【数９３】
0006440827.tif 000095
はPHICHの拡散因子であり、
IPRB＿RAは第1のコードワードがアップリンクDCIによって指示されるPUSCHの最も低いPRBインデックスであることと、第2のコードワードがアップリンクDCIによって指示されるPUSCHの最も低いPRBインデックス＋1であることとを示し、
【数９４】
0006440827.tif 000096
はPHICHのgroup量であり、
Ngroup1はオフセットである。
【０４５１】
伝送ユニット1603はリソースを使って基地局とのデータ伝送を遂行する。
【０４５２】
本発明の本実施形態や前述した各実施形態が別々に実装されてよいこと、あるいは合同で実装されてよいことは理解できるであろう。これは本発明の実施形態で具体的に限定されない。
【０４５３】
本発明の本実施形態では、データの送信または受信に使われるリソースの計算時にRTT識別子によって指示されるRTT長に従ってRTT長に対応するオフセットが加えられる。このため、2タイプのRTTに対応するデータの伝送シナリオで2タイプのRTTに対応するデータは周波数領域リソースで互い違いに配置でき、2タイプのデータ間の衝突は回避される。
【０４５４】
無線通信システムではTTIを減らすことによって伝送遅延がさらに低減されてよい。同様に、実際の応用ではTTIに少なくとも2つのタイプがあってよい。このため、本発明の一実施形態は少なくとも2タイプのTTIが共存する通信メカニズムをさらに提供する。通信メカニズムの論理的構造については図17を参照されたい。本発明の一実施形態におけるユーザ機器の別の実施形態は、
基地局によって送信された制御メッセージを受信するよう構成されたメッセージ受信ユニット1701であって、制御メッセージはユーザ機器と基地局との間で伝送されるデータに対応するTTI長を判断するために使われる、メッセージ受信ユニット1701と、
制御メッセージに従ってユーザ機器と基地局との間で伝送されるデータに対応するTTI長を判断するよう構成された長さ判断ユニット1702と、
TTI長に従って基地局とのデータ伝送を遂行するよう構成されたデータ伝送ユニット1703とを含む。
【０４５５】
具体的に述べると、TTI長が制御メッセージによって直接指示されるシナリオにおいて、
メッセージ受信ユニットは、
基地局によって送信された第1の制御メッセージを受信するよう具体的に構成され、第1の制御メッセージはデータ伝送のための対応するTTI長を指示するために使われ、
長さ判断ユニットは、
第1の制御メッセージに従ってデータ伝送のための対応するTTI長を判断するよう具体的に構成される。
【０４５６】
具体的に述べると、TTI長がTTI識別子によって指示されるシナリオにおいて、
メッセージ受信ユニットは、
基地局によって送信された第2の制御メッセージを受信するよう具体的に構成され、第2の制御メッセージは伝送時間間隔TTI識別子に対応するTTI長を通知するために使われ、尚且つメッセージ受信ユニットは、
基地局によって送信された第3の制御メッセージを受信するよう具体的に構成され、第3の制御メッセージはTTI識別子を含むダウンリンク制御情報であり、TTI識別子はデータ伝送のための対応するTTI長を指示するために使われ、
長さ判断ユニットは、
TTI識別子に従ってデータ伝送のための対応するTTI長を判断するよう具体的に構成される。
【０４５７】
具体的に述べると、TTI長がRNTIスクランブル様態によって指示されるシナリオにおいて、
メッセージ受信ユニットは、
上位層シグナリングを用いて基地局によって送信された第2の制御メッセージを受信するよう具体的に構成され、第4の制御メッセージはRNTIスクランブル様態に対応するTTI長を通知するために使われ、尚且つメッセージ受信ユニットは、
物理層シグナリングを用いて基地局によって送信された第5の制御メッセージを受信するよう具体的に構成され、第5の制御メッセージのRNTIスクランブル様態はTTI長に対応し、
長さ判断ユニットは、
第5の制御メッセージに対しRNTIデスクランブルを遂行し、尚且つ第4の制御メッセージに対しRNTIデスクランブルを遂行する様態に従ってデータ伝送のための対応するTTI長を判断するよう具体的に構成される。
【０４５８】
具体的に述べると、TTI長が制御チャネルによって指示されるシナリオにおいて、
メッセージ受信ユニットは、
基地局によって送信された第6の制御メッセージを受信するよう具体的に構成され、第6の制御メッセージは制御チャネルのタイプに対応するTTI長を通知するために使われ、尚且つメッセージ受信ユニットは、
制御チャネルを用いて基地局によって送信された第7の制御メッセージを受信するよう具体的に構成され、制御チャネルには少なくとも2つのタイプがあり、制御チャネルの様々なタイプは様々なTTI長に対応し、
長さ判断ユニットは、
第7の制御メッセージを受信する制御チャネルのタイプに従ってデータ伝送のための対応するTTI長を判断するよう具体的に構成される。
【０４５９】
具体的に述べると、制御メッセージは上位層シグナリングか物理層シグナリングを用いて基地局によって送信される。
【０４６０】
具体的に述べると、制御メッセージはTTI長に対応する伝送されるべきデータのタイプを使用することを指図するためにさらに使われる。
【０４６１】
具体的に述べると、メッセージ受信ユニットは、
ユーザ機器により、基地局によって送信されたTTI設定パラメータを受信するようさらに構成され、TTI設定パラメータは、DCIスクランブル様態、TTI長タイプの指示情報、TTIに対応する測定用参照信号SRS設定パラメータ、TTIを使用するためのDM−RS設定情報、TTIを使用するためのSR設定情報、TTIを使用するためのフィードバックリソース設定情報、TTIを使用するためのフィードバックルール設定情報、TTIを使用するためのPDCCHリソース位置情報、TTIを使用するためのトランスポートブロックサイズTBS表設定情報、TTIを使用するためのリソーススケジューリング粒度情報、またはTTIを使用するためのEPDCCHリソース位置情報のいずれか1つ、または少なくとも2つの組み合わせを含む。
【０４６２】
具体的に述べると、ユーザ機器は、
TTI長に従ってデータの送受ルールを判断するよう構成されたルール判断ユニット1704をさらに含み、様々なTTI長は様々な送受ルールに対応し、送受ルールは送信または受信時のサービスデータおよびフィードバック情報に対応するリソースとデータ伝送時間系列関係とを含む。
【０４６３】
データ伝送ユニット1703は、
ユーザ機器により、判断された送受ルールに従ってデータを送受するようさらに構成される。
【０４６４】
具体的に述べると、ユーザ機器は、
ユーザ機器によって最後に伝送されたデータに対応するTTI長が変わるか否かを判断し、これが是である場合に、HARQバッファを空にし、尚且つその後判断された送受ルールに従ってデータを送受するステップを遂行するよう構成されたバッファ空化ユニット1705をさらに含む。
【０４６５】
具体的に述べると、ユーザ機器は、
フィードバック情報を伝送するためのフィードバックリソースを判断するよう構成されたフィードバックリソース判断ユニット1706をさらに含み、様々なTTI長に対応するフィードバック情報は様々なフィードバックリソースを使用し、フィードバックリソースはフィードバックリソースに対応する各TTI長に存在し、フィードバックリソースはPHICHチャネルリソースと、データを伝送するためのPRB番号と、データを伝送するためのフレーム番号またはサブフレーム番号とを含む。
【０４６６】
具体的に述べると、ユーザ機器は、
判断されたTTI長に対応するフィードバックリソースを使って基地局へチャネル品質指標CQIをフィードバックするよう構成された第1の符号化ユニット1707であって、それぞれのTTIでCQIに対し個別の符号化が遂行され、あるいはそれぞれのサブフレームに含まれるTTIでCQIに対し合同の符号化が遂行される、第1の符号化ユニット1707と、
判断されたTTI長に対応するフィードバックリソースを使ってダウンリンクデータのアップリンクフィードバック情報を基地局へ送信するよう構成された第2の符号化ユニット1708であって、それぞれのTTIでアップリンクフィードバック情報に対し個別の符号化が遂行され、あるいはそれぞれのサブフレームに含まれるTTIでアップリンクフィードバック情報に対し合同の符号化が遂行される、第2の符号化ユニット1708とをさらに含む。
【０４６７】
TTI長に基づくデータ伝送方法を実行するよう構成されたユーザ機器のユニットの具体的作業は以下に説明され、下記を含む。
メッセージ受信ユニット1701は基地局によって送信されたTTI設定パラメータを受信し、TTI設定パラメータは、DCIスクランブル様態、TTI長タイプの指示情報、TTIに対応する測定用参照信号（SRS、Sounding Reference Signal）設定パラメータ、TTIを使用するための復調参照信号（DM−RS、DeModulation RS）設定情報、TTIを使用するためのSR設定情報、TTIを使用するためのフィードバックリソース設定情報、TTIを使用するためのフィードバックルール設定情報、TTIを使用するためのPDCCHリソース位置情報、TTIを使用するためのトランスポートブロックサイズ（Transport Block Size、TBS）表設定情報、TTIを使用するためのリソーススケジューリング粒度情報、またはTTIを使用するためのEPDCCHリソース位置情報のいずれか1つ、または少なくとも2つの組み合わせを含む。
【０４６８】
TTI長には2つのタイプがあり、2つのタイプはそれぞれ第1のTTIと第2のTTIであり、第1のTTIの長さは第2のTTIの長さより大きいと仮定する。実際の応用で第1のTTIの設定パラメータはユーザ機器であらかじめ設定されてよく、あるいはプロトコルであらかじめ指定されてよく、そうであるなら本発明の本実施形態でユーザ機器によって受信されるTTI設定パラメータは第2のTTIの設定パラメータを具体的に指してよい。任意に選べることとして、第1のTTIの設定パラメータがあらかじめ設定されない場合、本発明の本実施形態でユーザ機器によって受信されるTTI設定パラメータは第1のTTIと第2のTTIの設定パラメータを含んでよい。
【０４６９】
新たに規定されたDM−RS（つまり第2のTTIに対応するDM−RS）の場合、DM−RS信号がそれぞれの第2のTTIに存在することはDM−RS設定情報で設定される。加えて、基地局は専用シグナリングを用いてユーザ機器に通知し、専用シグナリングはDM−RSの期間情報や符号化情報や位置情報といった必要情報を含む。
【０４７０】
ユーザ機器がSRSリソースで設定された第2のTTIでSRSを送信することと、基地局がSRSリソースで設定された第2のTTIでSRS測定を遂行することは、SRS設定情報で設定される。
【０４７１】
TBS表設定情報はユーザ機器の第2のTTIに対応するTBS表を指示してよく、TBS表はプロトコルで指定されてよく、あるいは設定メッセージを使って設定されてよい。
【０４７２】
リソーススケジューリング粒度情報は第2のTTIに対応する最小のスケジューリング粒度を指示してよく、例えば6個のPRBまたは10個のPRBを、さもなくば72個のサブキャリアまたは120個のサブキャリアを、指示してよい。TTIが減らされる場合は、スケジューリング粒度を増すことによってシグナリングオーバーヘッドを低減できる。
【０４７３】
長さ判断ユニット1702はユーザ機器と基地局との間で伝送されるデータに対応するTTI長を判断する。具体的に述べると、TTI長には少なくとも2つのタイプがある。
【０４７４】
実際の応用ではユーザ機器が多数の様態でTTI長を判断し、具体的な様態は以降の実施形態で個別に説明される。
【０４７５】
ユーザ機器がTTI長に従って基地局とのデータ伝送を遂行する前に、ルール判断ユニット1704はTTI長に従ってデータの送受ルールを判断してよく、様々なTTI長は様々な送受ルールに対応し、送受ルールは送信または受信時のサービスデータおよびフィードバック情報に対応するリソースとデータ伝送時間系列関係とを含む。
【０４７６】
一例として述べると、TTI長に2つのタイプがあり、2つのタイプはそれぞれ第1のTTIと第2のTTIであり、第1のTTIの長さが第2のTTIの長さより大きい場合、送受ルールは、第1の送信ルールと、第1の受信ルールと、第2の送信ルールと、第2の受信ルールとを含む。第1の送信ルールと第1の受信ルールは第1のTTIに対応する送受ルールであり、第2の送信ルールと第2の受信ルールは第2のTTIに対応する送受ルールである。
【０４７７】
実際の応用では送受ルールの具体的内容が上位層シグナリングを用いて基地局からユーザ機器へ送信されてよい。さらに、送受ルールはユーザ機器と基地局とによるデータ伝送を遂行するのに使われるリソースの計算様態を含んでよい。送受ルールが第1のTTIに対応する第1の送信ルールと第1の受信ルールである場合、リソースの計算様態は先行技術のそれと同じであってよい。送受ルールが第2のTTIに対応する第2の送信ルールと第2の受信ルールである場合、リソースは上位層シグナリングを用いて基地局によって通知される新たなリソースであってよく、あるいは基地局が新たな計算様態を通知してもよい。具体的な実装様態はここで限定されない。
【０４７８】
データ伝送ユニット1703はTTI長に従って基地局とのデータ伝送を遂行する。具体的に述べると、ユーザ機器が基地局とのデータ伝送を遂行することは、ユーザ機器が基地局によって送信されたサービスデータを受信することと、ユーザ機器が基地局へサービスデータを送信することと、ユーザ機器が基地局へフィードバック情報を送信することと、ユーザ機器が基地局によって送信されたフィードバック情報を受信することとを含む。具体的に述べると、フィードバック情報はHARQフィードバックを含んでよい。例えば、基地局によって送信されたサービスデータを受信した後にユーザ機器はサービスデータのHARQフィードバックを基地局へ送信し、あるいは基地局へサービスデータを送信した後にユーザ機器は基地局によって送信されるサービスデータのHARQフィードバックを受信する。
【０４７９】
一例として述べると、TTI長には2つのタイプがあり、2つのタイプはそれぞれ第1のTTIと第2のTTIであり、第1のTTIの長さが第2のTTIの長さより大きく、データの伝送がフィードバック情報の伝送である場合、
現在の伝送シナリオがユーザ機器によって遂行されるダウンリンク伝送であり、データに対応するTTI長が第1のTTIであると判断されるなら、データは第1の受信ルールを使って受信される。ユーザ機器はユーザ機器によって最後に伝送されたデータに対応するTTI長が変わるか否かを判断し、これが是である場合に、ユーザ機器はHARQバッファを空にし、その後第1の受信ルールを使ってデータを受信するステップを遂行し、あるいはこれが是であって、尚且つ以前のデータがデータ伝送に使われたHARQプロセスで正常に伝送されていない場合に、ユーザ機器は引き続きデータを再送してよい。第1の受信ルールを使ってデータを受信した後に、ユーザ機器は第1のTTIに対応する第1のフィードバックルールを使って基地局へデータをフィードバックする。
【０４８０】
現在の伝送シナリオがユーザ機器によって遂行されるダウンリンク伝送であり、データに対応するTTI長が第2のTTIであると判断されるなら、データは第2の受信ルールを使って受信される。ユーザ機器はユーザ機器によって最後に伝送されたデータに対応するTTI長が変わるか否かを判断し、これが是である場合に、ユーザ機器はHARQバッファを空にし、その後第2の受信ルールを使ってデータを受信するステップを遂行し、あるいはこれが是であって、尚且つ以前のデータがデータ伝送に使われたHARQプロセスで正常に伝送されていない場合に、ユーザ機器は引き続きデータを再送してよい。第2の受信ルールを使ってデータを受信した後に、ユーザ機器は第2のTTIに対応する第2のフィードバックルールを使って基地局へデータをフィードバックする。第1のフィードバックルールに対応する第1のフィードバックリソースは第2のフィードバックルールに対応する第2のフィードバックリソースと異なり、第2のフィードバックリソースはそれぞれの第2のTTI長に存在する。フィードバックリソースはPHICHチャネルリソースと、データを伝送するためのPRB番号と、データを伝送するためのフレーム番号またはサブフレーム番号とを含む。
【０４８１】
さらに、CQIのフィードバックの場合、ユーザ機器は判断されたTTI長に対応するフィードバックリソースを使ってチャネル品質指標CQIを基地局へフィードバックし、それぞれのTTIでCQIに対し個別の符号化が遂行され、あるいはそれぞれのサブフレームに含まれるTTIでCQIに対し合同の符号化が遂行される。
【０４８２】
アップリンクフィードバック情報のフィードバックの場合、ユーザ機器は判断されたTTI長に対応するフィードバックリソースを使って基地局へダウンリンクデータのアップリンクフィードバック情報を送信し、それぞれのTTIでアップリンクフィードバック情報に対し個別の符号化が遂行され、あるいはそれぞれのサブフレームに含まれるTTIでアップリンクフィードバック情報に対し合同の符号化が遂行される。
【０４８３】
現在の伝送シナリオがユーザ機器によって遂行されるアップリンク伝送であり、データに対応するTTI長が第1のTTIであると判断されるなら、データは第1の送信ルールを使って送信される。第1の送信ルールを使ってデータを送信する前に、ユーザ機器はユーザ機器によって最後に伝送されたデータに対応するTTI長が変わるか否かを判断し、これが是である場合に、ユーザ機器はHARQバッファを空にし、その後第1の送信ルールを使ってデータを送信するステップを遂行し、あるいはこれが是であって、尚且つ以前のデータがデータ伝送に使われたHARQプロセスで正常に伝送されていない場合に、ユーザ機器は引き続きデータを再送してよい。第1の送信ルールを使ってデータを送信した後に、ユーザ機器は第1のTTIに対応する第1のフィードバックルールを使って基地局へデータをフィードバックする。
【０４８４】
現在の伝送シナリオがユーザ機器によって遂行されるアップリンク伝送であり、データに対応するTTI長が第2のTTIであると判断されるなら、データは第2の送信ルールを使って送信される。第2の送信ルールを使ってデータを送信する前に、ユーザ機器はユーザ機器によって最後に伝送されたデータに対応するTTI長が変わるか否かを判断し、これが是である場合に、ユーザ機器はHARQバッファを空にし、その後第2の送信ルールを使ってデータを送信するステップを遂行し、あるいはこれが是であって、尚且つ以前のデータがデータ伝送に使われたHARQプロセスで正常に伝送されていない場合に、ユーザ機器は引き続きデータを再送してよい。第2の送信ルールを使ってデータを送信した後に、ユーザ機器は第2のTTIに対応する第2のフィードバックルールを使って基地局へデータをフィードバックする。第1のフィードバックルールに対応する第1のフィードバックリソースは第2のフィードバックルールに対応する第2のフィードバックリソースと異なり、第2のフィードバックリソースはそれぞれの第2のTTIに存在する。さらに、指示がTTIの変化を伝える場合にHARQバッファの中にデータがまだあるなら、伝送または再送が完了した後にTTI長は変更されてよい。
【０４８５】
本発明の本実施形態で、ユーザ機器は基地局とのデータ伝送のTTI長を判断し、対応するTTI長に適したデータ送信または受信様態で基地局とのデータ伝送を遂行できる。したがって、データ伝送過程で異なるTTI長によって生じる衝突問題は解決される。
【０４８６】
一例として述べると、TTI長が制御メッセージによって直接指示されるシナリオにおいて、
メッセージ受信ユニット1701は基地局によって送信された第1の制御メッセージを受信し、第1の制御メッセージはデータ伝送のための対応するTTI長を指示するために使われる。
【０４８７】
第1の制御メッセージは上位層シグナリングか物理層シグナリングを用いて送信されてよい。
【０４８８】
長さ判断ユニット1702は第1の制御メッセージに従ってデータ伝送のための対応するTTI長を判断する。
【０４８９】
さらに、第1の制御メッセージはTTI長に個別に対応する伝送されるべきデータのタイプを使用することを指図するためにさらに使われてよい。第1の制御メッセージを使ってTTI長が初めて設定された後に、ユーザ機器は様々なデータとTTI長との対応表を保管する。ユーザ機器と基地局が互いにデータを伝送する際に、ユーザ機器はデータのタイプに従って現在のデータ送信または受信に使われるべきTTI長を対応表で検索してよい。基地局が別のときに上位層シグナリングを用いて様々なデータとTTI長との対応を更新するまでは、ユーザ機器は基地局とのデータ伝送を遂行するたびに対応表を使ってTTI長を判断してよい。
【０４９０】
具体的に述べると、データのタイプは様々な論理チャネルを用いて表現されてよく、この場合はTTI長を用いることによって論理チャネル番号識別子に対応してよく、あるいは
データのタイプは様々な論理チャネルグループを用いて表現されてよく、この場合はTTI長を用いることによって論理チャネルグループ識別子に対応してよく、あるいは
データのタイプは様々な無線ベアラを用いて表現されてよく、この場合はTTI長を用いることによって無線ベアラ識別子に対応してよく、あるいは
データのタイプは様々なデータフローを用いて表現されてよく、この場合はTTI長を用いることによってデータフロー番号識別子に対応してよい。様々なデータフローは様々なIPアドレスを有するデータフローであってよく、あるいは様々なIPアドレスと様々なポート番号とを有するデータフローであってよい。
【０４９１】
前述したデータタイプとTTI長との対応が1対1、1対多、または多対1であってよいことは理解できるであろう。これは本発明の本実施形態で具体的に限定されない。
【０４９２】
任意に選べることとして、ユーザ機器のために複数のキャリアが設定される場合は、異なるキャリアで異なるTTI長を使用してよい。この場合は様々なデータタイプが様々なキャリアに対応すると理解されてよい。
【０４９３】
さらに、基地局間マルチストリームアグリゲーションシナリオでは基地局が前述したキャリアの代わりになってもよい。実装方法は同様であり、ここでは詳細を繰り返し説明しない。
【０４９４】
様々なTTI長に個別に対応する伝送されるべきデータのタイプを使用することを指図する役割を単独で果たすため、基地局が別の制御メッセージをさらに使ってよいことは理解できるであろう。例えば、基地局は、第1の制御メッセージを送信する前に、様々なTTI長に個別に対応する伝送されるべきデータのタイプを使用することを別の制御メッセージを使って指図する。具体的な実装様態は実情に応じて判断されてよく、ここでは具体的に限定されない。
【０４９５】
データ伝送ユニット1703はTTI長に従って基地局とのデータ伝送を遂行する。具体的に述べると、ユーザ機器が基地局とのデータ伝送を遂行することは、ユーザ機器が基地局によって送信されたサービスデータを受信することと、ユーザ機器が基地局へサービスデータを送信することと、ユーザ機器が基地局へフィードバック情報を送信することと、ユーザ機器が基地局によって送信されたフィードバック情報を受信することとを含む。具体的に述べると、フィードバック情報はHARQフィードバックを含んでよい。例えば、基地局によって送信されたサービスデータを受信した後にユーザ機器はサービスデータのHARQフィードバックを基地局へ送信し、あるいは基地局へサービスデータを送信した後にユーザ機器は基地局によって送信されるサービスデータのHARQフィードバックを受信する。
【０４９６】
実際の応用では、基地局によって送信される制御メッセージがTTI長とスケジューリング粒度との対応を指示するためにさらに使われてよい。制御メッセージはRRC設定メッセージであってよく、制御メッセージはTTI長とスケジューリング粒度との対応を含む。例えば、長いTTIは粗いスケジューリング粒度に対応し、短いTTIは細かいスケジューリング粒度に対応し、あるいは長いTTIは細かいスケジューリング粒度に対応し、短いTTIは粗いスケジューリング粒度に対応する。
【０４９７】
ユーザ端末は、前述した制御メッセージを受信した後に、制御メッセージによって指示されるTTI長とスケジューリング粒度との関係に従って、制御メッセージの指示が再び受信されるまで、通信を遂行する。例えば、制御メッセージは第1のTTI長のスケジューリング粒度がn個のTTIであると指示し、第2のTTI長のスケジューリング粒度がm個のTTIであると指示する。この場合、ユーザ端末が第1のTTI長を使って伝送を遂行するなら、第1のTTI長のスケジューリング粒度はnであり、すなわち伝送はスケジューリングコマンドが受信されるたびにn個のTTIで連続的に遂行されてよく、ユーザ端末が第2のTTI長を使って伝送を遂行するなら、第2のTTI長のスケジューリング粒度はmであり、すなわち伝送はスケジューリングコマンドが受信されるたびにm個のTTIで連続的に遂行されてよく、mとnは1より大きい整数である。
【０４９８】
一例として述べると、TTI長がTTI識別子によって指示されるシナリオにおいて、
メッセージ受信ユニット1701は基地局によって送信された第2の制御メッセージを受信し、第2の制御メッセージはTTI識別子に対応するTTI長を通知するために使われる。
【０４９９】
第2の制御メッセージは上位層シグナリングを用いて基地局によって送信されてよい。
【０５００】
さらに、第2の制御メッセージはTTI長に対応する伝送されるべきデータのタイプを使用することを指図するためにさらに使われてよい。
【０５０１】
具体的に述べると、データのタイプは様々な論理チャネルを用いて表現されてよく、この場合はTTI長を用いることによって論理チャネル番号識別子に対応してよく、あるいは
データのタイプは様々な論理チャネルグループを用いて表現されてよく、この場合はTTI長を用いることによって論理チャネルグループ識別子に対応してよく、あるいは
データのタイプは様々な無線ベアラを用いて表現されてよく、この場合はTTI長を用いることによって無線ベアラ識別子に対応してよく、あるいは
データのタイプは様々なデータフローを用いて表現されてよく、この場合はTTI長を用いることによってデータフロー番号識別子に対応してよい。様々なデータフローは様々なIPアドレスを有するデータフローであってよく、あるいは様々なIPアドレスと様々なポート番号とを有するデータフローであってよい。
【０５０２】
前述したデータタイプとTTI長との対応が1対1、1対多、または多対1であってよいことは理解できるであろう。これは本発明の本実施形態で具体的に限定されない。
【０５０３】
任意に選べることとして、ユーザ機器のために複数のキャリアが設定される場合は、異なるキャリアで異なるTTI長を使用してよい。この場合は様々なデータタイプが様々なキャリアに対応すると理解されてよい。
【０５０４】
さらに、基地局間マルチストリームアグリゲーションシナリオでは基地局が前述したキャリアの代わりになってもよい。実装方法は同様であり、は詳細を繰り返し説明しない。
【０５０５】
さらに、第2の制御メッセージはTTI設定パラメータを含むメッセージであってよく、TTI設定パラメータは、DCIスクランブル様態、TTI長タイプの指示情報、TTIに対応するSRS設定パラメータ、TTIを使用するためのDM−RS設定情報、TTIを使用するためのSR設定情報、TTIを使用するためのフィードバックリソース設定情報、TTIを使用するためのフィードバックルール設定情報、TTIを使用するためのPDCCHリソース位置情報、TTIを使用するためのTBS表設定情報、TTIを使用するためのリソーススケジューリング粒度情報、またはTTIを使用するためのEPDCCHリソース位置情報のいずれか1つ、または少なくとも2つの組み合わせを含む。
【０５０６】
TTI長には2つのタイプがあり、2つのタイプはそれぞれ第1のTTIと第2のTTIであり、第1のTTIの長さは第2のTTIの長さより大きいと仮定する。実際の応用で第1のTTIの設定パラメータはユーザ機器であらかじめ設定されてよく、あるいはプロトコルであらかじめ指定されてよく、そうであるなら本発明の本実施形態でユーザ機器によって受信されるTTI設定パラメータは第2のTTIの設定パラメータを具体的に指してよい。任意に選べることとして、第1のTTIの設定パラメータがあらかじめ設定されない場合、本発明の本実施形態でユーザ機器によって受信されるTTI設定パラメータは第1のTTIと第2のTTIの設定パラメータを含んでよい。
【０５０７】
メッセージ受信ユニット1701は物理層シグナリングを用いて基地局によって送信された第3の制御メッセージを受信し、第3の制御メッセージはTTI識別子を含み、TTI識別子はデータ伝送のための対応するTTI長を指示するために使われる。
【０５０８】
第3の制御メッセージは物理層シグナリングを用いて基地局によって送信されてよい。さらに、第3の制御メッセージはDCIメッセージであってよい。
【０５０９】
第3の制御メッセージは新たに規定されたDCIメッセージであってよく、TTI長を指示するために使われるTTI識別子（shortenTTI）はDCIメッセージに加えられる。
【０５１０】
長さ判断ユニット1702はTTI識別子に従ってデータ伝送のための対応するTTI長を判断する。
【０５１１】
TTI長には2つのタイプがあり、2つのタイプはそれぞれ第1のTTIと第2のTTIであり、第1のTTIの長さは第2のTTIの長さより大きいと仮定する。TTI識別子はshortenTTIによって指示され、shortenTTI＝0ならデータ伝送のための対応するTTI長が第1のTTIであると判断され、shortenTTI＝1ならデータ伝送のための対応するTTI長が第2のTTIであると判断され、第2のTTIに対応するデータ送受ルールが使用される。あるいは、TTI識別子がTTI長を直接指示する。これは本発明の本実施形態で具体的に限定されない。
【０５１２】
データ伝送ユニット1703はTTI長に従って基地局とのデータ伝送を遂行する。具体的に述べると、ユーザ機器が基地局とのデータ伝送を遂行することは、ユーザ機器が基地局によって送信されたサービスデータを受信することと、ユーザ機器が基地局へサービスデータを送信することと、ユーザ機器が基地局へフィードバック情報を送信することと、ユーザ機器が基地局によって送信されたフィードバック情報を受信することとを含む。具体的に述べると、フィードバック情報はHARQフィードバックを含んでよい。例えば、基地局によって送信されたサービスデータを受信した後にユーザ機器はサービスデータのHARQフィードバックを基地局へ送信し、あるいは基地局へサービスデータを送信した後にユーザ機器は基地局によって送信されるサービスデータのHARQフィードバックを受信する。
【０５１３】
一例として述べると、TTI長がRNTIスクランブル様態によって指示されるシナリオにおいて、
メッセージ受信ユニット1701は上位層シグナリングを用いて基地局によって送信された第4の制御メッセージを受信し、第4の制御メッセージはRNTIスクランブルまたはデスクランブル様態に対応するTTI長を通知するために使われる。
【０５１４】
第4の制御メッセージは上位層シグナリングを用いて基地局によって送信されてよい。
【０５１５】
様々なTTI長は様々なRNTIスクランブルまたはデスクランブル様態に対応する。
【０５１６】
さらに、第4の制御メッセージは、TTI長に個別に対応する伝送されるべきデータのタイプを使用することを指図するためにさらに使われてよい。
【０５１７】
具体的に述べると、データのタイプは様々な論理チャネルを用いて表現されてよく、この場合はTTI長を用いることによって論理チャネル番号識別子に対応してよく、あるいは
データのタイプは様々な論理チャネルグループを用いて表現されてよく、この場合はTTI長を用いることによって論理チャネルグループ識別子に対応してよく、あるいは
データのタイプは様々な無線ベアラを用いて表現されてよく、この場合はTTI長を用いることによって無線ベアラ識別子に対応してよく、あるいは
データのタイプは様々なデータフローを用いて表現されてよく、この場合はTTI長を用いることによってデータフロー番号識別子に対応してよい。様々なデータフローは様々なIPアドレスを有するデータフローであってよく、あるいは様々なIPアドレスと様々なポート番号とを有するデータフローであってよい。
【０５１８】
前述したデータタイプとTTI長との対応が1対1、1対多、または多対1であってよいことは理解できるであろう。これは本発明の本実施形態で具体的に限定されない。
【０５１９】
任意に選べることとして、ユーザ機器のために複数のキャリアが設定される場合は、異なるキャリアで異なるTTI長を使用してよい。この場合は様々なデータタイプが様々なキャリアに対応すると理解されてよい。
【０５２０】
さらに、基地局間マルチストリームアグリゲーションシナリオでは基地局が前述したキャリアの代わりになってもよい。実装方法は同様であり、ここでは詳細を繰り返し説明しない。
【０５２１】
第4の制御メッセージはTTI設定パラメータを含むメッセージであってよく、TTI設定パラメータは、DCIスクランブル様態（RNTIスクランブル様態と様々なTTI長との対応と対応するRNTIデスクランブル様態とが設定される）、TTI長タイプの指示情報、TTIに対応するSRS設定パラメータ、TTIを使用するためのDM−RS設定情報、TTIを使用するためのSR設定情報、TTIを使用するためのフィードバックリソース設定情報、TTIを使用するためのフィードバックルール設定情報、TTIを使用するためのPDCCHリソース位置情報、TTIを使用するためのTBS表設定情報、TTIを使用するためのリソーススケジューリング粒度情報、またはTTIを使用するためのEPDCCHリソース位置情報のいずれか1つ、または少なくとも2つの組み合わせを含む。
【０５２２】
TTI長には2つのタイプがあり、2つのタイプはそれぞれ第1のTTIと第2のTTIであり、第1のTTIの長さは第2のTTIの長さより大きいと仮定する。実際の応用で第1のTTIの設定パラメータはユーザ機器であらかじめ設定されてよく、そうであるなら本発明の本実施形態でユーザ機器によって受信されるTTI設定パラメータは第2のTTIの設定パラメータを具体的に指してよい。任意に選べることとして、第1のTTIの設定パラメータがあらかじめ設定されない場合、本発明の本実施形態でユーザ機器によって受信されるTTI設定パラメータは第1のTTIと第2のTTIの設定パラメータを含んでよい。
【０５２３】
メッセージ受信ユニット1701は基地局によって送信された第5の制御メッセージを受信する。さらに、第5の制御メッセージはDCIメッセージであってよい。
【０５２４】
第5の制御メッセージは物理層シグナリングを用いて基地局によって送信されてよい。さらに、第5の制御メッセージはDCIメッセージであってよい。
【０５２５】
実際の応用では、様々なTTI長を区別するため、基地局側は様々なRNTIスクランブラ様態でDCIメッセージをスクランブルしてよい。
【０５２６】
第5の制御メッセージは新たに規定されたDCIメッセージであってよい。shortenTTI＝1なら（つまりshortenTTIが第2のTTIであるなら）、新たなRNTI（つまり第4の制御メッセージを用いて通知されるTTI長に対応するRNTI）がスクランブルに使われる。PDCCHで新たなDCIメッセージが伝送され、ユーザ機器は、DCIメッセージを受信する際に、第4の制御メッセージを使って通知されたTTI長に対応するRNTIを使って第5の制御メッセージをデスクランブルする。
【０５２７】
長さ判断ユニット1702は第5の制御メッセージに対しRNTIデスクランブルを遂行し、尚且つ第5の制御メッセージに対しRNTIデスクランブルを遂行する様態に従ってデータ伝送のための対応するTTI長を判断する。
【０５２８】
TTI長には2つのタイプがあり、2つのタイプはそれぞれ第1のTTIと第2のTTIであり、第1のTTIの長さは第2のTTIの長さより大きいと仮定する。第1のRNTIを使ってDCIに対して遂行されるデスクランブルが成功する場合は、データ伝送のための対応するTTI長が第1のTTIであると判断され、第2のRNTIを使ってDCIに対して遂行されるデスクランブルが成功する場合は、データ伝送のための対応するTTIが第2のTTIであると判断される。
【０５２９】
データ伝送ユニット1703はTTI長に従って基地局とのデータ伝送を遂行する。具体的に述べると、ユーザ機器が基地局とのデータ伝送を遂行することは、ユーザ機器が基地局によって送信されたサービスデータを受信することと、ユーザ機器が基地局へサービスデータを送信することと、ユーザ機器が基地局へフィードバック情報を送信することと、ユーザ機器が基地局によって送信されたフィードバック情報を受信することとを含む。具体的に述べると、フィードバック情報はHARQフィードバックを含んでよい。例えば、基地局によって送信されたサービスデータを受信した後にユーザ機器はサービスデータのHARQフィードバックを基地局へ送信し、あるいは基地局へサービスデータを送信した後にユーザ機器は基地局によって送信されるサービスデータのHARQフィードバックを受信する。
【０５３０】
第1のRNTI（つまり長いTTIに対応するデスクランブル様態）を用いてDCIに対して遂行されるデスクランブルが成功する場合は第1のTTIに対応するデータ送受ルールが使用され、第2のRNTI（つまり短いTTIに対応するデスクランブル様態）を用いてDCIに対して遂行されるデスクランブルが成功する場合は第2のTTIに対応するデータ送受ルールが使用される。
【０５３１】
一例として述べると、TTI長が制御チャネルによって指示されるシナリオにおいて、
メッセージ受信ユニット1701は基地局によって送信された第6の制御メッセージを受信し、第6の制御メッセージは制御チャネルのタイプに対応するTTI長を通知するために使われる。
【０５３２】
具体的に述べると、制御チャネルの様々なタイプは様々なチャネルリソースを有する制御チャネルを指示し、チャネルリソースは時間領域リソースと周波数領域リソースとを含む。
【０５３３】
時間領域における様々なチャネルリソースは様々なTTI、様々なタイムスロット、様々なOFDMシンボル、様々なサブフレーム、様々な無線フレーム等であってよく、本発明の本実施形態で具体的に限定されない。周波数領域における様々なチャネルリソースは様々なサブキャリア、様々な物理的リソースブロック、様々なコンポーネントキャリア等であってよく、本発明の本実施形態で具体的に限定されない。
【０５３４】
第6の制御メッセージは上位層シグナリングを用いて基地局によって送信されてよい。
【０５３５】
さらに、第6の制御メッセージはTTI長に個別に対応する伝送されるべきデータのタイプを使用することを指図するためにさらに使われてよい。
【０５３６】
具体的に述べると、データのタイプは様々な論理チャネルを用いて表現されてよく、この場合はTTI長を用いることによって論理チャネル番号識別子に対応してよく、あるいは
データのタイプは様々な論理チャネルグループを用いて表現されてよく、この場合はTTI長を用いることによって論理チャネルグループ識別子に対応してよく、あるいは
データのタイプは様々な無線ベアラを用いて表現されてよく、この場合はTTI長を用いることによって無線ベアラ識別子に対応してよく、あるいは
データのタイプは様々なデータフローを用いて表現されてよく、この場合はTTI長を用いることによってデータフロー番号識別子に対応してよい。様々なデータフローは様々なIPアドレスを有するデータフローであってよく、あるいは様々なIPアドレスと様々なポート番号とを有するデータフローであってよい。
【０５３７】
前述したデータタイプとTTI長との対応が1対1、1対多、または多対1であってよいことは理解できるであろう。これは本発明の本実施形態で具体的に限定されない。
【０５３８】
任意に選べることとして、ユーザ機器のために複数のキャリアが設定される場合は、異なるキャリアで異なるTTI長を使用してよい。この場合は様々なデータタイプが様々なキャリアに対応すると理解されてよい。
【０５３９】
さらに、基地局間マルチストリームアグリゲーションシナリオでは基地局が前述したキャリアの代わりになってもよい。実装方法は同様であり、ここでは詳細を繰り返し説明しない。
【０５４０】
メッセージ受信ユニット1701は制御チャネルを用いて基地局によって送信された第7の制御メッセージを受信し、第7の制御メッセージは物理層シグナリングを用いて基地局によって送信されてよい。さらに、第7の制御メッセージはDCIメッセージであってよい。制御チャネルには少なくとも2つのタイプがあり、制御チャネルの様々なタイプは様々なTTI長に対応する。
【０５４１】
長さ判断ユニット1702は制御メッセージを受信する制御チャネルのタイプに従ってデータ伝送のための対応するTTI長を判断する。
【０５４２】
TTI長には2つのタイプがあり、2つのタイプはそれぞれ第1のTTIと第2のTTIであり、第1のTTIの長さは第2のTTIの長さより大きいと仮定する。さらに、制御チャネルは物理ダウンリンク制御チャネル（PDCCH、Physical Downlink Control channel）であってよく、あるいは改良物理ダウンリンク制御チャネル（EPDCCH、Enhanced Pyhsical Downlink Control Channle）であってよい。PDCCHは第1のTTIに対応し、EPDCCHは第2のTTIに対応する。つまり、DCIメッセージが第2のTTIに対応するEPDCCHで検出される場合は現在のデータ伝送のTTI長が第2のTTIであると判断され、DCIメッセージがPDCCHで検出される場合は現在のデータ伝送のTTI長が第1のTTIであると判断される。PDCCHでsymbol 0およびsymbol 1は第1のTTIに対応し、第3のsymbolは第2のTTIに対応し、EPDCCHでサブキャリアn〜mは第1のTTIに対応し、サブキャリアi〜kは第2のTTIに対応する。
【０５４３】
実際の応用でTTIに2つ以上のタイプがある場合は、データをスケジュールするためより多くの制御チャネルが設計される必要がある。例えば、各TTIの第1のN個のシンボル（Nは0以上）でPDCCHは要件に従って設計され、および／またはデータをスケジュールするため新たなEPDCCHが設計される。例えば、各TTIのM番目からN番目のサブキャリアまたはPRB（Mは0以上、Nは0以上、NはM以上）でEPDCCHは要件に従って設計され、ユーザ機器はPDCCHとEPDCCHとをリスンすることによってデータを伝送する。
【０５４４】
データ伝送ユニット1703はTTI長に従って基地局とのデータ伝送を遂行する。具体的に述べると、ユーザ機器が基地局とのデータ伝送を遂行することは、ユーザ機器が基地局によって送信されたサービスデータを受信することと、ユーザ機器が基地局へサービスデータを送信することと、ユーザ機器が基地局へフィードバック情報を送信することと、ユーザ機器が基地局によって送信されたフィードバック情報を受信することとを含む。具体的に述べると、フィードバック情報はHARQフィードバックを含んでよい。例えば、基地局によって送信されたサービスデータを受信した後にユーザ機器はサービスデータのHARQフィードバックを基地局へ送信し、あるいは基地局へサービスデータを送信した後にユーザ機器は基地局によって送信されるサービスデータのHARQフィードバックを受信する。
【０５４５】
前述した実施形態が別々に実装されてよいこと、あるいは合同で実装されてよいことは理解できるであろう。これは本発明の実施形態で具体的に限定されない。
【０５４６】
実際の応用では最初のアクセスのときにユーザ機器のためにTTI長が設定されてよい。図18を参照し、本発明の一実施形態におけるユーザ機器の別の実施形態は下記を含む。
【０５４７】
ブロードキャスト受信ユニット1801は基地局によって送信されたブロードキャストメッセージを受信するよう構成され、ブロードキャストメッセージは第2のTTIに対応するランダムアクセスチャネルRACHリソースとプリアンブルpreambleとを含み、第2のTTIはTTI長の1タイプであり、第1のTTIと第2のTTIとがあり、第1のTTIは第2のTTIより大きい。
【０５４８】
任意に選べることとして、ユーザ機器が基地局によって送信されたブロードキャストメッセージを受信する前に、基地局はブロードキャストメッセージを使ってPRACHリソースとpreambleの設定パラメータをユーザ機器へ送信する。
【０５４９】
アクセスユニット1802は、ユーザ機器が第2のTTIをサポートする場合に、第2のTTIに対応するRACHリソースとpreambleとを使ってランダムアクセスを遂行するよう構成される。
【０５５０】
ブロードキャストメッセージを受信した後に、ユーザ機器はユーザ機器が第2のTTIをサポートするか否かを判断し、ユーザ機器が第2のTTIをサポートする場合、ユーザ機器は第2のTTIに対応するPRACHリソースとpreambleとを使ってランダムアクセスを遂行する。
【０５５１】
基地局側で基地局が第2のTTIに対応するPRACHでpreambleを受信する場合は、ユーザ機器が第2のTTIを使ってデータ伝送を遂行できると考えられ、基地局は第2のTTIに対応する送受ルールを使ってユーザ機器とのデータ伝送を遂行し、基地局が第1のTTIに対応するRACHでpreambleを受信する場合、基地局は第1のTTIに対応する送受ルールを使ってユーザ機器とのデータ伝送を遂行する。
【０５５２】
本発明におけるTTIの実施形態とRTTの実施形態が別々に実装されてよいこと、あるいは合同で実装されてよいことは理解できるであろう。これは本発明の本実施形態で具体的に限定されない。
【０５５３】
TTIの実施形態とRTTの実施形態の前述したステップが遂行される前に、ユーザ機器がユーザ機器のTTI能力および／またはRTT能力を報告してよいことは理解できるであろう。具体的に述べると、ユーザ機器は能力を能動的に報告してよく、あるいはネットワーク側が問い合わせを遂行し、その後ユーザ機器が能力を報告する。使用されるメッセージは、RRCメッセージ、またはMAC CE等のMAC層の制御メッセージ、またはMsg3メッセージ、またはpreamble等の物理層の制御メッセージであってよい。これは本発明の本実施形態で具体的に限定されない。
【０５５４】
具体的に述べると、ユーザ機器はサポートされたTTI長および／またはサポートされたRTT長に関する情報を報告してよく、あるいは短いTTIがサポートされるか否かに関する情報のみ、および／または短いRTTがサポートされるか否かに関する情報のみ、報告してよい。
【０５５５】
さらに、基地局はユーザ機器によって報告される能力情報に従って前述した実施形態のTTI設定および／またはRTT設定とデータ伝送とを遂行する。ここでは詳細を繰り返し説明しない。
【０５５６】
さらに、ハンドオーバーのときにソース基地局はユーザ機器の能力情報をターゲット基地局へ送信してよく、ユーザ機器の能力を知ったターゲット基地局はTTIおよび／またはRTTを設定し、使用し、データ伝送を遂行する。具体的なメッセージはX2インターフェース（基地局間インターフェース）メッセージであってよく、あるいはS1インターフェース（基地局・コアネットワーク間インターフェース）メッセージであってよく、ここでは詳細を繰り返し説明しない。
【０５５７】
さらに、ユーザ機器の能力を報告する前または後に、ユーザ機器は、基地局によってサポートされるTTIおよび／またはRTTの能力情報を指示するため基地局によって送信される制御メッセージを受信する。具体的な応用において、制御メッセージは、RRC設定メッセージ等の上位層シグナリングを用いて送信される制御メッセージまたはブロードキャストメッセージを含んでよく、MAC CE等のMAC層の制御メッセージ、またはMsg4メッセージであってよく、あるいはDCIメッセージ等の物理層の制御メッセージであってよい。制御メッセージはeNodeBの能力情報を含み、能力情報はeNodeBでサポートできるTTI長および／またはRTT長を含む。
【０５５８】
様々なTTIおよび／または様々なRTTが共存する場合は、様々なTTIおよび／または様々なRTTに使われる物理的リソース間の衝突の回避を考慮する必要がある。具体的な方法は次の通りである。
【０５５９】
様々なTTIおよび／または様々なRTTに使われる物理的リソースは時間領域において、または周波数領域において、互い違いに配置される。前述した実施形態を参照し、様々なTTI長および／または様々なRTT長が設定される場合は、様々なTTIおよび／または様々なRTTに使われる物理的リソースが同時に設定されてよい。物理的リソースは、PDCCHリソース、EPDCCHリソース、PDSCHリソース、PUSCHリソース、PUCCHリソース、またはPHICHリソースのうち、いずれか1つ以上を含む。これは本発明の本実施形態で具体的に限定されない。
【０５６０】
これ以降は前述したデータ伝送方法を実行するよう構成された本発明における基地局の一実施形態を説明する。本発明の一実施形態における基地局の一実施形態は、
ユーザ機器へ制御メッセージを送信するよう構成された送信ユニットを含み、制御メッセージはユーザ機器と基地局との間で伝送されるデータに対応するRTT長を判断するために使われ、ユーザ機器はRTT長に従って基地局とのデータ伝送を遂行する。
【０５６１】
具体的に述べると、RTT長が制御メッセージによって直接指示されるシナリオにおいて、
制御メッセージは第1の制御メッセージを含み、第1の制御メッセージはデータ伝送のための対応するRTT長を指示するために使われる。
【０５６２】
具体的に述べると、RTT長がRTT識別子によって指示されるシナリオにおいて、
制御メッセージは、
第2の制御メッセージと第3の制御メッセージとを含み、
第2の制御メッセージは往復時間RTT識別子に対応するRTT長を通知するために使われ、第3の制御メッセージはRTT識別子を含み、RTT識別子はデータ伝送のための対応するRTT長を指示するために使われる。
【０５６３】
具体的に述べると、RTT長がRNTIスクランブル様態によって指示されるシナリオにおいて、
制御メッセージは、
第4の制御メッセージと第5の制御メッセージとを含み、
第4の制御メッセージはRNTIスクランブル様態に対応するRTT長を通知するために使われ、第5の制御メッセージのRNTIスクランブル様態はRTT長に対応する。
【０５６４】
具体的に述べると、RTT長が制御チャネルによって指示されるシナリオにおいて、
制御メッセージは、
第6の制御メッセージと第7の制御メッセージとを含み、
第6の制御メッセージは制御チャネルのタイプに対応するRTT長を通知するために使われ、第7の制御メッセージは様々な制御チャネルを用いて送信される制御メッセージであり、制御チャネルには少なくとも2つのタイプがあり、制御チャネルの様々なタイプは様々なRTT長に対応する。
【０５６５】
制御メッセージは上位層シグナリングか物理層シグナリングを用いて基地局によって送信される。
【０５６６】
制御メッセージはRTT長に個別に対応する伝送されるべきデータのタイプを使用することを指図するためにさらに使われる。
【０５６７】
これ以降は前述したデータ伝送方法を実行するよう構成された本発明における基地局の一実施形態を説明する。本発明の一実施形態における基地局の別の実施形態は、
ユーザ機器へ制御メッセージを送信するよう構成されたメッセージ送信ユニットを含み、制御メッセージはユーザ機器と基地局との間で伝送されるデータに対応するTTI長を判断するために使われ、ユーザ機器はTTI長に従って基地局とのデータ伝送を遂行する。
【０５６８】
具体的に述べると、TTI長が制御メッセージによって直接指示されるシナリオにおいて、
制御メッセージは第1の制御メッセージを含み、第1の制御メッセージはデータ伝送のための対応するTTI長を指示するために使われる。
【０５６９】
具体的に述べると、TTI長がTTI識別子によって指示されるシナリオにおいて、
制御メッセージは、
第2の制御メッセージと第3の制御メッセージとを含み、
第2の制御メッセージはTTI識別子に対応するTTI長を通知するために使われ、第3の制御メッセージはTTI識別子を含み、TTI識別子はデータ伝送のための対応するTTI長を指示するために使われる。
【０５７０】
具体的に述べると、TTI長がRNTIスクランブル様態によって指示されるシナリオにおいて、
制御メッセージは、
第4の制御メッセージと第5の制御メッセージとを含み、
第4の制御メッセージはRNTIスクランブル様態に対応するTTI長を通知するために使われ、第5の制御メッセージのRNTIスクランブル様態はTTI長に対応する。
【０５７１】
具体的に述べると、TTI長が制御チャネルによって指示されるシナリオにおいて、
制御メッセージは、
第6の制御メッセージと第7の制御メッセージとを含み、
第6の制御メッセージは制御チャネルのタイプに対応するRTT長を通知するために使われ、第7の制御メッセージは様々な制御チャネルを用いて送信される制御メッセージであり、制御チャネルには少なくとも2つのタイプがあり、制御チャネルの様々なタイプは様々なTTI長に対応する。
【０５７２】
制御メッセージは上位層シグナリングか物理層シグナリングを用いて基地局によって送信される。
【０５７３】
制御メッセージは様々なTTI長に個別に対応する伝送されるべきデータのタイプを使用することを指図するためにさらに使われる。
【０５７４】
これ以降は前述したデータ伝送方法を実行するよう構成された本発明における基地局の一実施形態を説明する。本発明の一実施形態における基地局の別の実施形態は、
ユーザ機器へブロードキャストメッセージを送信するよう構成されたブロードキャストメッセージ送信ユニットを含み、これに応じてユーザ機器はブロードキャストメッセージ内のTTI長とユーザ機器のTTI能力とに従って対応するRACHリソースと対応するpreambleとを使ってランダムアクセスを遂行し、ブロードキャストメッセージは第2のTTIに対応するランダムアクセスチャネルRACHリソースとpreambleとを含み、第2のTTIはTTI長の1タイプであり、第1のTTIと第2のTTIとがあり、第1のTTIは第2のTTIより大きい。
【０５７５】
基地局の実施形態における具体的な作業工程については前述したユーザ機器の一実施形態を参照されたい。ここでは詳細を繰り返し説明しない。
【０５７６】
図19を参照し、本発明の一実施形態はユーザ機器をさらに提供し、ユーザ機器は、
入力装置1901と、出力装置1902と、メモリ1903と、プロセッサ1904とを含んでよい（ユーザ機器には1つ以上のプロセッサがあってよいが、図19では一例として1つのプロセッサが使われている）。本発明のいくつかの実施形態で入力装置1901と出力装置1902とメモリ1903とプロセッサ1904はバスを使って接続されてよく、あるいは別の様態で接続されてよい。図19ではバスを使って実装される接続が一例として使われている。
【０５７７】
入力装置1901は、
基地局によって送信された制御メッセージを受信するよう構成され、制御メッセージはユーザ機器と基地局との間で伝送されるデータに対応するRTT長を判断するために使われる。
【０５７８】
プロセッサ1904は制御メッセージに従ってユーザ機器と基地局との間で伝送されるデータに対応する往復時間RTT長を判断するよう構成される。
【０５７９】
出力装置1902はRTT長に従って基地局とのデータ伝送を遂行するよう構成される。
【０５８０】
具体的に述べると、RTT長が制御メッセージによって直接指示されるシナリオにおいて、
入力装置1901は、
基地局によって送信された第1の制御メッセージを受信するよう具体的に構成され、第1の制御メッセージはデータ伝送のための対応するRTT長を指示するために使われ、
プロセッサ1904は、
第1の制御メッセージに従ってデータ伝送のための対応するRTT長を判断するよう具体的に構成される。
【０５８１】
具体的に述べると、RTT長がRTT識別子によって指示されるシナリオにおいて、
入力装置1901は、
基地局によって送信された第2の制御メッセージを受信するよう具体的に構成され、第2の制御メッセージはRTT識別子に対応するRTT長を通知するために使われ、尚且つ入力装置1901は、
基地局によって送信された第3の制御メッセージを受信するよう具体的に構成され、第3の制御メッセージはRTT識別子を含み、RTT識別子はデータ伝送のための対応するRTT長を指示するために使われ、
プロセッサ1904は、
RTT識別子に従ってデータ伝送のための対応するRTT長を判断するよう具体的に構成される。
【０５８２】
具体的に述べると、RTT長がRNTIスクランブル様態によって指示されるシナリオにおいて、
入力装置1901は、
基地局によって送信された第4の制御メッセージを受信するよう具体的に構成され、第4の制御メッセージはRNTIスクランブル様態に対応するRTT長を通知するために使われ、尚且つ入力装置1901は、
基地局によって送信された第5の制御メッセージを受信するよう具体的に構成され、第5の制御メッセージのRNTIスクランブル様態はRTT長に対応し、
プロセッサ1904は、
第5の制御メッセージに対しRNTIデスクランブルを遂行し、尚且つ第4の制御メッセージに対しRNTIデスクランブルを遂行する様態に従ってデータ伝送のための対応するRTT長を判断するよう具体的に構成される。
【０５８３】
具体的に述べると、RTT長が制御チャネルによって指示されるシナリオにおいて、
入力装置1901は、
基地局によって送信された第6の制御メッセージを受信するよう具体的に構成され、第6の制御メッセージは制御チャネルのタイプに対応するRTT長を通知するために使われ、尚且つ入力装置1901は、
制御チャネルを用いて基地局によって送信された第7の制御メッセージを受信するよう具体的に構成され、制御チャネルには少なくとも2つのタイプがあり、制御チャネルの様々なタイプは様々なRTT長に対応し、
プロセッサ1904は、
第7の制御メッセージを受信する制御チャネルのタイプに従ってデータ伝送のための対応するRTT長を判断するよう具体的に構成される。
【０５８４】
具体的に述べると、制御メッセージは上位層シグナリングか物理層シグナリングを用いて基地局によって送信される。
【０５８５】
具体的に述べると、制御メッセージはRTT長に個別に対応する伝送されるべきデータのタイプを使用することを指図するためにさらに使われる。
【０５８６】
具体的に述べると、プロセッサ1904は、RTT長に従って基地局とのデータ伝送を遂行するためのリソースを判断するようさらに構成され、ユーザ機器と基地局は様々なリソースを使って様々なRTT長に対応するデータを互いに伝送する。
【０５８７】
出力装置1902は、
ユーザ機器により、リソースを使って基地局とのデータ伝送を遂行するよう具体的に構成される。
【０５８８】
さらに、プロセッサ1904は、
データの伝送がフィードバック情報の伝送である場合に、フィードバック情報の伝送に使われるリソースを計算する際に、RTT識別子によって指示されるRTT長に従って、RTT長に対応するオフセットを加えるよう具体的に構成される。
【０５８９】
具体的に述べると、オフセットは上位層シグナリングを用いて基地局によって通知され、あるいは物理層シグナリングメッセージの中で設定される。
【０５９０】
さらに、プロセッサ1904は、フィードバック情報の伝送がダウンリンクデータのアップリンクフィードバックである場合に、ユーザ機器により、フィードバックの周波数領域リソースが次式を満たすことを判断するよう具体的に構成され、ここで
【数９５】
0006440827.tif 000097
はポート0に対応する周波数領域リソース位置であり、
【数９６】
0006440827.tif 000098
はポート1に対応する周波数領域リソース位置である。
【０５９１】
伝送にPDCCHが使われる場合は式1および式2が満たされ、
式1：
【数９７】
0006440827.tif 000099
および
式2：
【数９８】
0006440827.tif 000100
ここで
nCCEはダウンリンクデータをスケジュールするダウンリンクデータのスケジューリングコマンドによって占められる物理ダウンリンク制御チャネルPDCCHの最低の、最高の、または特定の制御チャネル要素CCE位置であり、
【数９９】
0006440827.tif 000101
は物理アップリンク制御チャネルPUCCHの周波数領域開始位置であり、offsetはオフセットであって整数である。
【０５９２】
EPDCCHが使われ、尚且つEPDCCH伝送が分散伝送である場合は、式3および式4が満たされ、
式3：
【数１００】
0006440827.tif 000102
および
式4：
【数１０１】
0006440827.tif 000103
あるいは
EPDCCHが使われ、尚且つEPDCCH伝送が集中伝送である場合は、式5および式6が満たされ、
式5：
【数１０２】
0006440827.tif 000104
および
式6：
【数１０３】
0006440827.tif 000105
ここで
nECCE，qはダウンリンクデータをスケジュールするダウンリンクデータのスケジューリングコマンドによって占められる改良物理ダウンリンク制御チャネルEPDCCHによって使われるEPDCCH−PRB−set qの最低の、最高の、または特定の制御チャネル要素CCE位置であり、
【数１０４】
0006440827.tif 000106
は上位層シグナリングを用いて設定されるパラメータであり、ΔARQは物理層制御シグナリングを用いて通知されるパラメータであり、
【数１０５】
0006440827.tif 000107
はEPDCCH−PRB−set qにおける各PRBのCCEの数量であり、n’はアンテナポートによって判断され、offsetはオフセットであって整数である。
【０５９３】
さらに、リソース判断ユニット1604は、フィードバック情報の伝送がアップリンクデータのダウンリンクフィードバックである場合に、ユーザ機器により、フィードバックのリソース
【数１０６】
0006440827.tif 000108
が式7および式8を満たすことを判断するよう具体的に構成され、ここで
【数１０７】
0006440827.tif 000109
は物理的ハイブリッド自動再送要求指示チャネルPHICHのグループ番号であり、
【数１０８】
0006440827.tif 000110
はグループ番号に対応するグループにおける直交シーケンス番号であり、
式7は
【数１０９】
0006440827.tif 000111
であり
式8は
【数１１０】
0006440827.tif 000112
であり、ここで
nDMRSは最近のPDCCHでアップリンクDCIを用いて指示される復調参照信号DMRS領域の循環シフトマッピングであり、
【数１１１】
0006440827.tif 000113
はPHICHの拡散因子であり、
IPRB＿RAは第1のコードワードがアップリンクDCIによって指示されるPUSCHの最も低いPRBインデックスであることと、第2のコードワードがアップリンクDCIによって指示されるPUSCHの最も低いPRBインデックス＋1であることとを示し、
【数１１２】
0006440827.tif 000114
はPHICHのgroup量であり、
Ngroup1はオフセットである。
【０５９４】
引き続き図19を参照し、本発明の一実施形態は別のユーザ機器をさらに提供し、ユーザ機器は、
入力装置1901と、出力装置1902と、メモリ1903と、プロセッサ1904とを含んでよい（ユーザ機器には1つ以上のプロセッサがあってよいが、図19では一例として1つのプロセッサが使われている）。本発明のいくつかの実施形態で入力装置1901と出力装置1902とメモリ1903とプロセッサ1904はバスを使って接続されてよく、あるいは別の様態で接続されてよい。図19ではバスを使って実装される接続が一例として使われている。
【０５９５】
入力装置1901は、
基地局によって送信された制御メッセージを受信するよう構成され、制御メッセージはユーザ機器と基地局との間で伝送されるデータに対応するRTT長を判断するために使われる。
【０５９６】
プロセッサ1904は制御メッセージに従ってユーザ機器と基地局との間で伝送されるデータに対応するTTI長を判断するよう構成される。
【０５９７】
出力装置1902はTTI長に従って基地局とのデータ伝送を遂行するよう構成される。
【０５９８】
具体的に述べると、RTT長が制御メッセージによって直接指示されるシナリオにおいて、
入力装置1901は、
基地局によって送信された第1の制御メッセージを受信するよう具体的に構成され、第1の制御メッセージはデータ伝送のための対応するTTI長を指示するために使われ、
プロセッサ1904は、
第1の制御メッセージに従ってデータ伝送のための対応するTTI長を判断するよう具体的に構成される。
【０５９９】
具体的に述べると、RTT長がRTT識別子によって指示されるシナリオにおいて、
入力装置1901は、
基地局によって送信された第2の制御メッセージを受信するよう具体的に構成され、第2の制御メッセージは伝送時間間隔TTI識別子に対応するTTI長を通知するために使われ、尚且つ入力装置1901は、
基地局によって送信された第3の制御メッセージを受信するよう具体的に構成され、第3の制御メッセージはTTI識別子を含むダウンリンク制御情報であり、TTI識別子はデータ伝送のための対応するTTI長を指示するために使われ、
プロセッサ1904は、
TTI識別子に従ってデータ伝送のための対応するTTI長を判断するよう具体的に構成される。
【０６００】
具体的に述べると、RTT長がRNTIスクランブル様態によって指示されるシナリオにおいて、
入力装置1901は、
上位層シグナリングを用いて基地局によって送信された第2の制御メッセージを受信するよう具体的に構成され、第4の制御メッセージはRNTIスクランブル様態に対応するTTI長を通知するために使われ、尚且つ入力装置1901は、
物理層シグナリングを用いて基地局によって送信された第5の制御メッセージを受信するよう具体的に構成され、第5の制御メッセージのRNTIスクランブル様態はTTI長に対応し、
プロセッサ1904は、
第5の制御メッセージに対しRNTIデスクランブルを遂行し、尚且つ第4の制御メッセージに対しRNTIデスクランブルを遂行する様態に従ってデータ伝送のための対応するTTI長を判断するよう具体的に構成される。
【０６０１】
具体的に述べると、RTT長が制御チャネルによって指示されるシナリオにおいて、
入力装置1901は、
基地局によって送信された第6の制御メッセージを受信するよう具体的に構成され、第6の制御メッセージは制御チャネルのタイプに対応するTTI長を通知するために使われ、尚且つ入力装置1901は、
制御チャネルを用いて基地局によって送信された第7の制御メッセージを受信するよう具体的に構成され、制御チャネルには少なくとも2つのタイプがあり、制御チャネルの様々なタイプは様々なTTI長に対応し、
プロセッサ1904は、
第7の制御メッセージを受信する制御チャネルのタイプに従ってデータ伝送のための対応するTTI長を判断するよう具体的に構成される。
【０６０２】
具体的に述べると、制御メッセージは上位層シグナリングか物理層シグナリングを用いて基地局によって送信される。
【０６０３】
具体的に述べると、制御メッセージはRTT長に個別に対応する伝送されるべきデータのタイプを使用することを指図するためにさらに使われる。
【０６０４】
具体的に述べると、入力装置1901は、
ユーザ機器により、基地局によって送信されたTTI設定パラメータを受信するよう具体的に構成され、TTI設定パラメータは、DCIスクランブル様態、TTI長タイプの指示情報、TTIに対応する測定用参照信号SRS設定パラメータ、TTIを使用するためのDM−RS設定情報、TTIを使用するためのSR設定情報、TTIを使用するためのフィードバックリソース設定情報、TTIを使用するためのフィードバックルール設定情報、TTIを使用するためのPDCCHリソース位置情報、TTIを使用するためのトランスポートブロックサイズTBS表設定情報、TTIを使用するためのリソーススケジューリング粒度情報、またはTTIを使用するためのEPDCCHリソース位置情報のいずれか1つ、または少なくとも2つの組み合わせを含む。
【０６０５】
具体的に述べると、プロセッサ1904は、
TTI長に従ってデータの送受ルールを判断するようさらに構成され、様々なTTI長は様々な送受ルールに対応し、送受ルールは送信または受信時のサービスデータおよびフィードバック情報に対応するリソースとデータ伝送時間系列関係とを含み、尚且つプロセッサ1904は、
フィードバック情報を伝送するためのフィードバックリソースを判断するようさらに構成され、様々なTTI長に対応するフィードバック情報は様々なフィードバックリソースを使用し、フィードバックリソースはフィードバックリソースに対応する各TTI長に存在し、フィードバックリソースはPHICHチャネルリソースと、データを伝送するためのPRB番号と、データを伝送するためのフレーム番号またはサブフレーム番号とを含み、尚且つプロセッサ1904は、
判断されたTTI長に対応するフィードバックリソースを使って基地局へチャネル品質指標CQIをフィードバックするようさらに構成され、それぞれのTTIでCQIに対し個別の符号化が遂行され、あるいはそれぞれのサブフレームに含まれるTTIでCQIに対し合同の符号化が遂行され、あるいはプロセッサ1904は、判断されたTTI長に対応するフィードバックリソースを使ってダウンリンクデータのアップリンクフィードバック情報を基地局へ送信するようさらに構成され、それぞれのTTIでアップリンクフィードバック情報に対し個別の符号化が遂行され、あるいはそれぞれのサブフレームに含まれるTTIでアップリンクフィードバック情報に対し合同の符号化が遂行される。
【０６０６】
前述したユーザ機器の具体的な作業工程については方法の実施形態を参照されたい。ここでは詳細を繰り返し説明しない。
【０６０７】
本願で提供されるいくつかの実施形態で開示されている装置や方法が別の様態で実装されてよいことを理解されたい。例えば、説明されている装置の実施形態は一例に過ぎない。例えば、ユニットの分割は論理的な機能分割に過ぎず、実際の実装では別の分割であってもよい。例えば、複数のユニットやコンポーネントが組み合わされて別のシステムにまとめられてもよく、一部の機能は無視されてもよく、遂行されなくてもよい。加えて、表示もしくは論述されている相互結合や直接結合や通信接続は何らかのインターフェースを用いて実装されてよい。装置またはユニット間の間接結合や通信接続は電子的形態や機械的形態やその他の形態で実装されてよい。
【０６０８】
単独部分として説明されているユニットは物理的に単独であってもなくてもよく、ユニットとして表示されている部分は物理的なユニットであってもなくてもよく、1ヶ所に置かれてもよく、複数のネットワークユニットに分散されてもよい。実施形態の解決手段の目的を達成するため、ユニットの一部または全部が実際のニーズに応じて選ばれてよい。
【０６０９】
加えて、本発明の実施形態の機能ユニットは1つの処理ユニットに統合されてよく、それぞれのユニットが物理的に単独で存在してもよく、2つ以上のユニットは1つのユニットに統合される。統合されたユニットはハードウェアの形で実装されてよく、あるいはソフトウェア機能ユニットの形で実装されてもよい。
【０６１０】
統合されたユニットがソフトウェア機能ユニットの形で実装され、独立した製品として販売もしくは使用される場合、統合されたユニットはコンピュータ可読記憶媒体に記憶されてよい。このような理解に基づき、本発明の技術的解決手段は、あるいは先行技術に寄与する部分は、あるいは技術的解決手段の全部または一部は、ソフトウェア製品の形で実装されてよい。ソフトウェア製品は記憶媒体に記憶され、本発明の実施形態で説明した方法のステップの全部または一部を遂行することをコンピュータ装置（パーソナルコンピュータ、サーバー、またはネットワーク装置であってよい）に命令する命令を含む。前述した記憶媒体は、USBフラッシュドライブ、リムーバブルハードディスク、読み取り専用メモリ（ROM、Read−Only Memory）、ランダムアクセスメモリ（RAM、Random Access Memory）、磁気ディスク、光ディスク等、プログラムコードを記憶できる何らかの媒体を含む。
【０６１１】
上記の説明は本発明の特定の実装様態に過ぎず、本発明の保護範囲を限定するものではない。本発明で開示された技術的範囲内で当業者によって容易く考え出されるバリエーションや差し替えは本発明の保護範囲内にある。本発明の保護範囲は請求項の保護範囲に準ずる。
【符号の説明】
【０６１２】
1601  受信ユニット
1602  判断ユニット
1603  伝送ユニット
1604  リソース判断ユニット
1701  メッセージ受信ユニット
1702  長さ判断ユニット
1703  データ伝送ユニット
1704  ルール判断ユニット
1705  バッファ空化ユニット
1706  フィードバックリソース判断ユニット
1707  第1の符号化ユニット
1708  第2の符号化ユニット
1801  ブロードキャスト受信ユニット
1802  アクセスユニット
1901  入力装置
1902  出力装置
1903  メモリ
1904  プロセッサ
【図１】
0006440827.tif 000115
【図２】
0006440827.tif 000116
【図３】
0006440827.tif 000117
【図４】
0006440827.tif 000118
【図５】
0006440827.tif 000119
【図６】
0006440827.tif 000120
【図７】
0006440827.tif 000121
【図８】
0006440827.tif 000122
【図９】
0006440827.tif 000123
【図１０】
0006440827.tif 000124
【図１１】
0006440827.tif 000125
【図１２】
0006440827.tif 000126
【図１３】
0006440827.tif 000127
【図１４】
0006440827.tif 000128
【図１５】
0006440827.tif 000129
【図１６】
0006440827.tif 000130
【図１７】
0006440827.tif 000131
【図１８】
0006440827.tif 000132
【図１９】
0006440827.tif 000133